(57)【要約】本発明のディスクカートリッジは、カートリッジ本体と、シャッタとディスク保持部材とを備える。カートリッジ本体は、信号記録面を有するディスクを回転可能な状態で、かつ、前記ディスクの片面を外部に露出するように収納するディスク収納部と、前記ディスク収納部の底部に設けられており、前記ディスクを外部からチャッキングするためのチャッキング開口部および前記ディスクの信号記録面に対して信号の再生および記録の少なくとも一方を行うヘッドがアクセスするためのヘッド開口部とを含む。シャッタは、カートリッジ本体と、少なくとも前記ヘッド開口部を外部に対して開放または閉塞するように前記カートリッジ本体に対して移動可能なように支持される。ディスク保持部材は、前記ディスクを前記カートリッジ本体に対して保持または解放する。
2002056313.tif 000002
【特許請求の範囲】
【請求項１】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
少なくとも前記ヘッド開口部を外部に対して開放または閉塞するように前記カートリッジ本体に対して移動可能なように支持されるシャッタと、
前記ディスクを前記カートリッジ本体に対して保持または解放するディスク保持部材と、
を備えたディスクカートリッジ。
【請求項２】
前記ディスク保持部材は、前記ディスクの第２の面を前記ディスク収納部の底部に押し付けて保持する請求項１に記載のディスクカートリッジ。
【請求項３】
前記ディスク保持部材は、前記ディスクの第２の面のうち、少なくとも外周部近傍を前記ディスク収納部の底部に接触させる請求項２に記載のディスクカートリッジ。
【請求項４】
前記ディスク保持部材を複数備え、前記複数のディスク保持部材のそれぞれは、前記ディスクの外周上にその一部が位置するように配置されている請求項１から３のいずれかに記載のディスクカートリッジ。
【請求項５】
前記複数のディスク保持部材のうち、少なくとも２つは同形状である請求項４に記載のディスクカートリッジ。
【請求項６】
前記複数のディスク保持部材は、互いに連動して前記ディスクを保持または解放する動作を行う請求項４または５に記載のディスクカートリッジ。
【請求項７】
前記ディスク保持部材は、弾性部材からなる楕円状のリングであり、前記リングは、前記ディスクの直径より大きい内径を有するように変形可能である請求項１から３のいずれかに記載のディスクカートリッジ。
【請求項８】
前記ディスク保持部材は前記ディスクと接する斜面を有しており、前記ディスク保持部材の斜面が前記ディスクの外周上方に張り出すよう前記ディスク保持部材を前記カートリッジ本体に配置することによって、前記斜面を前記ディスクの側面もしくは稜に当接させて前記ディスクを把持し、かつ、前記ディスクを前記ディスク収納部の底部へ押し付けて保持する請求項１から６および８のいずれかに記載のディスクカートリッジ。
【請求項９】
前記ディスクカートリッジがディスクドライブ装置に装着される際、前記ディスクドライブ装置に設けられた装着位置を位置決めする位置決めピンが係合する一対の位置決め孔を前記カートリッジ本体に有する請求項１から３のいずれかに記載のディスクカートリッジ。
【請求項１０】
ディスクドライブ装置に設けられた凸部と係合し、前記ディスクカートリッジの誤挿入を防止する凹部を前記ディスクカートリッジ本体に設けた請求項１から３のいずれかに記載のディスクカートリッジ。
【請求項１１】
前記ディスクカートリッジがディスクドライブ装置に挿入される際、前記ディスクドライブ装置に設けられた凸部と係合する凹部を前記ディスクカートリッジ本体に設けた請求項１から３のいずれかに記載のディスクカートリッジ。
【請求項１２】
前記ディスクカートリッジがディスクドライブ装置に装着され、位置決めされる際、前記ディスク保持部材が前記ディスクを保持状態から解放状態に移行する請求項１から５、７または９のいずれかに記載のディスクカートリッジ。
【請求項１３】
前記ディスクカートリッジの位置決め孔に対する前記ディスクドライブ装置の位置決めピンの係合に連動して、前記ディスク保持部材が前記ディスクを保持する状態から解放する状態に移行させる請求項９に記載のディスクカートリッジ。
【請求項１４】
前記ディスクドライブ装置に設けられた前記ディスクカートリッジ誤挿入防止用の凸部と前記ディスクカートリッジに設けられた前記凹部との係合に連動して、前記ディスク保持部材が前記ディスクを保持する状態から解放する状態に移行させる請求項１０に記載のディスクカートリッジ。
【請求項１５】
前記ディスクドライブ装置に設けられた凸部と前記ディスクカートリッジの前記凹部との係合に連動して、前記ディスク保持部材が前記ディスクを保持する状態から解放する状態に移行させる請求項１１に記載のディスクカートリッジ。
【請求項１６】
前記ディスクをそれぞれ２箇所において保持する一対のディスク保持部材を備え、前記一対のディスク保持部材のそれぞれは、前記ディスクドライブ装置に設けられた一対の位置決めピンの一方と係合して、前記ディスク保持部材の２箇所において実質的に同時に前記ディスクの保持・解放動作を行う請求項９に記載のディスクカートリッジ。
【請求項１７】
前記シャッタは前記ディスク保持部材と係合する部材を有し、前記シャッタの閉塞・開放動作に連動して前記ディスクを保持する状態から解放する状態に移行させる請求項１２に記載のディスクカートリッジ。
【請求項１８】
前記ディスク保持部材は、前記カートリッジ本体と一体に成形され、変形可能な弾性部を有しており、前記弾性部の変形によって前記ディスクを保持または開放する請求項１から５、８、１２から１５のいずれかに記載のディスクカートリッジ。
【請求項１９】
前記ディスク保持部材が前記ディスクを保持した状態で前記ディスク保持部材の動作を前記カートリッジ本体に固定支持するロック機構を更に有する請求項１から５、７、８、１２から１５、１８のいずれかに記載のディスクカートリッジ。
【請求項２０】
前記複数のディスク保持部材が前記ディスクを保持した状態で前記複数のディスク保持部材の動作を前記カートリッジ本体に固定支持するロック機構を前記複数のディスク保持部材のいずれかひとつを有する請求項６に記載のディスクカートリッジ。
【請求項２１】
前記ディスク保持部材が前記ディスクを解放した時、前記ディスクが前記ディスクカートリッジの収納部から脱落しないよう、前記ディスク保持部材が脱落防止部を更に有する請求項１から５、８、１２から１６、１８、１９のいずれかに記載のディスクカートリッジ。
【請求項２２】
前記ヘッド開口部は、前記カートリッジ本体の側面に達している請求項１から３のいずれかに記載のディスクカートリッジ。
【請求項２３】
前記ディスクの第２の面と接触する前記ディスク収納部の底部に、前記ディスクへの傷つきを防止する保護層が設けられている請求項１から３のいずれかに記載のディスクカートリッジ。
【請求項２４】
前記保護層は、傷つき防止用不織布、防塵用不織布、傷つき防止用コーティング層および防塵用コーティング層の中から選ばれる１つである請求項２３に記載のディスクカートリッジ。
【請求項２５】
前記シャッタが開閉する際、前記シャッタの前記ヘッド開口部を横切る側にブラシまたは塵埃払拭材を更に備える請求項１から３のいずれかに記載のディスクカートリッジ。
【請求項２６】
前記ディスクが前記ディスク収納部の底部に設けられた保護層に接している際、前記ディスクを回転させることにより前記ディスクの汚れを除去する請求項２３または２４に記載のディスクカートリッジ。
【請求項２７】
前記シャッタの開閉と前記ディスク保持部材の保持・解放動作とを連動させる前記ディスク収納部内に格納されたディスク保持連動部材を更に備える請求項１に記載のディスクカートリッジ。
【請求項２８】
前記シャッタは、前記チャッキング開口部の周りに回転摺動可能なように保持された略扇形状をしており、前記シャッタの開閉と前記ディスク保持部材の保持・解放動作とが連動している請求項１に記載のディスクカートリッジ。
【請求項２９】
前記ディスク保持部材は、少なくとも前記ディスクの第２の面の外周部近傍を前記ディスク収納部の底部、前記ディスク保持連動部材、あるいは前記シャッタに押し付けて保持する請求項２７または２８に記載のディスクカートリッジ。
【請求項３０】
前記ディスク保持部材を複数備え、前記複数のディスク保持部材のそれぞれは、前記ディスクの外周上にその一部が位置するように配置されている請求項２７から２９のいずれかに記載のディスクカートリッジ。
【請求項３１】
前記ディスク保持部材は前記ディスクと接する斜面を有しており、前記ディスク保持部材の斜面が前記ディスクの外周上方に張り出すよう前記ディスク保持部材を前記カートリッジ本体に配置することによって、前記斜面を前記ディスクの側面もしくは稜に当接させて前記ディスクを把持し、かつ、前記ディスクを前記ディスク収納部の底部へ押し付けて保持する請求項２７から３０のいずれかに記載のディスクカートリッジ。
【請求項３２】
前記ディスク保持部材は、カートリッジ本体と一体に成形されており、前記ディスクを保持または解放するよう変形し得る弾性部を有する請求項２７から３１のいずれかに記載のディスクカートリッジ。
【請求項３３】
前記ディスク保持部材が前記ディスクを解放した時、前記ディスクが前記ディスクカートリッジの収納部から脱落しないよう、前記ディスク保持部材が脱落防止部を更に有する請求項２７１から３０のいずれかに記載のディスクカートリッジ。
【請求項３４】
前記シャッタが前記ヘッド開口部を外部に対して開放する時に、前記ディスク保持部材が前記ディスクを開放する請求項２７から３３に記載のディスクカートリッジ。
【請求項３５】
前記ディスク保持連動部材が略扇形状である請求項２７に記載のディスクカートリッジ。
【請求項３６】
前記ディスク収納部は、前記ディスク収納部の底部となる第１の内側面と、前記ディスクを収納したときに前記ディスクの外周を囲む略円筒状の第２の内側面とを含む請求項１に記載のディスクカートリッジ。
【請求項３７】
前記シャッタが前記ディスクカートリッジの外側に設けられている請求項１から３のいずれかに記載のディスクカートリッジ。
【請求項３８】
前記シャッタが前記ディスク収納部の底部上に設けられている請求項２８に記載のディスクカートリッジ。
【請求項３９】
前記シャッタが前記チャッキング開口部を外部に対して開放または閉塞する請求項１から３のいずれかに記載のディスクカートリッジ。
【請求項４０】
前記シャッタが１つである請求項１から３のいずれかに記載のディスクカートリッジ。
【請求項４１】
第１および第２の面を有するディスクを回転可能なように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持されるシャッタと、を備えたディスクカートリッジ。
【請求項４２】
第１および第２の面を有するディスクを回転可能なように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記カートリッジ本体に対して移動可能なように支持されるシャッタと、
前記シャッタの開閉動作に連動して、前記シャッタが前記チャッキング開口部および前記ヘッド開口部を閉塞する際に、前記シャッタもしくは前記カートリッジ本体に対してディスクを固定するディスク保持部と、
を備えるディスクカートリッジ。
【請求項４３】
前記ディスク収納部は、前記ディスク収納部の底部となる第１の内側面と、前記ディスクを収納したときに前記ディスクの外周を囲む略円筒状の第２の内側面と、前記ディスクを出し入れするディスク開口部とを含み、前記ディスク収納部は、前記ディスク開口部から、前記ディスクの片面を外部に露出するように収納する請求項４１または４２に記載のディスクカートリッジ。
【請求項４４】
前記シャッタの開閉動作に連動して、前記シャッタが前記チャッキング開口部および前記ヘッド開口部を閉塞する際に、前記シャッタに対して前記ディスクを固定するディスク保持部を前記シャッタに有する請求項４１に記載のディスクカートリッジ。
【請求項４５】
前記ディスク保持部が前記シャッタの一部に設けられている請求項４２に記載のディスクカートリッジ。
【請求項４６】
前記ディスク保持部を複数有し、前記ディスクの外周近傍を保持するよう、前記シャッタに配置されている請求項４４または４５に記載のディスクカートリッジ。
【請求項４７】
前記ディスク保持部により前記ディスクを前記シャッタに面接触させる請求項４４から４６のいずれかに記載のディスクカートリッジ。
【請求項４８】
前記ディスク保持部は、逆テーパー状の斜面を有しており、前記斜面を前記ディスクの側面もしくは稜に当接させて前記ディスクを把持し、かつ、前記ディスクを前記シャッタに面接触させることでカートリッジ本体に対してディスクを保持する請求項４４から４７のいずれかに記載のディスクカートリッジ。
【請求項４９】
前記シャッタが前記チャッキング開口部と前記ヘッド開口部を閉塞する位置において、前記シャッタを前記カートリッジ本体に固定支持するロック機構を更に備える請求項４１から４３のいずれかに記載のディスクカートリッジ。
【請求項５０】
前記シャッタの動作を妨げないよう前記第２の内側面の一部分が切り欠かれている請求項４３に記載のディスクカートリッジ。
【請求項５１】
前記シャッタが前記チャッキング開口部および前記ヘッド開口部を外部に対して開放する際、前記シャッタの一部を収納するシャッタ収納部をカートリッジ本体に有する請求項４１から４３のいずれかに記載のディスクカートリッジ。
【請求項５２】
前記ディスク開口部から前記ディスクが脱落することを防止するための、前記ディスク開口部に突出した複数の脱落防止部を更に備えた請求項４３に記載のディスクカートリッジ。
【請求項５３】
前記複数の脱落防止部は、シャッタの開閉動作に連動して、ディスクカートリッジの厚み方向に移動する請求項５２に記載のディスクカートリッジ。
【請求項５４】
前記シャッタを複数有し、前記複数のシャッタが協同して前記チャッキング開口部および前記ヘッド開口部を外部に対して開放または閉塞する請求項４１から４８および５０から５３のいずれかに記載のディスクカートリッジ。
【請求項５５】
前記複数のシャッタが前記チャッキング開口部と前記ヘッド開口部を閉塞している状態において、前記複数のシャッタを前記カートリッジ本体に固定するロック機構が前記複数のシャッタのうちの一つに設けられている請求項５４に記載のディスクカートリッジ。
【請求項５６】
前記複数のシャッタのそれぞれが前記シャッタの厚み方向で部分的に重畳して前記チャッキング開口部と前記ヘッド開口部を閉塞する請求項５４に記載のディスクカートリッジ。
【請求項５７】
前記ディスクカートリッジの誤挿入防止機構を設けたことを特徴とする請求項１から３のいずれかに記載のディスクカートリッジ。
【請求項５８】
前記ヘッド開口部は、前記カートリッジ本体の側面に達している請求項４１から４３のいずれかに記載のディスクカートリッジ。
【請求項５９】
前記複数のシャッタは、前記ディスクカートリッジ本体に設けられた複数の回動軸に対してそれぞれ回動する請求項５４に記載のディスクカートリッジ。
【請求項６０】
前記複数の回動軸は、前記ディスクカートリッジ本体の前記ディスク収納部以外の領域に設けられている請求項５９に記載のディスクカートリッジ。
【請求項６１】
前記ヘッド開口部は、前記カートリッジ本体の側面に達しており、前記側面と対向する側面に近接して、前記複数の回動軸が設けられている請求項６０に記載のディスクカートリッジ。
【請求項６２】
前記複数のシャッタは、お互い連動しながら開閉する連動部をそれぞれ有する請求項５４に記載のディスクカートリッジ。
【請求項６３】
前記連動部は、前記複数のシャッタにそれぞれ設けられたカム形状部もしくは歯車形状部である請求項６２に記載のディスクカートリッジ。
【請求項６４】
前記連動部は、ベルトもしくはリンクである請求項６２に記載のディスクカートリッジ。
【請求項６５】
前記複数のシャッタを開放または閉塞の状態に保つように付勢する弾性部材を更に備える請求項５４に記載のディスクカートリッジ。
【請求項６６】
前記弾性部材は、前記ディスクカートリッジ本体の前記ディスク収納部以外の領域に設けられている請求項６５に記載のディスクカートリッジ。
【請求項６７】
前記弾性部材は、前記シャッタと一体に成形されている請求項６５または６６に記載のディスクカートリッジ。
【請求項６８】
前記複数の脱落防止部材は、着脱可能であり、かつ、前記カートリッジ本体と一体に成形されている請求項５２または５３に記載のディスクカートリッジ。
【請求項６９】
前記脱落防止部材は、前記カートリッジ本体に対して脱着可能に設けたことを特徴とする請求項５２または５３に記載のディスクカートリッジ。
【請求項７０】
前記シャッタの前記ディスクの第２の面と接触する領域に、前記ディスクへの傷つきを防止する保護層が設けられている請求項４７または４８に記載のディスクカートリッジ。
【請求項７１】
前記保護層は、傷つき防止用不織布、防塵用不織布、傷つき防止用コーティング層および防塵用コーティング層の中から選ばれる１つである請求項７０に記載のディスクカートリッジ。
【請求項７２】
前記ディスクが前記シャッタに面接触している際、前記ディスクを回転させることにより前記ディスクの汚れを除去する請求項７０または７１に記載のディスクカートリッジ。
【請求項７３】
前記シャッタが前記チャッキング開口部と前記ヘッド開口部を外部に対して開放または閉塞する開閉動作により、前記ディスクの汚れを除去する請求項７０または７１に記載のディスクカートリッジ。
【請求項７４】
前記誤挿入防止機構は、外部装置に前記ディスクカートリッジを挿入する方向に対して、非対称となるように前記カートリッジ本体の外側面に設けられた凸部もしくは凹部を含む請求項５７に記載のディスクカートリッジ。
【請求項７５】
前記ロック機構は、前記ディスクカートリッジ本体に形成されたロック孔と、前記シャッタが前記チャッキング開口部および前記ヘッド開口部を閉塞する位置で前記ロック孔と嵌合するよう前記シャッタに設けられたロック突起部とを含む請求項４９または５５に記載のディスクカートリッジ。
【請求項７６】
前記ロック突起部は、弾性部材を介して前記シャッタに設けられ、前記弾性部材により前記ロック突起部を前記ロック孔に付勢し嵌合させる請求項７５に記載のディスクカートリッジ。
【請求項７７】
前記ロック機構は、前記ディスクカートリッジ本体に形成されたロック孔と、前記シャッタが前記チャッキング開口部および前記ヘッド開口部を閉塞する位置で前記ロック孔と嵌合するロック突起部を有しており、前記ディスクカートリッジ本体に設けられたロックレバーと、前記ロックレバーに形成された第１の凸部もしくは第１の凹部と、前記閉塞位置で第１の凸部もしくは第１の凹部と嵌合するよう前記シャッタに形成された第２の凹部もしくは第２の凸部とを含む請求項４９または５５に記載のディスクカートリッジ。
【請求項７８】
前記ロックレバーは、弾性部材を介して前記ディスクカートリッジ本体に設けられており、前記弾性部材により前記ロック突起部を前記ロック孔に付勢し嵌合させ、また、前記第１の凸部もしくは第１の凹部を前記第２の凹部もしくは第２の凸部に付勢し嵌合させる請求項７７に記載のディスクカートリッジ。
【請求項７９】
前記ロック突起部と前記弾性部材は、前記シャッタと一体に成形されている請求項７６に記載のディスクカートリッジ。
【請求項８０】
前記ロックレバーと前記弾性部材は、前記ディスクカートリッジ本体と一体に成形されている請求項７８に記載のディスクカートリッジ。
【請求項８１】
前記シャッタは、前記シャッタが前記ディスクと面接触しながら前記チャッキング開口部および前記ヘッド開口部を閉塞している状態において、前記ディスクのセンターホール内に突出するよう前記シャッタに設けられた凸部を有し、前記凸部が前記シャッタの開放動作で前記ディスクの下面に当接しながら前記ディスクをカートリッジの厚み方向へ持ち上げ、前記ディスクと前記シャッタの面接触を解除する請求項４１から４３のいずれかに記載のディスクカートリッジ。
【請求項８２】
前記シャッタを複数有し、前記複数のシャッタは、前記複数のシャッタが前記ディスクと面接触しながら前記チャッキング開口部および前記ヘッド開口部を閉塞している状態において、前記ディスクのセンターホール内に突出するよう前期複数のシャッタにそれぞれ設けられた凸部を有し、前記凸部が前記シャッタの開放動作で前記ディスクの下面に当接しながら前記ディスクをカートリッジの厚み方向へ持ち上げ、前記ディスクと前記シャッタの面接触を解除する請求項４１から４３のいずれかに記載のディスクカートリッジ。
【請求項８３】
前記凸部は球面形状、円錐形状、リング形状あるいは複数個の球状形状から選択される１つからなる請求項８１に記載のディスクカートリッジ。
【請求項８４】
前記脱落防止部材が、前記シャッタと一体に形成されている請求項５３記載のディスクカートリッジ。
【請求項８５】
前記脱落防止部材は屈曲性部材もしくは弾性部材を介して、前記シャッタと一体に形成されている請求項８４に記載のディスクカートリッジ。
【請求項８６】
前記脱落防止部材は凸部もしくは凹部を有しており、前記脱落防止部材の凸部もしくは凹部と係合する案内凹部もしくは案内凸部を前記カートリッジ本体は前記カートリッジ本体の内側側壁もしくは内側上壁に備え、前記脱落防止部材が前記シャッタの開閉動作に連動して、前記ディスクカートリッジの厚み方向に移動する請求項８４または８５に記載のディスクカートリッジ。
【請求項８７】
前記脱落防止部材は、前記カートリッジ本体と一体に形成されている請求項５３に記載のディスクカートリッジ。
【請求項８８】
前記脱落防止部材は弾性部材を介して、前記カートリッジ本体と一体に形成されている請求項８７に記載のディスクカートリッジ。
【請求項８９】
前記脱落防止部材は、前記カートリッジ本体の一部分をスリットにより分割した弾性体である請求項８７に記載のディスクカートリッジ。
【請求項９０】
前記脱落防止部材は、第１の凸部もしくは第１の傾斜部を有し、前記シャッタは、第２の傾斜部もしくは第２の凸部を有しており、前記第１の凸部もしくは第１の傾斜部と前記第２の傾斜部もしくは第２の凸部とは互いに当接する、請求項８７から８９のいずれかに記載のディスクカートリッジ。
【請求項９１】
前記シャッタが前記チャッキング開口部および前記ヘッド開口部を開放する際、前記第１の凸部もしくは第１の傾斜部と前記第２の傾斜部もしくは第２の凸部とは互いに当接する請求項９０に記載のディスクカートリッジ。
【請求項９２】
前記第１の傾斜部近傍もしくは前記第２の傾斜部近傍に、前記第２の凸部もしくは前記第１の凸部が係合する凹部を有する請求項９１に記載のディスクカートリッジ。
【請求項９３】
前記脱落防止部材は、前記シャッタが前記チャッキング開口部と前記ヘッド開口部を閉塞する際に前記ディスクを厚み方向へ押圧して前記シャッタに面接触させることで前記カートリッジ本体に対して前記ディスクを保持する請求項８４または８７に記載のディスクカートリッジ。
【請求項９４】
前記シャッタを開閉する開閉レバーおよび前記複数のシャッタが前記チャッキング開口部および前記ヘッド開口部を閉塞する位置で前記シャッタを前記カートリッジ本体に固定支持するロック機構が前記複数のシャッタのうちのことなる２つにそれぞれ設けられている請求項５４に記載のディスクカートリッジ。
【請求項９５】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持されており、閉塞状態において、前記ディスクのセンターホールに対応する領域に孔を有するシャッタと、
前記シャッタに設けられており、前記シャッタが前記チャッキング開口部および前記ヘッド開口部を閉塞する際、前記シャッタに対して前記ディスク押し付けて前記ディスクを保持するディスク保持部と、
を備えたディスクカートリッジ。
【請求項９６】
前記シャッタに設けられた前記孔は前記ディスクのセンターホールとおおよそ同じ直径である請求項９５に記載のディスクカートリッジ。
【請求項９７】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持されているシャッタと、
前記シャッタに設けられており、前記シャッタが前記チャッキング開口部および前記ヘッド開口部を閉塞する際、前記シャッタに対して前記ディスク押し付けて前記ディスクを保持するディスク保持部と、
前記ディスク収納部の内側側面からディスクの中心へ向かって張り出し、かつ、前記シャッタが閉塞状態では前記ディスクの外縁部と当接する鍔と、
を備えたディスクカートリッジ。
【請求項９８】
前記シャッタが、閉塞状態において、前記ディスクのセンターホールに対応する領域に孔を有する請求項９７に記載のディスクカートリッジ。
【請求項９９】
前記鍔は前記ディスクの第２の面と当接する請求項９７または９８に記載のディスクカートリッジ。
【請求項１００】
前記シャッタが前記チャッキング開口部および前記ヘッド開口部を外部に対して開放する状態において、前記鍔と前記ディスク収納部の内側下面との間に前記シャッタの一部を収納する空隙を前記カートリッジ本体が備えている請求項９７または９８に記載のディスクカートリッジ。
【請求項１０１】
前記シャッタが前記チャッキング開口部および前記ヘッド開口部を外部に対して閉塞する状態において、前記ディスクの第２の面に接触する凸部を前記シャッタの前記孔の周囲に有する請求項９８に記載のディスクカートリッジ。
【請求項１０２】
前記シャッタが閉塞した状態において前記ディスクの第２の面と前記シャッタと空隙を埋める凸部を前記シャッタに有する請求項１００に記載のディスクカートリッジ。
【請求項１０３】
前記凸部は、前記シャッタが前記チャッキング開口部および前記ヘッド開口部を外部に対して開放する状態において、前記鍔よりも前記ディスク収納部の中心側に位置する領域に設けられている請求項１０２に記載のディスクカートリッジ。
【請求項１０４】
前記凸部は、前記ディスクへの傷つきを防止する保護層である請求項１０２に記載のディスクカートリッジ。
【請求項１０５】
前記鍔上に前記ディスクへの傷つきを防止する保護層が設けられている請求項９７または９８に記載のディスクカートリッジ。
【請求項１０６】
前記保護層は、傷つき防止用不織布、防塵用不織布、傷つき防止用コーティング層および防塵用コーティング層の中から選ばれる１つである請求項１０４または１０５に記載のディスクカートリッジ。
【請求項１０７】
前記凸部は前記シャッタと一体に形成されている請求項１０１または１０２に記載のディスクカートリッジ。
【請求項１０８】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された１対のシャッタと、
前記シャッタに設けられており、前記シャッタが前記チャッキング開口部および前記ヘッド開口部を閉塞する際、前記シャッタに対して前記ディスク押し付けて前記ディスクを保持するディスク保持部と、
を備え、前記ヘッド開口部は前記カートリッジ本体の側面に達して設けられており、前記シャッタを開閉するために前記シャッタに設けられた操作部を前記ヘッド開口部内に有するディスクカートリッジ。
【請求項１０９】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持するディスク保持部と、
を備え、前記一対のシャッタは互いに当接する第１および第２の接合面をそれぞれ有し、前記第１および第２の接合面は一直線上にないディスクカートリッジ。
【請求項１１０】
前記第１および第２の接合面は前記ディスクの厚み方向に対して傾いており、互いに重畳している請求項１０９に記載のディスクカートリッジ。
【請求項１１１】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
を備え、前記複数のディスク保持部の少なくとも１つは、前記一対のシャッタの一方に対して前記ディスク収納部の中心へ向かう方向に移動可能であるディスクカートリッジ。
【請求項１１２】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持する逆テーパー状の斜面を有する複数のディスク保持部と、
前記ディスク収納部から前記ディスクが脱落するのを防止するためのディスク当接面を有し、前記ディスク上方に突出するよう前記カートリッジ本体に設けられた複数の脱落防止部材と
を備え、前記ディスク保持部の斜面の一部が前記脱落防止部材の当接面よりも上方に位置しているディスクカートリッジ。
【請求項１１３】
前記一対のシャッタが、閉塞状態において互いにロックされる請求項１０８から１１２にいずれかに記載のディスクカートリッジ。
【請求項１１４】
前記一対のシャッタが閉塞している状態において、前記一対のシャッタの位置を規制するためのシャッタ当接部を更に有する請求項１０８から１１３にいずれかに記載のディスクカートリッジ。
【請求項１１５】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
を備え、前記ディスク保持部は、第１の高さを有する第１の領域と、第１の高さよりも低い第２の高さを有する第２の領域とを備えており、
前記カートリッジ本体の上面において、前記シャッタの開閉時に前記ディスク保持部の第１の領域が通過する領域は、前記第１の領域の先端部分を受けるよう窪んでおり、前記第２の領域が通過する領域よりも薄くなっているディスクカートリッジ。
【請求項１１６】
前記第１の領域は、前記シャッタが閉じるときに、前記第２の領域よりも早く前記ディスクに当接する請求項１１５に記載のディスクカートリッジ。
【請求項１１７】
第１および第２の面を有するディスクを回転可能な状態で、かつ、前記ディスクの第１の面を外部に露出するように収納し、前記ディスクを出し入れするディスク開口部を有するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
前記ディスク開口部へ突出した状態と前記ディスク開口部へ突出しない状態とをとり得るように前記カートリッジ本体に移動可能な状態で保持されている脱落防止部材と、
を備えたディスクカートリッジ。
【請求項１１８】
前記脱落防止部材は、前記カートリッジ本体の上面に対して平行な面において移動し得る請求項１１７に記載のディスクカートリッジ。
【請求項１１９】
前記脱落防止部材は、前記カートリッジ本体の上面において、回転しうる請求項１１８に記載のディスクカートリッジ。
【請求項１２０】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
前記シャッタが閉塞してディスクが保持されているときに、ディスクの前記第２の面の外周部と接するよう前記ディスク収納部の内側下面の内周に設けられたディスク受け部と、
を備えたディスクカートリッジ。
【請求項１２１】
前記ディスク受け部は、少なくとも前記ディスク収納部の内側下面と平行な領域を有し、ディスクの他方の面と接する請求項１２０に記載にディスクカートリッジ。
【請求項１２２】
前記ディスク受け部は、前記ディスク収納部の内側側面と内側下面とに渡って設けられたテーパーであり、前記シャッタが閉塞してディスクが保持されているときに、ディスクの外周のエッジが前記ディスク受け部に当接する請求項１２０に記載のディスクカートリッジ。
【請求項１２３】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
を備え、前記シャッタの開閉時に、前記ディスク保持部の底部が通過する第１の領域を前記ディスク収納部の内側下面は含んでおり、前記第１の領域は凹部になっているディスクカートリッジ。
【請求項１２４】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
を備え、前記シャッタの閉塞時に、前記シャッタの外周近傍に位置する第２の領域を前記ディスク収納部の内側下面は含んでおり、前記第２の領域は凹部になっているディスクカートリッジ。
【請求項１２５】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
を備え、前記チャッキング開口部および前記ヘッド開口部の周辺ならびに／または、前記ディスク収納部の内側側面近傍に位置する第３の領域を前記ディスク収納部の内側下面は含んでおり、前記第３の領域は凹部になっているディスクカートリッジ。
【請求項１２６】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持されたシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
前記シャッタを開放または閉塞するための第１および第２の操作部と、
を備えたディスクカートリッジ。
【請求項１２７】
前記第１および第２の操作部は、前記カートリッジ本体の第１および第２の側面にそれぞれ設けられている請求項１２６に記載のディスクカートリッジ。
【請求項１２８】
前記第１および第２の側面は隣接している請求項１２７に記載のディスクカートリッジ。
【請求項１２９】
前記第１の操作部は前記シャッタに接続された突起であって、前記第１の操作部を前記第１の側面の一部に沿ってスライドさせることにより前記シャッタを開閉し得る請求項１２８に記載のディスクカートリッジ。
【請求項１３０】
前記第２の操作部は前記シャッタに係合された回転部材であって、前記第２の操作部を回転させることにより前記シャッタを開閉し得る請求項１２９に記載のディスクカートリッジ。
【請求項１３１】
前記第２の操作部は前記シャッタに係合されたスライドリンク部材であって、前記第２の操作部を前記第２の側面に沿ってスライドさせることにより前記シャッタを開閉し得る請求項１２９に記載のディスクカートリッジ。
【請求項１３２】
前記第２の操作部は前記シャッタに接続されたベルト部材であって、前記第２の操作部を前記第２の側面に沿ってスライドさせることにより前記シャッタを開閉し得る請求項１２９に記載のディスクカートリッジ。
【請求項１３３】
前記シャッタを一対含む請求項１２６から１３２のいずれかに記載のディスクカートリッジ。
【請求項１３４】
前記第１および第２の操作部は前記一対のシャッタのそれぞれ接続または係合されている請求項１３３に記載のディスクカートリッジ。
【請求項１３５】
第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
前記シャッタが閉塞した状態で前記ディスクが回転するのを防止するために、前記複数のディスク保持部の少なくも１つに設けられた、回転防止部材と、
を備えたディスクカートリッジ。
【請求項１３６】
前記回転防止部材は摩擦係数の高い材料からなり、前記シャッタが閉塞した状態で前記ディスクに当接するよう前記複数のディスク保持部の少なくも１つに設けられた請求項１３５に記載のディスクカートリッジ。
【請求項１３７】
前記回転防止部材はゴムからなる請求項１３６に記載のディスクカートリッジ。
【請求項１３８】
ディスク開口部を有し、第１および第２の面を有するディスクを回転可能な状態で、かつ、前記ディスクディスク開口部から前記第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、
前記チャッキング開口部および前記ヘッド開口部を外部に対して開放または閉塞するように、前記ディスクの第２の面と前記ディスク収納部の底部との間において、前記カートリッジ本体に対して移動可能なように支持された１対のシャッタと、
前記シャッタに設けられており、前記シャッタが前記チャッキング開口部および前記ヘッド開口部を閉塞する際、前記シャッタに対して前記ディスク押し付けて前記ディスクを保持する複数のディスク保持部と、
前記ディスク開口部へ少なくともその一部が突出するように前記カートリッジ本体に設けられた少なくとも１つの脱落防止部材と、
を備え、前記ヘッド開口部は前記カートリッジ本体の側面に達して設けられており、前記シャッタを開閉するために前記シャッタに設けられた操作部を前記ヘッド開口部内に有するディスクカートリッジ。
【請求項１３９】
前記一対のシャッタは互いに当接する第１および第２の接合面をそれぞれ有し、前記第１および第２の接合面は一直線上にない請求項１３８に記載のディスクカートリッジ。
【請求項１４０】
前記第１および第２の接合面は前記ディスクの厚み方向に対して傾いており、互いに重畳している請求項１３９に記載のディスクカートリッジ。
【請求項１４１】
前記一対のシャッタのうちの一方の前記第１の接合面は他方の前記第１の接合面よりも上に位置しており、前記一方の第２の接合面は前記他方の第２の接合面よりも下に位置している請求項１４０に記載のディスクカートリッジ。
【請求項１４２】
前記一対シャッタは、閉塞状態において、前記ディスクのセンターホールに対応する領域に孔を有する請求項１３９に記載のディスクカートリッジ。
【請求項１４３】
前記一対シャッタに設けられた孔は、前記ディスクのセンターホールとおおよそ同じ直径である請求項１４２に記載のディスクカートリッジ。
【請求項１４４】
前記複数のディスク保持部は、前記一対のシャッタのそれぞれ両端に設けられており、各ディスク保持部は、逆テーパー状の斜面を有している、請求項１４２に記載のディスクカートリッジ。
【請求項１４５】
前記複数のディスク保持部のうち、少なくとも１つは、前記ディスクの中心に向かう方向へ移動可能なように設けられている請求項１４４に記載のディスクカートリッジ。
【請求項１４６】
前記複数のディスク保持部のそれぞれは、第１の高さを有する第１の領域と、第１のたかさよりも低い第２の高さを有する第２の領域とを含んでおり、前記カートリッジ本体の上面において、前記シャッタの開閉時に前記ディスク保持部の第１の領域が通過する領域は、前記第１の領域の先端部分を受けるよう窪んでおり、前記第２の領域が通過する領域よりも薄くなっている請求項１４４に記載のディスクカートリッジ。
【請求項１４７】
前記第１の領域は、前記シャッタが閉じるときに、前記第２の領域よりも早く前記ディスクに当接する請求項１４６に記載のディスクカートリッジ。
【請求項１４８】
前記脱落防止部材はディスク１００と当接する当接面を有し、前記複数のディスク保持部の少なくとも１つの前記斜面は、その一部が前記脱落防止部材の当接面よりも上方に位置している請求項１４４に記載のディスクカートリッジ。
【請求項１４９】
前記一対のシャッタは、前記ディスクカートリッジ本体に設けられた一対の回動軸に対してそれぞれ回動する請求項１４８に記載のディスクカートリッジ。
【請求項１５０】
前記一対のシャッタは、お互い連動しながら開閉する連動部をそれぞれ有する請求項１４９に記載のディスクカートリッジ。
【請求項１５１】
前記一対のシャッタを閉塞した状態に保つように付勢する弾性部材を更に備える請求項１５０に記載のディスクカートリッジ。
【発明の詳細な説明】
技術分野
本発明は、光ディスク、磁気ディスク等のディスク状の信号記録媒体を、回転可能な状態で収納するディスクカートリッジに関する。
背景技術
従来より、ディスク状の信号記録媒体を保持するためのディスクカートリッジが提案されている。
例えば、特開平９−１５３２６４号公報は、片面もしくは両面に信号記録面を有するディスク状の記録媒体（以下ディスクと称する）が、上ハーフおよび下ハーフからなるカートリッジ本体の内部に設けたディスク収納部の中に、完全に覆われた形で収納されるディスクカートリッジを開示している。このカートリッジ本体には、スピンドルモータのターンテーブルおよびクランパーがディスクをチャッキングするためのチャッキング開口部と、ヘッドがディスクに対して信号の再生および記録を行うためのヘッド開口部が形成されている。チャッキング開口部とヘッド開口部とは連なっており、カートリッジを携帯して搬送する際、これらの開口部から埃が侵入したりディスクに指紋が付着したりしやすい。このため、これらの開口部を覆うシャッタがディスクカートリッジに形成されている。
しかし、この構造のディスクカートリッジの場合、ディスクカートリッジをディスク装置に挿入してディスクに対して記録再生を行うために、ディスク回転時の面ぶれ、ディスクの反り、およびカートリッジのディスク装置への位置決め誤差を許容するための空間を、上ハーフと下ハーフとの間に形成されるディスクを収納する空間に確保する必要が生じる。このため、カートリッジ本体の厚みが大きくなってしまうという問題点を有していた。
また、下ハーフにはスピンドルモータのターンテーブル用の開口部とヘッド開口部とが設けられ、上ハーフにはクランパー用の開口部が設けられているため、これらを同時に塞ぐためのシャッタは、上ハーフから下ハーフにかけて連なるコの字形状を備えている必要がある。しかし、このような形状のシャッタは高価であるため、ディスクカートリッジの製造コストを上昇させる結果となっていた。
さらに、金属ハブの付いたディスクの場合は磁力によりガタつきの無いように吸引することも可能であるが、ＣＤやＤＶＤといったハブの無い光ディスクの場合、一般にディスクはカートリッジ内で固定されずにフリーの状態にある。このため、ディスク装置内でシャッタが開き、開口部からカートリッジ内に侵入した埃がディスクに付着するという問題点も有していた。また、ディスクのガタつきによりディスクの信号記録面が傷ついたり、ディスクとカートリッジ内壁との衝突により、粉塵を生じ、その粉塵がディスクに付着するという問題点も有していた。
発明の開示
本発明は上記課題を解決し、特に片面のみに記録面を有するディスクを収納するカートリッジにおいて、厚みを薄くし、シンプルなシャッタ構成としてディスクカートリッジのコストを低減することを目的とする。また、ディスクをディスクカートリッジ内で保持しガタつきを無くし、ディスクへの埃の付着を低減し、さらに露出したディスクレーベル面を利用することによりデザイン的に優れたディスクカートリッジを提供することを目的とする。
本発明のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、少なくとも前記ヘッド開口部を外部に対して開放または閉塞するように前記カートリッジ本体に対して移動可能なように支持されるシャッタと前記ディスクを前記カートリッジ本体に対して保持または解放するディスク保持部材とを備えている。
前記ディスク保持部材は、前記ディスクの第２の面を前記ディスク収納部の底部に押し付けて保持することが好ましい。また、前記ディスク保持部材は、前記ディスクの第２の面のうち、少なくとも外周部近傍を前記ディスク収納部の底部に接触させることが好ましい。
ある実施形態において、前記ディスクカートリッジは、前記ディスク保持部材を複数備え、前記複数のディスク保持部材のそれぞれは、前記ディスクの外周上にその一部が位置するように配置されている。前記複数のディスク保持部材のうち、少なくとも２つは同形状であってもよい。前記複数のディスク保持部材は、互いに連動して前記ディスクを保持または解放する動作を行ってもよい。
ある実施形態において、前記ディスク保持部材は、弾性部材からなる楕円状のリングであり、前記リングは、前記ディスクの直径より大きい内径を有するように変形可能である。
前記ディスク保持部材は、前記ディスクと接する斜面を有しており、前記ディスク保持部材の斜面が前記ディスクの外周上方に張り出すよう前記ディスク保持部材を前記カートリッジ本体に配置することによって、前記斜面を前記ディスクの側面もしくは稜に当接させて前記ディスクを把持し、かつ、前記ディスクを前記ディスク収納部の底部へ押し付けて保持することが好ましい。
ある実施形態において、前記ディスクカートリッジは、前記ディスクカートリッジがディスクドライブ装置に装着される際、前記ディスクドライブ装置に設けられた装着位置を位置決めする位置決めピンが係合する一対の位置決め孔を前記カートリッジ本体に有する。
また、ある実施形態において、前記ディスクカートリッジは、ディスクドライブ装置に設けられた凸部と係合し、前記ディスクカートリッジの誤挿入を防止する凹部を前記ディスクカートリッジ本体に有する。
また、ある実施形態において、前記ディスクカートリッジは、前記ディスクカートリッジがディスクドライブ装置に挿入される際、前記ディスクドライブ装置に設けられた凸部と係合する凹部を前記ディスクカートリッジ本体に有する。
前記ディスクカートリッジがディスクドライブ装置に装着され、位置決めされる際、前記ディスク保持部材が前記ディスクを保持状態から解放状態に移行させてもよい。
前記ディスクカートリッジの位置決め孔に対する前記ディスクドライブ装置の位置決めピンの係合に連動して、前記ディスク保持部材が前記ディスクを保持する状態から解放する状態に移行させてもよい。
前記ディスクドライブ装置に設けられた前記ディスクカートリッジ誤挿入防止用の凸部と前記ディスクカートリッジに設けられた前記凹部との係合に連動して、前記ディスク保持部材が前記ディスクを保持する状態から解放する状態に移行させてもよい。
前記ディスクドライブ装置に設けられた凸部と前記ディスクカートリッジの前記凹部との係合に連動して、前記ディスク保持部材が前記ディスクを保持する状態から解放する状態に移行させてもよい。
前記ディスクをそれぞれ２箇所において保持する一対のディスク保持部材を備え、前記一対のディスク保持部材のそれぞれは、前記ディスクドライブ装置に設けられた一対の位置決めピンの一方と係合して、前記ディスク保持部材の２箇所において実質的に同時に前記ディスクの保持・解放動作を行ってもよい。
前記シャッタは前記ディスク保持部材と係合する部材を有し、前記シャッタの閉塞・開放動作に連動して前記ディスクを保持する状態から解放する状態に移行させてもよい。
前記ディスク保持部材は、前記カートリッジ本体と一体に成形され、変形可能な弾性部を有しており、前記弾性部の変形によって前記ディスクを保持または開放してもよい。
ある実施形態において、前記ディスクカートリッジは、前記ディスク保持部材が前記ディスクを保持した状態で前記ディスク保持部材の動作を前記カートリッジ本体に固定支持するロック機構を更に有する。
ある実施形態において、前記ディスクカートリッジは、前記複数のディスク保持部材が前記ディスクを保持した状態で前記複数のディスク保持部材の動作を前記カートリッジ本体に固定支持するロック機構を前記複数のディスク保持部材のいずれかひとつに有する。
ある実施形態において、前記ディスクカートリッジは、前記ディスク保持部材が前記ディスクを解放した時、前記ディスクが前記ディスクカートリッジの収納部から脱落しないよう、前記ディスク保持部材が脱落防止部を更に有する。
ある実施形態において、前記ヘッド開口部は、前記カートリッジ本体の側面に達している。
ある実施形態において、前記ディスクカートリッジは、前記ディスクの第２の面と接触する前記ディスク収納部の底部に、前記ディスクへの傷つきを防止する保護層を有している。前記保護層は、傷つき防止用不織布、防塵用不織布、傷つき防止用コーティング層および防塵用コーティング層の中から選ばれる１つであることが好ましい。
ある実施形態において、前記ディスクカートリッジは、前記シャッタが開閉する際、前記シャッタの前記ヘッド開口部を横切る側にブラシまたは塵埃払拭材を更に備えている。
ある実施形態において、前記ディスクが前記ディスク収納部の底部に設けられた保護層に接している際、前記ディスクを回転させることにより前記ディスクの汚れを除去する。
ある実施形態において、前記ディスクカートリッジは、前記シャッタの開閉と前記ディスク保持部材の保持・解放動作とを連動させる前記ディスク収納部内に格納されたディスク保持連動部材を更に備えている。
ある実施形態において、前記シャッタは、前記チャッキング開口部の周りに回転摺動可能なように保持された略扇形状をしており、前記シャッタの開閉と前記ディスク保持部材の保持・解放動作とが連動している。
前記ディスク保持部材は、少なくとも前記ディスクの第２の面の外周部近傍を前記ディスク収納部の底部、前記ディスク保持連動部材、あるいは前記シャッタに押し付けて保持することが好ましい。
あるじっしけいたいにおいて、前記ディスクカートリッジは、前記ディスク保持部材を複数備え、前記複数のディスク保持部材のそれぞれは、前記ディスクの外周上にその一部が位置するように配置されている。
前記ディスク保持部材は前記ディスクと接する斜面を有しており、前記ディスク保持部材の斜面が前記ディスクの外周上方に張り出すよう前記ディスク保持部材を前記カートリッジ本体に配置することによって、前記斜面を前記ディスクの側面もしくは稜に当接させて前記ディスクを把持し、かつ、前記ディスクを前記ディスク収納部の底部へ押し付けて保持することが好ましい。
ある実施形態において、前記ディスク保持部材は、カートリッジ本体と一体に成形されており、前記ディスクを保持または解放するよう変形し得る弾性部を有している。
ある実施形態において、前記ディスク保持部材が前記ディスクを解放した時、前記ディスクが前記ディスクカートリッジの収納部から脱落しないよう、前記ディスク保持部材が脱落防止部を更に有している。
ある実施形態において、前記シャッタが前記ヘッド開口部を外部に対して開放する時に、前記ディスク保持部材が前記ディスクを開放する。
ある実施形態において、前記ディスク保持連動部材は略扇形状である。
ある実施形態において、前記ディスク収納部は、前記ディスク収納部の底部となる第１の内側面と、前記ディスクを収納したときに前記ディスクの外周を囲む略円筒状の第２の内側面とを含んでいる。
ある実施形態において、前記シャッタは前記ディスクカートリッジの外側に設けられている。
ある実施形態において、前記シャッタは前記ディスク収納部の底部上に設けられている。
ある実施形態において、前記シャッタは前記チャッキング開口部を外部に対して開放または閉塞する。
ある実施形態において、前記シャッタは１つである。
本発明の他のディスクカートリッジは、第１および第２の面を有するディスクを回転可能なように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持されるシャッタとを備えている。
また、本発明の他のディスクカートリッジは、第１および第２の面を有するディスクを回転可能なように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記カートリッジ本体に対して移動可能なように支持されるシャッタと、前記シャッタの開閉動作に連動して、前記シャッタが前記チャッキング開口部および前記ヘッド開口部を閉塞する際に、前記シャッタもしくは前記カートリッジ本体に対してディスクを固定するディスク保持部とを備えている。
ある実施形態において、前記ディスク収納部は、前記ディスク収納部の底部となる第１の内側面と、前記ディスクを収納したときに前記ディスクの外周を囲む略円筒状の第２の内側面と、前記ディスクを出し入れするディスク開口部とを含み、前記ディスク収納部は前記ディスク開口部から、前記ディスクの片面を外部に露出するように収納する。
ある実施形態において、前記ディスクカートリッジは、前記シャッタの開閉動作に連動して、前記シャッタが前記チャッキング開口部および前記ヘッド開口部を閉塞する際に、前記シャッタに対して前記ディスクを固定するディスク保持部を前記シャッタに有している。
ある実施形態において、前記ディスク保持部は前記シャッタの一部に設けられている。
ある実施形態において、前記ディスクカートリッジは、前記ディスク保持部を複数有し、前記ディスクの外周近傍を保持するよう、前記シャッタに配置されている。
ある実施形態において、前記ディスク保持部は前記ディスクを前記シャッタに面接触させている。
ある実施形態において、前記ディスク保持部は、逆テーパー状の斜面を有しており、前記斜面を前記ディスクの側面もしくは稜に当接させて前記ディスクを把持し、かつ、前記ディスクを前記シャッタに面接触させることでカートリッジ本体に対してディスクを保持している。
ある実施形態において、前記ディスクカートリッジは、前記シャッタが前記チャッキング開口部と前記ヘッド開口部を閉塞する位置において、前記シャッタを前記カートリッジ本体に固定支持するロック機構を更に備えている。前記シャッタの動作を妨げないよう前記第２の内側面の一部分が切り欠かれていることが好ましい。
ある実施形態において、前記ディスクカートリッジは、前記シャッタが前記チャッキング開口部および前記ヘッド開口部を外部に対して開放する際、前記シャッタの一部を収納するシャッタ収納部をカートリッジ本体に有する。
ある実施形態において、前記ディスクカートリッジは、前記ディスク開口部から前記ディスクが脱落することを防止するための、前記ディスク開口部に突出した複数の脱落防止部を更に備えている。前記複数の脱落防止部は、シャッタの開閉動作に連動して、ディスクカートリッジの厚み方向に移動してもよい。
ある実施形態において、前記ディスクカートリッジは、前記シャッタを複数有し、前記複数のシャッタが協同して前記チャッキング開口部および前記ヘッド開口部を外部に対して開放または閉塞してもよい。
ある実施形態において、前記複数のシャッタが前記チャッキング開口部と前記ヘッド開口部を閉塞している状態において、前記複数のシャッタを前記カートリッジ本体に固定するロック機構が前記複数のシャッタのうちの一つに設けられている。
ある実施形態において、前記複数のシャッタのそれぞれが前記シャッタの厚み方向で部分的に重畳して前記チャッキング開口部と前記ヘッド開口部を閉塞する。
ある実施形態において、前記ディスクカートリッジは、前記ディスクカートリッジの誤挿入防止機構を有している。
ある実施形態において、前記ヘッド開口部は、前記カートリッジ本体の側面に達している。
ある実施形態において、前記複数のシャッタは、前記ディスクカートリッジ本体に設けられた複数の回動軸に対してそれぞれ回動する。前記複数の回動軸は、前記ディスクカートリッジ本体の前記ディスク収納部以外の領域に設けられていることが好ましい。また、前記ヘッド開口部は、前記カートリッジ本体の側面に達しており、前記側面と対向する側面に近接して、前記複数の回動軸が設けられていてもよい。
ある実施形態において、前記複数のシャッタは、お互い連動しながら開閉する連動部をそれぞれ有している。前記連動部は、前記複数のシャッタにそれぞれ設けられたカム形状部もしくは歯車形状部であってもよい。前記連動部は、ベルトもしくはリンクであってもよい。
ある実施形態において、前記ディスクカートリッジは、前記複数のシャッタを開放または閉塞の状態に保つように付勢する弾性部材を更に備えている。前記弾性部材は、前記ディスクカートリッジ本体の前記ディスク収納部以外の領域に設けられていることが好ましい。前記弾性部材は、前記シャッタと一体に成形されていてもよい。
ある実施形態において、前記複数の脱落防止部材は、着脱可能であり、かつ、前記カートリッジ本体と一体に成形されていてもよい。
ある実施形態において、前記脱落防止部材は、前記カートリッジ本体に対して脱着可能に設けられている。
ある実施形態において、前記ディスクカートリッジは、前記シャッタの前記ディスクの第２の面と接触する領域に、前記ディスクへの傷つきを防止する保護層を備えている。前記保護層は、傷つき防止用不織布、防塵用不織布、傷つき防止用コーティング層および防塵用コーティング層の中から選ばれる１つであることが好ましい。
ある実施形態において、前記ディスクが前記シャッタに面接触している際、前記ディスクを回転させることにより前記ディスクの汚れを除去する。あるいは、前記シャッタが前記チャッキング開口部と前記ヘッド開口部を外部に対して開放または閉塞する開閉動作により、前記ディスクの汚れを除去する。
ある実施形態において、前記誤挿入防止機構は、外部装置に前記ディスクカートリッジを挿入する方向に対して、非対称となるように前記カートリッジ本体の外側面に設けられた凸部もしくは凹部を含んでいる。
ある実施形態において、前記ロック機構は、前記ディスクカートリッジ本体に形成されたロック孔と、前記シャッタが前記チャッキング開口部および前記ヘッド開口部を閉塞する位置で前記ロック孔と嵌合するよう前記シャッタに設けられたロック突起部とを含んでいる。
ある実施形態において、前記ロック突起部は、弾性部材を介して前記シャッタに設けられ、前記弾性部材により前記ロック突起部を前記ロック孔に付勢し嵌合させる請求項７５に記載のディスクカートリッジ。
ある実施形態において、前記ロック機構は、前記ディスクカートリッジ本体に形成されたロック孔と、前記シャッタが前記チャッキング開口部および前記ヘッド開口部を閉塞する位置で前記ロック孔と嵌合するロック突起部を有しており、前記ディスクカートリッジ本体に設けられたロックレバーと、前記ロックレバーに形成された第１の凸部もしくは第１の凹部と、前記閉塞位置で第１の凸部もしくは第１の凹部と嵌合するよう前記シャッタに形成された第２の凹部もしくは第２の凸部とを含んでいる。
前記ロックレバーは、弾性部材を介して前記ディスクカートリッジ本体に設けられており、前記弾性部材により前記ロック突起部を前記ロック孔に付勢し嵌合させ、また、前記第１の凸部もしくは第１の凹部を前記第２の凹部もしくは第２の凸部に付勢し嵌合させてもよい。また、前記ロック突起部と前記弾性部材は、前記シャッタと一体に成形されていてもよい。前記ロックレバーと前記弾性部材は、前記ディスクカートリッジ本体と一体に成形されていてもよい。
ある実施形態において、前記シャッタは、前記シャッタが前記ディスクと面接触しながら前記チャッキング開口部および前記ヘッド開口部を閉塞している状態において、前記ディスクのセンターホール内に突出するよう前記シャッタに設けられた凸部を有し、前記凸部が前記シャッタの開放動作で前記ディスクの下面に当接しながら前記ディスクをカートリッジの厚み方向へ持ち上げ、前記ディスクと前記シャッタの面接触を解除する。
ある実施形態において、前記ディスクカートリッジは前記シャッタを複数有し、前記複数のシャッタは、前記複数のシャッタが前記ディスクと面接触しながら前記チャッキング開口部および前記ヘッド開口部を閉塞している状態において、前記ディスクのセンターホール内に突出するよう前期複数のシャッタにそれぞれ設けられた凸部を有し、前記凸部が前記シャッタの開放動作で前記ディスクの下面に当接しながら前記ディスクをカートリッジの厚み方向へ持ち上げ、前記ディスクと前記シャッタの面接触を解除する。
前記凸部は球面形状、円錐形状、リング形状あるいは複数個の球状形状から選択される１つであってもよい。
ある実施形態において、前記脱落防止部材は、前記シャッタと一体に形成されている。前記脱落防止部材は屈曲性部材もしくは弾性部材を介して、前記シャッタと一体に形成されていてもよい。前記脱落防止部材は凸部もしくは凹部を有しており、前記脱落防止部材の凸部もしくは凹部と係合する案内凹部もしくは案内凸部を前記カートリッジ本体は前記カートリッジ本体の内側側壁もしくは内側上壁に備え、前記脱落防止部材が前記シャッタの開閉動作に連動して、前記ディスクカートリッジの厚み方向に移動してもよい。
ある実施形態において、前記脱落防止部材は、前記カートリッジ本体と一体に形成されている。前記脱落防止部材は弾性部材を介して、前記カートリッジ本体と一体に形成されていてもよい。前記脱落防止部材は、前記カートリッジ本体の一部分をスリットにより分割した弾性体であってもよい。前記脱落防止部材は、第１の凸部もしくは第１の傾斜部を有し、前記シャッタは、第２の傾斜部もしくは第２の凸部を有しており、前記第１の凸部もしくは第１の傾斜部と前記第２の傾斜部もしくは第２の凸部とは互いに当接してもよい。
また、前記シャッタが前記チャッキング開口部および前記ヘッド開口部を開放する際、前記第１の凸部もしくは第１の傾斜部と前記第２の傾斜部もしくは第２の凸部とは互いに当接してもよい。
前記第１の傾斜部近傍もしくは前記第２の傾斜部近傍に、前記第２の凸部もしくは前記第１の凸部が係合する凹部を有していてもよい。
ある実施形態において、前記脱落防止部材は、前記シャッタが前記チャッキング開口部と前記ヘッド開口部を閉塞する際に前記ディスクを厚み方向へ押圧して前記シャッタに面接触させることで前記カートリッジ本体に対して前記ディスクを保持している。
する請求項８４または８７に記載のディスクカートリッジ。
ある実施形態において、前記シャッタを開閉する開閉レバーおよび前記複数のシャッタが前記チャッキング開口部および前記ヘッド開口部を閉塞する位置で前記シャッタを前記カートリッジ本体に固定支持するロック機構が前記複数のシャッタのうちのことなる２つにそれぞれ設けられている。
本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持されており、閉塞状態において、前記ディスクのセンターホールに対応する領域に孔を有するシャッタと、前記シャッタに設けられており、前記シャッタが前記チャッキング開口部および前記ヘッド開口部を閉塞する際、前記シャッタに対して前記ディスク押し付けて前記ディスクを保持するディスク保持部とを備えている。
ある実施形態において、前記シャッタに設けられた前記孔は前記ディスクのセンターホールとおおよそ同じ直径である。
また、本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持されているシャッタと、前記シャッタに設けられており、前記シャッタが前記チャッキング開口部および前記ヘッド開口部を閉塞する際、前記シャッタに対して前記ディスク押し付けて前記ディスクを保持するディスク保持部と、前記ディスク収納部の内側側面からディスクの中心へ向かって張り出し、かつ、前記シャッタが閉塞状態では前記ディスクの外縁部と当接する鍔とを備えている。
ある実施形態において、前記シャッタは、閉塞状態において、前記ディスクのセンターホールに対応する領域に孔を有する。前記鍔は前記ディスクの第２の面と当接してもよい。前記シャッタが前記チャッキング開口部および前記ヘッド開口部を外部に対して開放する状態において、前記鍔と前記ディスク収納部の内側下面との間に前記シャッタの一部を収納する空隙を前記カートリッジ本体が備えていてもよい。
ある実施形態において、前記シャッタが前記チャッキング開口部および前記ヘッド開口部を外部に対して閉塞する状態において、前記ディスクの第２の面に接触する凸部を前記シャッタの前記孔の周囲に有している。
ある実施形態において、前記シャッタが閉塞した状態において前記ディスクの第２の面と前記シャッタと空隙を埋める凸部を前記シャッタに有している。前記凸部は、前記シャッタが前記チャッキング開口部および前記ヘッド開口部を外部に対して開放する状態において、前記鍔よりも前記ディスク収納部の中心側に位置する領域に設けられていてもよい。前記凸部は、前記ディスクへの傷つきを防止する保護層であってもよい。
ある実施形態において、前記鍔上に前記ディスクへの傷つきを防止する保護層が設けられている。前記保護層は、傷つき防止用不織布、防塵用不織布、傷つき防止用コーティング層および防塵用コーティング層の中から選ばれる１つであってよい。
ある実施形態において、前記凸部は前記シャッタと一体に形成されている。
本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された１対のシャッタと、前記シャッタに設けられており、前記シャッタが前記チャッキング開口部および前記ヘッド開口部を閉塞する際、前記シャッタに対して前記ディスク押し付けて前記ディスクを保持するディスク保持部とを備え、前記ヘッド開口部は前記カートリッジ本体の側面に達して設けられており、前記シャッタを開閉するために前記シャッタに設けられた操作部を前記ヘッド開口部内に有している。
また、本発明のたのディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持するディスク保持部とを備え、前記一対のシャッタは互いに当接する第１および第２の接合面をそれぞれ有し、前記第１および第２の接合面は一直線上にない。
ある実施形態において、前記第１および第２の接合面は前記ディスクの厚み方向に対して傾いており、互いに重畳している。
本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部とを備え、前記複数のディスク保持部の少なくとも１つは、前記一対のシャッタの一方に対して前記ディスク収納部の中心へ向かう方向に移動可能である。
また、本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持する逆テーパー状の斜面を有する複数のディスク保持部と、前記ディスク収納部から前記ディスクが脱落するのを防止するためのディスク当接面を有し、前記ディスク上方に突出するよう前記カートリッジ本体に設けられた複数の脱落防止部材とを備え、前記ディスク保持部の斜面の一部が前記脱落防止部材の当接面よりも上方に位置している。
ある実施形態において、前記一対のシャッタが、閉塞状態において互いにロックされる。
ある実施形態において、前記ディスクカートリッジは、前記一対のシャッタが閉塞している状態において、前記一対のシャッタの位置を規制するためのシャッタ当接部を更に有する。
本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部とを備え、前記ディスク保持部は、第１の高さを有する第１の領域と、第１の高さよりも低い第２の高さを有する第２の領域とを備えており、前記カートリッジ本体の上面において、前記シャッタの開閉時に前記ディスク保持部の第１の領域が通過する領域は、前記第１の領域の先端部分を受けるよう窪んでおり、前記第２の領域が通過する領域よりも薄くなっている。
ある実施形態において、前記第１の領域は、前記シャッタが閉じるときに、前記第２の領域よりも早く前記ディスクに当接する。
本発明の他のディスクカートリッジは、第１および第２の面を有するディスクを回転可能な状態で、かつ、前記ディスクの第１の面を外部に露出するように収納し、前記ディスクを出し入れするディスク開口部を有するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部と、前記ディスク開口部へ突出した状態と前記ディスク開口部へ突出しない状態とをとり得るように前記カートリッジ本体に移動可能な状態で保持されている脱落防止部材とを備えている。
ある実施形態において、前記脱落防止部材は、前記カートリッジ本体の上面に対して平行な面において移動し得る。前記脱落防止部材は、前記カートリッジ本体の上面において、回転し得るものであってもよい。
本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部と、前記シャッタが閉塞してディスクが保持されているときに、ディスクの前記第２の面の外周部と接するよう前記ディスク収納部の内側下面の内周に設けられたディスク受け部とを備えている。
ある実施形態において、前記ディスク受け部は、少なくとも前記ディスク収納部の内側下面と平行な領域を有し、ディスクの他方の面と接している。前記ディスク受け部は、前記ディスク収納部の内側側面と内側下面とに渡って設けられたテーパーであり、前記シャッタが閉塞してディスクが保持されているときに、ディスクの外周のエッジが前記ディスク受け部に当接してもよい。
本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部とを備え、前記シャッタの開閉時に、前記ディスク保持部の底部が通過する第１の領域を前記ディスク収納部の内側下面は含んでおり、前記第１の領域は凹部になっている。
また、本発明のたのディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部とを備え、前記シャッタの閉塞時に、前記シャッタの外周近傍に位置する第２の領域を前記ディスク収納部の内側下面は含んでおり、前記第２の領域は凹部になっている。
また、本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部とを備え、前記チャッキング開口部および前記ヘッド開口部の周辺ならびに／または、前記ディスク収納部の内側側面近傍に位置する第３の領域を前記ディスク収納部の内側下面は含んでおり、前記第３の領域は凹部になっている。
また、本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持されたシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部と、前記シャッタを開放または閉塞するための第１および第２の操作部とを備えている。
ある実施形態において、前記第１および第２の操作部は、前記カートリッジ本体の第１および第２の側面にそれぞれ設けられている。前記第１および第２の側面は隣接していてもよい。前記第１の操作部は前記シャッタに接続された突起であって、前記第１の操作部を前記第１の側面の一部に沿ってスライドさせることにより前記シャッタを開閉し得る構造を備えていてもよい。また、前記第２の操作部は前記シャッタに係合された回転部材であって、前記第２の操作部を回転させることにより前記シャッタを開閉し得る構造を備えていてもよい。前記第２の操作部は前記シャッタに係合されたスライドリンク部材であって、前記第２の操作部を前記第２の側面に沿ってスライドさせることにより前記シャッタを開閉し得る構造を備えていてもよい。
ある実施例において、前記第２の操作部は前記シャッタに接続されたベルト部材であって、前記第２の操作部を前記第２の側面に沿ってスライドさせることにより前記シャッタを開閉し得る構造をそなえている。
ある実施例において、前記ディスクカートリッジは、前記シャッタを一対含んでいる。前記第１および第２の操作部は前記一対のシャッタのそれぞれ接続または係合されていてもよい。
本発明の他のディスクカートリッジは、第１および第２の面を有するディスクを回転可能な状態で、かつ、前記ディスクの第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された一対のシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部と、前記シャッタが閉塞した状態で前記ディスクが回転するのを防止するために、前記複数のディスク保持部の少なくも１つに設けられた、回転防止部材とを備えている。
ある実施例において、前記回転防止部材は摩擦係数の高い材料からなり、前記シャッタが閉塞した状態で前記ディスクに当接するよう前記複数のディスク保持部の少なくも１つに設けられている。
ある実施例において、前記回転防止部材はゴムからなる。
本発明の他のディスクカートリッジは、ディスク開口部を有し、第１および第２の面を有するディスクを回転可能な状態で、かつ、前記ディスクディスク開口部から前記第１の面を外部に露出するように収納するディスク収納部と、前記ディスク収納部の底部に設けられており、前記ディスクを外部からチャッキングするためのチャッキング開口部および前記ディスクの第２の面に対して信号の再生および記録の少なくとも一方を行うヘッドがアクセスするためのヘッド開口部とを含むカートリッジ本体と、前記チャッキング開口部および前記ヘッド開口部を外部に対して開放または閉塞するように、前記ディスクの第２の面と前記ディスク収納部の底部との間において、前記カートリッジ本体に対して移動可能なように支持された１対のシャッタと、前記シャッタに設けられており、前記シャッタが前記チャッキング開口部および前記ヘッド開口部を閉塞する際、前記シャッタに対して前記ディスク押し付けて前記ディスクを保持する複数のディスク保持部と、前記ディスク開口部へ少なくともその一部が突出するように前記カートリッジ本体に設けられた少なくとも１つの脱落防止部材とを備え、前記ヘッド開口部は前記カートリッジ本体の側面に達して設けられており、前記シャッタを開閉するために前記シャッタに設けられた操作部を前記ヘッド開口部内に有する。
ある実施例において、前記一対のシャッタは互いに当接する第１および第２の接合面をそれぞれ有し、前記第１および第２の接合面は一直線上にない。前記第１および第２の接合面は前記ディスクの厚み方向に対して傾いており、互いに重畳していてもよい。前記一対のシャッタのうちの一方の前記第１の接合面は他方の前記第１の接合面よりも上に位置しており、前記一方の第２の接合面は前記他方の第２の接合面よりも下に位置していてもよい。前記一対シャッタは、閉塞状態において、前記ディスクのセンターホールに対応する領域に孔を有していてもよい。前記一対シャッタに設けられた孔は、前記ディスクのセンターホールとおおよそ同じ直径であってもよい。
ある実施例において、前記複数のディスク保持部は、前記一対のシャッタのそれぞれ両端に設けられており、各ディスク保持部は、逆テーパー状の斜面を有している。前記複数のディスク保持部のうち、少なくとも１つは、前記ディスクの中心に向かう方向へ移動可能なように設けられていてもよい。
ある実施例において、前記複数のディスク保持部のそれぞれは、第１の高さを有する第１の領域と、第１のたかさよりも低い第２の高さを有する第２の領域とを含んでおり、前記カートリッジ本体の上面において、前記シャッタの開閉時に前記ディスク保持部の第１の領域が通過する領域は、前記第１の領域の先端部分を受けるよう窪んでおり、前記第２の領域が通過する領域よりも薄くなっている。
前記第１の領域は、前記シャッタが閉じるときに、前記第２の領域よりも早く前記ディスクに当接していてもよい。
ある実施例において、前記脱落防止部材はディスク１００と当接する当接面を有し、前記複数のディスク保持部の少なくとも１つの前記斜面は、その一部が前記脱落防止部材の当接面よりも上方に位置している。
ある実施例において、前記一対のシャッタは、前記ディスクカートリッジ本体に設けられた一対の回動軸に対してそれぞれ回動する。前記一対のシャッタは、お互い連動しながら開閉する連動部をそれぞれ有していてもよい。前記一対のシャッタを閉塞した状態に保つように付勢する弾性部材を前記ディスクカートリッジは更に備えていてもよい。
発明を実施するための最良の形態
（第１の実施形態）
以下、本発明の第１の実施形態に係わるディスクカートリッジ３０１について、その全体構成をディスク１００と共に斜め上方から示した斜視図である図１、斜め下方から示す図２、及びこれを分解した状態を示す各パーツの斜視図である図３とを参照しながら説明する。
なお、ディスク１００は、第１および第２の面を備えており、図１では、第１の面であり、通常ディスクのラベル等が描かれている面が示されている。ディスク１００の第２の面である信号記録面１００Ａは、図３において裏面として示されている。
図１に示すように、ディスクカートリッジ３０１は、カートリッジ下体１１、カートリッジ上体１２、ディスク保持部材１３、１４およびシャッタ２１を含む。
図３に示すように、カートリッジ下体１１は、外部からディスク１００を回転させるためのスピンドルモータ等のチャッキング部材が侵入できるよう開口したチャッキング開口部１１ｃと、ディスク１００の信号記録面１００Ａに対して信号の再生および記録の少なくとも一方を行うヘッドが侵入し、アクセスできるよう開口したヘッド開口部１１ｈとを有する。また、ディスクドライブ装置の一対のカートリッジ位置決めピン２１０と勘合してディスクドライブ装置に対するディスクカートリッジ３０１の位置決めを行う一対の位置決め孔１１ｗを有する。カートリッジ下体１１は、ディスク１００の信号記録面１００Ａと対向する。
カートリッジ上体１２は、ディスク１００の出し入れが可能であり、ディスクの上面を露出するようにディスク１００の全投影領域を開口する円形のディスク開口部１２ｗを有する。カートリッジ上体１２とカートリッジ下体１１とは外縁部で接着もしくは溶着されてカートリッジ本体１０を構成している。
カートリッジ下体１１のディスク１００の信号記録面１００Ａと向かい合う第１の内側面１１ｕと、カートリッジ上体１２のディスク開口部１２ｗを構成する略円筒状の第２の内側面１２ｉとにより、ディスク１００を収納するディスク収納部１０ｄ（図１）が構成される。これにより、第１の内側面１１ｕがディスク収納部１０ｄの底部となる。カートリッジ下体１１の第１の内側面１１ｕには、ディスク１００への傷つきもしくは信号記録面１００Ａへの埃塵の侵入を防止する保護層１１ｐが設けられている。
保護層１１ｐは、傷つき防止用不織布、防塵用不織布、傷つき防止用コーティング層、および防塵用コーティング層から適宜選択することができる。本実施形態では、防塵用不織布からなるシートを保護層１１ｐとして貼着もしくは超音波溶着させている。
ディスク収納部１０ｄにおいて、第２の内側面１２ｉとディスク１００との間にはディスク１００が回転可能な程度の空間が設けられる。また、ディスク収納部１０ｄの上部はディスク開口部１２ｗになっており、ディスク収納部１０ｄに保持されたディスク１００は、その片面をディスク開口部１２ｗから外部に露出する。
図３に示すように、ディスク保持部材１３は、一対の弾性部１３ｄと、斜めに貫通した穴部１３ｗを有しており、ディスクカートリッジ３０１は、同一の形状を有するディスク保持部材１３を２つ備える。ディスク保持部材１３の弾性部１３ｄがカートリッジ上体１２とカートリッジ下体１１とで挟まれることにより、ディスク保持部材１３の先端は矢印１３Ｂ方向に付勢され、これにより、ディスク１００を第１の内側面１１ｕに押し付けている。またこの一対のディスク保持部材１３は、それぞれ一対の位置決め孔１１ｗの真上に穴部１３ｗがほぼ位置するよう配置されている。
ディスク保持部材１４は、回動軸１４ｓと弾性部１４ｄとを有する。回転軸１４ｓ周りの回転可能なようにディスク保持部材１４はカートリッジ本体１０に固定され、弾性部１４ｄがカートリッジ上体１２とカートリッジ下体１１とで挟まれることにより、ディスク保持部材１４の先端は矢印１４Ｂ方向に付勢される。これにより、ディスク１００を第１の内側面１１ｕに押し付けている。
シャッタ２１は、ディスク１００の信号記録面１００Ａと向かい合うようカートリッジ下体１１の外側に設けられている。図１および２に示すように、矢印２１Ａまたは２１Ｂ方向にシャッタが移動して、チャッキング開口部１１ｃおよびヘッド開口部１１ｈを外部に対して開放または閉塞する。シャッタバネ３１は、シャッタ２１とカートリッジ本体１０との間に張架され、シャッタ２１を閉じる方向に付勢している。
図２に示すように、カートリッジ本体１０（カートリッジ下体１１）の表面には、収納されるディスク１００に書き込まれた内容などを記述することのできるラベル面または凹部１０ｆが設けられている。また、カートリッジ本体１０の左右に設けた一対の凹部１０ｃは、ドライブ装置がディスクカートリッジ１を引き込みローディングする際の、あるいはディスクカートリッジ１がチェンジャに収納された場合の、引き込み用の係止もしくは位置決め用の凹みとして用いることができる。また、片側だけに設けた凹部１０ｇは誤挿入防止形状であり、ディスクカートリッジ１が正しい方向に挿入された場合のみドライブ装置に設けた凸部と正常にはまり合う。一方、ディスクカートリッジ３０１を間違って上下あるいは前後反対向けにディスクドライブ装置へ挿入した場合、互いに干渉して正常に挿入することができない。これにより誤挿入を防止することができる。
ここでディスク保持部材１３および１４によるディスク１００の保持動作について図４、図５を用いてさらに詳しく説明する。図４および図５はそれぞれ、図１から図３に示すディスク１００が保持された状態におけるディスク保持部材１３およびディスク保持部材１４のディスク半径方向の断面図である。
図４および図５に示すように、ディスク保持部材１３および１４の先端には、ディスク投影領域上であってディスク１００の外周上方に張り出すように傾斜した斜面１３’および１４’が設けられている。弾性部１３ｄおよび１４ｄによって矢印１３Ｂおよび１４Ｂ方向にそれぞれ付勢されたディスク保持部材１３および１４は、斜面１３’および１４’をディスク１００の外周の稜１００ｃに当接させ、ディスク１００を把持すると共にディスク１００を厚み方向１００ｔへ押圧し、シート１１ｐに信号記録面１００Ａを面接触させる。これにより、ディスク１００をカートリッジ本体１０に保持固定する。この状態ではディスク１００の信号記録面１００Ａの外周部分はシート１１ｐに密着しているため、信号記録面１００Ａへの埃塵の付着が防止できる。
次に、ディスク保持部材１３および１４によるディスク１００の解放動作について図６、７および８を用いてさらに詳しく説明する。
図６は、カートリッジ上体１２とディスク１００を取り除いたディスクカーットリッジの斜視図である。図６において、シャッタ２１は、Ｌ字形状部２１ｓを図示しないディスクドライブ装置のシャッタ開放機構によって矢印２１Ａ方向に押されており、その結果、チャッキング開口部１１ｃおよびヘッド開口部１１ｈを外部に対して開放している。また、ディスクドライブ装置の一対のカートリッジ位置決めピン２１０がカートリッジ本体１０の位置決め孔１１ｗと嵌合している。
また図７は図６の状態におけるディスク保持部材１３のディスク半径方向の断面図であり、図８は図６の状態におけるディスク保持部材１４とシャッタ２１の関係を示す要部拡大図である。
ディスク保持部材１３では、図７に示すように、位置決め孔１１ｗからディスクドライブ装置のカートリッジ位置決めピン２１０が挿入されると、ディスク保持部材１３の斜めに貫通した穴部１３ｗにカートリッジ位置決めピン２１０が嵌合する。このため、ディスク保持部材１３は１３Ａ方向に持ち上げられ、ディスク１００は斜面１３’による圧接から開放されフリーの状態になる。この時、ディスク保持部材１３の先端の庇１３ｅは、依然としてディスク投影領域にあるディスク外周上に張り出している。したがって、ディスク１００が垂直になるよう構成されたディスクドライブ装置においてディスク開放状態になったときでも、ディスクカートリッジ３０１からディスク１００が脱落するのを防止することができる。
ディスク保持部材１４では、図８に示すように、シャッタ２１が開放状態になったとき、シャッタ上に設けられたガイドリブ２１ｘがディスク保持部材１４の凹部１４ｗに入り込み凹部１４ｗの天井を押し上げる。これにより、ディスク保持部材１４は１４Ａ方向に持ち上げられ、ディスク１００は斜面１４’による圧接から開放されフリーの状態になる。この時、ディスク保持部材１４の先端の庇１４ｅは依然としてディスク投影領域上であるディスク外周上に張り出している。このため、ディスク１００が垂直になるよう構成されたディスクドライブ装置において、ディスクが解放状態になったときでも、ディスクカートリッジ３０１からディスク１００が脱落するのを防止することができる。
また強制的にディスクを取り出そうとすれば、ディスク保持部材１４と一対のディスク保持部材１３のあわせて３カ所を同時に解除して取り出さねばならない。このため、操作者による安易なディスクの取り外しも防止できる。
なお、本実施形態において、図２に示すようにシャッタ２１のディスク１００と対向する側の端部２１ｒにブラシもしくは塵埃払拭材を設け、シャッタ２１の開放動作に伴ってディスク１００の信号記録面１００Ａ上の塵埃を除去してもよい。また、ディスクを保持した状態でディスク保持部材の動作をカートリッジ本体１０に固定支持するロック機構を有していてもよい。
（第２の実施形態）
本発明の第２の実施形態に係わるディスクカートリッジ３０２について、ディスク１００を保持した状態の全体構成を示す平面図である図９およびディスク１００を開放した状態の全体構成を示す平面図である図１０を参照しながら説明する。図９および図１０において、第１の実施形態と同じ構成要素には同一の番号を付して説明を省略する。
ディスクカートリッジ３０２は第１の実施形態のディスクカートリッジ３０１とディスク保持部材が異なっており、図９に示すように、ディスクカートリッジ３０２は、矢印１５Ａまたは１５Ｂ方向にスライドするそれぞれ一対のディスク保持部材１５、１６を備える。
各ディスク保持部材１５は弾性部１５ｄを有し、弾性部１５ｄにより矢印１５Ｂ方向に付勢され、第１の実施形態におけるディスク保持部材１３、１４と同様、先端に設けた斜面１５’によりディスク１００をカートリッジ本体１０へ保持固定している。
ディスク保持部材１６は回動軸１６ｃを有し、回動軸１６ｃを中心に回動可能なようにディスク保持部材１６がカートリッジ本体１０に設けられている。ディスク保持部材１６も第１の実施形態におけるディスク保持部材１３、１４と同様、先端に設けた斜面１６’によりディスク１００をカートリッジ本体１０へ保持固定する。ディスク保持部材１５は連結ピン１５ｐを有し、ディスク保持部材１６に設けられた溝部１６ｇと連結ピン１５ｐとが係合し連動する。
ディスクドライブ装置の一対のカートリッジ位置決めピン２１０がカートリッジ本体１０の位置決め孔１１ｗと嵌合すると、図１０に示すようにディスク保持部材１５は突起１５ｓが位置決めピン２１０に押されるため矢印１５Ａ方向に移動し、斜面１５’はディスク１００を解放する。また、ディスク保持部材１５の移動に連動してディスク保持部材１６は矢印１６Ａ方向に回動し、斜面１６’もディスク１００を解放する。
（第３の実施形態）
本発明の第３の実施形態に係わるディスクカートリッジ３０３について、ディスク１００を保持した状態の全体構成を示す平面図である図１１、ディスク１００を開放した状態の全体構成を示す平面図である図１２を参照しながら説明する。図１１および図１２において、第１の実施形態と同じ構成要素には同一の番号を付して説明を省略する。
ディスクカートリッジ３０３は、第１の実施形態のディスクカートリッジ３０１とディスク保持部材が異なっており、図１１に示すように、ディスクカートリッジ３０３は、矢印１７Ｂおよび１８Ｂ方向に付勢されたそれぞれ一対のディスク保持部材１７、１８を備える。各ディスク保持部材１７、１８は、カートリッジ本体１０と一体に成形されている。
ディスク保持部材１７は弾性部１７ｄを有しており、弾性部１７ｄにより矢印１７Ｂ方向に付勢される。ディスク保持部材１７も第１の実施形態におけるディスク保持部材１３、１４と同様、先端に設けられた斜面１７’によりディスク１００をカートリッジ本体１０へ保持固定している。
ディスク保持部材１８も弾性部１８ｄを有し、弾性部１８ｄによりディスク保持部材１８が矢印１８Ｂ方向に付勢される。また、先端に設けられた斜面１８’によりディスク１００をカートリッジ本体１０へ保持固定している。
このディスクカートリッジ３０３がディスクドライブ装置２００に挿入されると、ディスクドライブ装置２００に設けられた一対のディスク解除ピン２１７がディスク保持部材１７の突起１７ｓを押す。これにより、図１２に示すようにディスク保持部材１７はディスク１００を解放する。また同時にディスクドライブ装置２００に設けられた一対のディスク解除ピン２１８もディスク保持部材１８の側面１８ｓに当接して、ディスク保持部材１８がディスク１００を解放する。
（第４の実施形態）
本発明の第４の実施形態に係わるディスクカートリッジ３０４について、ディスク１００を保持した状態の全体構成を示す平面図である図１３、ディスク１００を開放した状態の全体構成を示す平面図である図１４を参照しながら説明する。図１３および図１４において、第１の実施形態と同じ構成要素には同一の番号を付してその説明を省略する。
ディスクカートリッジ３０４は、第１の実施形態のディスクカートリッジ３０１とディスク保持部材が異なっており、リング状のディスク保持部材１９を備えている。
図１３に示すように、ディスク保持部材１９は、ゴムリングのような自在に形状を変えることのできるリング状の弾性部材から形成されている。ディスク保持部材１９は、外部から力が加えられていない場合、楕円形状を有しているが、外部から力を加え、おおよそ真円形状を有するように変形させることもできる。おおよそ真円となるようにディスク保持部材１９を変形させた場合、その内径はディスク１００の直径よりも大きくなっている。
図１３に示すように、ディスク保持部材１９は楕円形状の複数の箇所においてディスク１００と接し、ディスク１００をカートリッジ本体１０へ保持固定している。このディスクカートリッジ３０４がディスクドライブ装置２００に挿入されると、図１４に示すようにディスクドライブ装置２００に設けられた一対の凸部２１９がリング状のディスク保持部材１９の長軸側を押し、ディスク保持部材１９を変形させる。これにより、ディスク保持部材１９は概ね真円形状を有するようになり、ディスク１００とディスク保持部材１９との接触がなくなる。つまり、ディスク保持部材１９はディスク１００を解放する。
ディスク１００の解放を行うために、ディスク保持部材１９を変形させる力は、誤挿入防止用の凹部１０ｇ（図２）にはまり合うディスクドライブ装置の凸部によってディスク保持部材１９に加えられても良い。あるいは、ディスクカートリッジ１の左右に設けられたディスクドライブ装置への引き込み用凹部１０ｃ（図２）にはまり合うディスクドライブ装置の凸部によってディスク保持部材１９に加えられても良い。
（第５の実施形態）
以下に、本発明の第５の実施形態を図１５から１８を参照して説明する。図１５および１７は、本実施形態によるディスクカートリッジ３０５において、カートリッジ上体を取り除いた残りの部分の構造を示す平面図であって、図１５はシャッタ２１が開口部１１ｈ、１１ｃを閉塞している状態を示しており、図１７はシャッタ２１が開口部１１ｈ、１１ｃを開放している状態を示している。また、図１６および１８は、シャッタ２１の閉塞状態および開放状態におけるディスク保持部４３の状態を示している。
本実施の形態において第１の実施形態のディスクカートリッジと同じ構成要素には同じ参照符号を付している。
本実施の形態のディスクカートリッジに特徴的なところは、ディスク保持部材４３のディスク保持・解放動作が、ディスク保持連動部材４４によってシャッタ２１の開閉動作と連動させられている点にある。
図１５および１７において矢印４４Ａで示すように、ディスク保持連動部材４４は、カートリッジ下体１１のチャッキング開口部１１ｃの周りに回転摺動ができるように、カートリッジ下体１１の第１の内側面１１ｕ上に設けられている。ディスク保持連動部材４４はチャッキング開口部１１ｃを内径とするリングの一部を切り取ったような扇形をしている。
ディスク保持連動部材４４には、カートリッジ下体１１側（図１５および１７では紙面の奥へ向かう方向）に突出する係合ピン４７が設けられている。この係合ピン４７と係合する案内溝１１ｍおよび２１ｍがカートリッジ下体１１およびシャッタ２１にそれぞれ設けられている。また、ディスク保持連動部材４４の外周に、外側およびカートリッジ上体側（図１５および１７では紙面の手前へ向かう方向）へ突き出した複数の突起４５が設けられている。ディスク保持連動部材４４の上面には、ディスク１００への傷つきあるいは信号記録面へ埃塵付着を防止するための不織布またはコーティング材が付与されている。
ディスクカートリッジにディスクを収納した時、ディスクの外周部を保持し得るように、カートリッジ下体１１の領域には複数のディスク保持部材４３が間隔を隔てて設けられている。図１５および１７では、ディスク保持部材４３は３つ設けられているように示しているが、２つ、４つあるいはそれ以上の数のディスク保持部材４３を設けてもよい。ディスク保持部材４３は、それぞれ回転軸４３Ａを軸として摺動するようカートリッジ下体１１に保持されている。
図１６に示すように、ディスク保持部材４３は、ディスク保持連動部材４４の外周近傍上にその一部が重なるように位置している。また、ディスク保持部材４３は、例えば図５に示す弾性部１４ｄのような機構（図１６には示していない）によってカートリッジ下体１１へ向かう方向４３Ｂに押し付けられている。その結果、ディスク保持部材４３の斜面４３’は、ディスク１００の稜と当接しながらディスク１００がディスク保持連動部材４４に接するようにディスク１００を４３Ｂの方向に押し付けるとともにディスク１００を保持している。
図１５に示すように、ディスク（図示せず）を保持したディスクカートリッジが、ディスクドライブ装置２００に対して矢印１Ａの方向で挿入されると、ディスクドライブ装置２００のシャッタ開閉レバー（図示せず）がシャッタ２１を２１Ａの方向に移動させて、開放する。シャッタ２１が２１Ａの方向に移動し始めると、シャッタ２１の案内溝２１ｍに挿入されているディスク保持連動部材４４の係合ピン４７にも矢印２１Ａの方向へ力が加わる。その結果、係合ピン４７はカートリッジ下体１１の案内溝１１ｍに沿って移動させられ、これに伴って、ディスク保持連動部材４４が矢印４４Ａで示すようにチャッキング開口部１１ｃの周りに回転し始める。ディスク保持連動部材４４がシャッタ２１に連動して動くように、案内溝１１ｍはシャッタ２１の移動方向におおよそ沿って伸びていることが好ましい。
シャッタ２１が完全に開放状態になると、図１７に示すように、ディスク保持連動部材４４の外周に設けられた複数の突起４５がディスク保持部材４３の下方に位置するようになる。図１８に示すように、突起４５によってディスク保持部材４３は上方へ押し上げあられ、ディスク保持部材４３の斜面４３’がディスク１００の外周の稜から離れる。これによって、ディスク１００をディスク面に垂直な方向に押す力４３Ｂを解放し、ディスク１００が回転可能なように開放される。このとき、ディスク保持部材４３の先端にある庇４３ｅはディスク１００の投影領域上であるディスク１００の外周上方に張り出している。このため、ディスク１００を垂直に保持するようなディスクドライブ装置においても、ディスクが解放状態になったときにディスクがカートリッジから脱落するのを防止することができる。
本実施の形態のディスクカートリッジ３０５によれば、ディスクドライブ装置２００にディスクカートリッジを挿入しなくてもディスクを解放状態にすることができる。例えば、手によって、シャッタ２１を開放すれば、シャッタ２１の動作に連動してディスク保持部材４３がディスク１００を開放する。したがって、使用者の意図によって、例えば、ディスクをカートリッジから取り出し、別のディスクをカートリッジに挿入することが可能である。
（第６の実施形態）
以下に、本発明の第６の実施形態６を説明する。図１９および２０は、本実施の形態によるディスクカートリッジ３０６においてカートリッジ上体を取り除いた残りの部分の構造を示す平面図であって、図１９はシャッタがヘッド開口部を閉塞している状態を示しており、図２０はシャッタがヘッド開口部を開放している状態を示している。図１９および２０において第１の実施形態および第５の実施形態のディスクカートリッジとおなじ構成要素には同じ参照符号を付している。
本実施の形態のディスクカートリッジに特徴的なところは、第５の実施形態において説明したディスク保持連動部材がシャッタを兼ねている点にある。図１９および２０において矢印４６Ｂで示すように、シャッタ４６は、カートリッジ下体１１のチャッキング開口部１１ｃの周りに回転摺動できるように、カートリッジ下体１１の第１の内側面１１ｕ上に設けられている。シャッタ４６はチャッキング開口部１１ｃを内径とするリングの一部を切り取ったような扇形をしている。
シャッタ４６には、カートリッジ下体１１側（図１９および２０では紙面の奥へ向かう方向）に突出する係合ピン４６ｐが設けられている。この係合ピン４６と係合する案内溝１１ｍがカートリッジ下体１１に設けられている。係合ピン４６ｐが案内溝１１ｍの一端に位置するとき、シャッタ４６によって、ヘッド開口部１１ｈは塞がれており、案内溝１１ｍの他端に係合ピン４６があるとき、ヘッド開口部１１ｈは開放される。案内溝１１ｍはチャック開口部１１ｃと同心円となる円弧の一部に沿って設けられている。ディスクドライブ装置への挿入動作に伴って、シャッタ４６が開放されるように、案内溝１１ｍは、ディスクの挿入方向１Ａに対しておおよそ沿って伸びているほうが好ましい。
シャッタ４６の外周には、外周方向およびカートリッジ上体１２側（図１９および２０では紙面の手前へ向かう方向）へ突き出した複数の突起４６ｃが設けられている。シャッタ４６の上面にはディスク１００への傷つき防止あるいは信号記録面へ埃塵が付着するのを防止するための不織布またはコーティング材が付与されている。
カートリッジ下体１１の領域には、実施の形態５のディスク保持部材と同様の構造を有する複数のディスク保持部材４３が間隔を隔てて設けられている。ディスク保持部材４３およびシャッタ４６に設けられた突起４６ｃは実施の形態５において説明したようにシャッタ４６の動作に連動してディスクを保持あるいは開放する。
本実施の形態のディスクカートリッジがディスクドライブ装置２００に図１９の矢印１Ａで示すように挿入されると、ディスクドライブ装置２００に設けられた当接部材２０１にシャッタ４６の係合ピン４６ｐが当接する。更にディスクカートリッジをディスクドライブ装置２００内へ挿入すると、当接部材２０１によって、係合ピン４６ｐが案内溝１１ｍに沿って移動し始める。これにともなって、シャッタ４６は矢印４６Ｂで示すように、カートリッジ下体１１のチャッキング開口部１１ｃの周りを回転し始め、回転に伴って、ヘッド開口部１１ｈが開いてくる。
図２０に示すように、ディスクカートリッジがディスクドライブ装置２００へ完全に挿入されると、係合ピン４６ｐが案内溝１１ｍの他端に達し、ヘッド開口部１１ｈは完全に開放される。このとき、実施の形態５で説明したように、突起４６ｃがディスク保持部材４３の下方に位置するようになり、突起４６ｃによってディスク保持部がカートリッジ上体側（図２０において紙面手前側）へ押し上げられる。これによって、ディスク保持部材４３により保持されていたディスク１００は解放され、自由に回転できるようになる。
本実施の形態のディスクカートリッジによれば、ディスク保持連動部材が不要であるため、実施の形態５のディスクカートリッジに比べ厚みを薄くすることが可能である。また、係合ピン４６ｐを案内溝１１ｍに沿って、手などで移動させることによって、シャッタ４６を開放状態にできると共にディスク保持部材を解放状態にしてディスクを取り出すことも可能である。
なお、本実施の形態において、シャッタ４６はカートリッジ上体側から見て時計周りに回転するが、案内溝１１ｍの位置を変更することによって、シャッタ４６を反時計周りに回転するようにしてもよい。
（第７の実施形態）
以下に、本発明の第７の実施形態を説明する。図２１および２２は、本実施の形態によるディスクカートリッジ３０７においてカートリッジ上体を取り除いた残りの部分の構造を示す平面図であって、図２１はシャッタがヘッド開口部を閉塞している状態を示しており、図２２はシャッタがヘッド開口部を開放している状態を示している。図２１および２２において第３の実施形態および第６の実施形態のディスクカートリッジとおなじ構成要素には同じ参照符号を付している。
本実施の形態のディスクカートリッジでは、第６の実施形態のディスクカートリッジとディスク保持部材の構造が異なっている。具体的には、図２１および２２に示すように、本実施の形態のディスクカートリッジは複数のディスク保持部材１７を備えている。ディスク保持部材１７は、実施の形態３において説明したディスク保持部材と同様、弾性部１７ｄを有しており、シャッタ４６が閉塞している時には、弾性部１７ｄの弾性力によって、ディスク１００をディスクの中心方向１７Ｒへ押さえつけるようにディスクを保持する。本実施の形態において、ディスク保持部材１７はカートリッジ下体１１と一体に形成されているが、カートリッジ下体１１と別々に形成されていてもよい。
ディスク保持部材１７のディスク半径方向の断面形状は、図１８に示されるディスク保持部材４３と同様、ディスク投影領域であるディスク外周上方に張り出すように傾斜した斜面を有している。このため、斜面にディスクの稜が当接するようディスク保持部材１７がディスクを保持することによって、ディスクはシャッタ４６へ押し付けられる。
シャッタ４６はその外周部に複数の突起４６ｃを備えている。本実施の形態において突起４６ｃはその外側方向に突き出しており、シャッタ４６が開放状態にあるとき、突起４６ｃがディスク保持部材１７の弾性部１７ｄに当接するような位置に突起４６ｃはシャッタ４６の外周部に設けられる。
図２２に示すように、シャッタ４６が開放状態になると、突起４６ｃが弾性部１７ｄをその弾性力に抗してディスク１００の外側に向かう方向１７ｓへ押し付ける。これによりディスク１００が解放される。しかし、ディスク保持部材１７の先端には庇１７ｅがそれぞれ設けられていて、ディスク１００が解放される状態になっても、庇１７ｅはディスクの投影領域へせり出している。このため、ディスク１００が垂直に保持されるようディスクカートリッジがディスクドライブ装置２００に挿入されても、ディスク１００がディスクカートリッジから脱落することはない。
本実施の形態のディスクカートリッジによれば、実施の形態６において説明した特徴に加えて、ディスク保持部材１７をカートリッジ下体１１と一体に形成することが可能である。この場合、ディスクカートリッジに構造を簡単にすることができ、また、製造コストを低減することができる。
（第８の実施形態）
以下、本発明の第８の実施形態に係わるディスクカートリッジ３０８について、図を参照しながら説明する。
まず、図２３および２４を参照して、ディスクカートリッジ３０８のおおまかな構造を説明する。なお、第１の実施形態と同様、図２３および２４に示されるディスク１００は第１および第２の面を備えており、図２３では、第１の面であり、通常ディスクのラベル等が描かれている面が示されている。ディスク１００の第２の面である信号記録面１００Ａは、図２４において裏面として示されている。
図２３および２４に示すように、ディスクカートリッジ３０８は、カートリッジ下体１１、カートリッジ上体１２、一対のシャッタ２１、２２および脱落防止部材２３を含む。
カートリッジ下体１１は、図２４に示すように、外部からディスク１００を回転させるためのスピンドルモータ等のチャッキング部材が侵入できるよう開口したチャッキング開口部１１ｃと、ディスク１００の信号記録面１００Ａに対して信号の再生および記録の少なくとも一方を行うヘッドが侵入し、アクセスできるよう開口したヘッド開口部１１ｈとを有する。カートリッジ下体１１は、ディスク１００の信号記録面１００Ａと対向する。また、ヘッド開口部１１ｈは、カートリッジ下体１１の側面に達している。
カートリッジ上体１２は、ディスク１００の出し入れが可能であり、ディスクの上面を露出するようにディスク１００の全投影領域を開口する円形のディスク開口部１２ｗを有する。カートリッジ上体１２とカートリッジ下体１１とは外縁部で接着もしくは溶着されてカートリッジ本体１０を構成している。
カートリッジ下体１１のディスク１００の信号記録面１００Ａと向かい合う第１の内側面１１ｕと、カートリッジ上体１２のディスク開口部１２ｗを構成する略円筒状の第２の内側面１２ｉとにより、ディスク１００を収納するディスク収納部１０ｄが構成される。これにより、第１の内側面１１ｕがディスク収納部１０ｄの底部となる。
ディスク収納部１０ｄにおいて、第２の内側面１２ｉとディスク１００との間にはディスク１００が回転可能な程度の空間が設けられる。また、ディスク収納部１０ｄの上部はディスク開口部１２ｗになっており、ディスク収納部１０ｄに保持されたディスク１００は、その片面をディスク開口部１２ｗから外部に露出する。
脱落防止部材２３は、その一部がディスク開口部１２ｗに突出するようにカートリッジ上体１２に着脱可能に設けられている。図２３および２４に示すように、本実施形態では脱落防止部材２３は２つ設けられている。一方、カートリッジ上体１２には、カートリッジ上体１２と一体に形成されており、ディスク開口部１２ｗから突出している脱落防止部１２ｓが設けられている。２つの脱落防止部材２３および脱落防止部１２ｓは、ディスク開口部１２ｗの円周上において、おおよそ等間隔に配置されており、ディスク開口部１２ｗからディスク１００が脱落することを防止する。特に、ディスクカートリッジをドライブ装置に垂直に挿入して使用する場合において脱落防止の効果を発揮する。
シャッタ２１および２２は、ディスク１００の信号記録面１００Ａとディスク収納部１０ｄの内側面１１ｕとの間に設けられている。シャッタ２１および２２は、回動孔２１ｕおよび２２ｕをそれぞれ有しており、カートリッジ本体１０のディスク収納部１０ｄ以外の領域であって、かつヘッド開口部１１ｈと反対側に設けられた一対の回動軸１１ｓに回動孔２１ｕ、２２ｕが回動自在にそれぞれ嵌合している。このため、チャッキング開口部１１ｃおよびヘッド開口部１１ｈを外部に対して開放または閉塞するようシャッタ２１および２２は回動軸１１ｓを中心に移動する。
シャッタ２１および２２の回動孔２１ｕおよび２２ｕ近傍にはそれぞれカム２１ｃおよびフォロワ２２ｃが設けられている。カム２１ｃおよびフォロワ２２ｃは互いに噛み合う形状を備え、シャッタ２１および２２を互いに連動しながら開閉させる連動機構２０ｃを構成している。
シャッタ２１および２２のディスク信号記録面１００Ａと向かい合う面にはディスク１００への傷つき、もしくは信号記録面１００Ａへの埃塵の侵入を防止する保護層２１ｐ、２２ｐが設けられている。
保護層２１ｐおよび２２ｐは、傷つき防止用不織布、防塵用不織布、傷つき防止用コーティング層、および防塵用コーティング層から適宜選択することができる。本実施形態では、防塵用不織布からなるシートを保護層２１ｐ、２２ｐとして貼着もしくは超音波溶着させている。
シャッタ２１および２２は、ディスク収納部１０ｄ以外の領域にそれぞれ設けられたシャッタバネ３１および３２によって、シャッタ２１および２２が閉じる方向に付勢されている。バネ以外の他の弾性部材を用いてシャッタ２１および２２を閉じる方向に付勢してもよい。
図２４に示すように、ディスクカートリッジ３０８は、シャッタ２１および２２の端部にディスク保持部２１ａ、２１ｂ、２２ａ、２２ｂを備えている。ディスク保持部２１ａ、２１ｂ、２２ａ、２２ｂは、シャッタ２１および２２が閉塞している状態において、ディスク１００の外周を保持するよう、シャッタ２１および２２の端部において逆テーパー状の斜面を有している。ディスク保持部２１ａ、２１ｂ、２２ａ、２２ｂの構造およびその動作については以下において詳述する。
図２３に示すように、カートリッジ本体１０（カートリッジ上体１２）の上面には、収納されるディスク１００に書き込まれた内容などを記述することのできるラベル面１０ｆや、ディスクカートリッジ３０８のドライブ装置への挿入方向（矢印１Ａ）を示す矢印形の刻印または凹部１０ａが設けられている。また、カートリッジ本体１０の挿入方向１Ａと平行な一対の側面にそれぞれ設けた凹部１０ｃは、ドライブ装置がディスクカートリッジ１をローディングする際の、あるいはカートリッジ１がチェンジャに収納された場合の、引き込み用の係止もしくは位置決め用の凹みとして用いることができる。
図２５は、カートリッジ上体１２とディスク１００がない場合におけるシャッタ２１、２２がチャッキング開口部１１ｃおよびヘッド開口部１１ｈを外部に対して閉塞している状態を示す斜視図である。図２５において、シャッタ２１、２２に設けられたディスク保持部２１ａ、２１ｂ、２２ａ、２２ｂは図示しないディスク１００の外周を掴むように位置している。
図２６は、カートリッジ上体１２とディスク１００がない場合におけるシャッタ２１、２２がチャッキング開口部１１ｃおよびヘッド開口部１１ｈを外部に対して開放している状態を示す斜視図である。シャッタ２１、２２が回動孔２１ｕ、２２ｕを中心として回転することにより、チャッキング開口部１１ｃおよびヘッド開口部１１ｈを外部に対して開放している。また、シャッタ２１、２２の移動にともなって、ディスク保持部２１ａ、２１ｂ、２２ａ、２２ｂも回動孔２１ｕ、２２ｕを中心として回転し、図示しないディスク１００の外周から離れた状態になる。
図２７は、ディスク１００がない場合におけるシャッタ２１、２２がチャッキング開口部１１ｃおよびヘッド開口部１１ｈを外部に対して閉塞している状態を示す斜視図である。図２７に示すように、ディスク保持部２１ａ、２１ｂ、２２ａ、２２ｂはディスク収納部１０ｄに突出した状態にあり、図示しないディスク１００を保持する。一方、図２８は、ディスク１００がない場合におけるシャッタ２１、２２がチャッキング開口部１１ｃおよびヘッド開口部１１ｈを外部に対して開放している状態を示す斜視図である。図２８に示すように、シャッタ２１、２２が開放状態にあるとき、ディスク保持部２１ａ、２１ｂ、２２ａ、２２ｂは、カートリッジ本体のディスク保持部１０ｄ以外の領域に収納される。
次に、シャッタ２１、２２の構成および動作について図２９、３０および３１を用いてさらに詳しく説明する。図２９はディスク１００の中心を通る断面図である。図２９に示すように、カートリッジ本体１０におけるディスク収納部１０ｄの第２の内側面１２ｉには、開閉動作を行うシャッタ２２（２１）と干渉しないよう切り欠き１０ｗを設け、さらに開放状態の時のシャッタ２２（２１）の一部を収納するシャッタ収納部１０ｓがカートリッジ本体１０内に設けている。またシャッタ閉塞時にシャッタ２１と２２の突き合わされる縁部のうち、少なくともヘッド開口部１１ｈとチャッキング開口部１１ｃの上で突き合わされる縁部２１ｆと２２ｆは、図２９に示すようにディスク１００の厚み方向に重畳している。
一方、図３０に示すように、ディスク保持部２１ａ、２１ｂ、２２ａ、２２ｂは、ディスク投影領域上であって、ディスク１００の外周上に張り出すように傾斜した斜面２１ａ’（２１ｂ’、２２ａ’、２２ｂ’）を有する形状を備えている。つまり、斜面２１ａ’は逆テーパー状をしており、ディスク１００に向かって傾いている。シャッタ２１および２２がチャッキング開口部１１ｃとヘッド開口部１１ｈを閉塞する時は、斜面２１ａ’をディスク１００の稜１００ｃに当接させることでディスク１００を把持すると共にディスク１００を厚み方向１００ｔへ押圧し、シャッタ２１および２２のシート２１ｐおよび２２ｐに信号記録面１００Ａを面接触させ、ディスク１００をカートリッジ本体１０に保持固定する。この状態において、ディスク１００の信号記録面１００Ａはシート２１ｐおよび２２ｐに密着しているため、信号記録面１００Ａへの埃塵の付着を防止できる。
また外部から露出したディスク１００の片面を強制的に回転させることにより、またはシャッタ２１および２２を強制的に開閉動作させることにより、ディスク１００の信号記録面１００Ａに付着した埃塵や指紋等の汚れを払拭することもできる。
また図３１に示すように、シャッタ２１には外部からシャッタを開閉させるためのシャッタ開閉操作部２１ｔおよび弾性部２１ｖとこれを介して形成されるロック突起部２１ｋが一体に形成されている。シャッタ２１がチャッキング開口部１１ｃおよびヘッド開口部１１ｈを閉塞した状態では、図３１に示すように、弾性部２１ｖにより付勢されたロック突起部２１ｋが、カートリッジ本体１０に形成されたロック孔１０ｋに嵌合しシャッタ２１を回動しないようカートリッジ本体１０に固定支持する。シャッタ２１が固定されると、連動機構２０ｃにより連結されているシャッタ２２も固定される。
従って、外部から突起物等によりロック突起部２１ｋを矢印２０Ａ方向に押してロック孔１０ｋとの嵌合を外しながら、同時に開閉操作部２１ｔを矢印２０Ｂ方向に押すことによってのみ、シャッタ２１および２２を回動させてチャッキング開口部１１ｃとヘッド開口部１１ｈを外部に対して開放し、同時にディスク保持部２１ａ、２１ｂ、２２ａ、２２ｂによるディスク１００の保持を解除することができる。このようにして、操作者による安易なディスクの取り外しを防止できる。
脱落防止部材２３の構造および動作について図２４および３２を用いてさらに詳しく説明する。図３２は着脱可能に設けられた脱落防止部材２３を上下逆にして斜めから見た斜視図である。脱落防止部材２３は、その凸部２３ａ、２３ｂ、２３ｃがそれぞれ図２４に示すカートリッジ上体１２のディスク開口部１２ｗ近くに設けられた凹部１２ａ、１２ｂ、１２ｃと嵌合し、着脱自在に取り付けられる。
また、ディスクカートリッジ３０８のドライブ装置への誤挿入を防止する機構について、図３３を用いてさらに詳しく説明する。図３３は図２３におけるディスクカートリッジ３０８のドライブ装置への挿入方向（矢印１Ｂ）から見た正面図である。図３３に示すように、カートリッジ本体１０には、その片側面に、厚み中心からずれた位置に凹部１０ｇが形成されており、ドライブ装置への挿入方向１Ａ（図２３）に対して非対称になっている。
このような構造のため、ドライブ装置に設けた凸部がこの凹部１０ｇに嵌まり込む場合にのみ、ディスクカートリッジ３０８がドライブ装置に正しく挿入でき、ドライブ装置が正常に動作する。
一方、間違って上下反対向けにディスクカートリッジ３０８をドライブ装置に挿入しようとした場合、ドライブ装置に設けた凸部が、凹部１０ｇの無い方の側面と干渉して、カートリッジ３０８をドライブ装置に挿入することはできない。また、間違って前後および上下の方向において同時に反対向けに挿入した場合でも、ドライブ装置に設けた凸部が凹部１０ｇを設けた側面の凹みのない部分に干渉してやはり挿入することができない。これにより誤挿入を防止することができる。
なお、本実施形態において説明したディスクカートリッジ３０８に対し、種々の改変が可能である。
例えば、シャッタ２１、２２が閉塞状態の時、脱落防止部材２３がカートリッジ上体１２の上面１２ｆ（図２４）から突出しない程度に、カートリッジ本体１０の厚みをさらに薄くする。そして、シャッタ２１、２２が開放状態にあるときには、シャッタ２１、２２の開放動作に連動して、例えばディスク保持部２１ａ、２２ａが脱落防止部材２３の下方を通過する際、脱落防止部材２３の凸部２３ａを下方から押すなどしてカートリッジ上体１２の上面１２ｆから脱落防止部材２３を突出させる。このような構造にすれば、ディスク１００がディスク収納部１０ｄ内で回転する際に必要な空間を十分確保した上でディスクカートリッジの厚みを更に薄くすることができる。
また、脱落防止部材２３はカートリッジ本体１０と一体に形成され、かつ、折ることができる構造を備え、脱落防止部材２３を抜脱可能に設けてもよい。
また、シャッタバネ３１、３２はシャッタ２１、２１が開く方向に付勢してもよい。連動機構によるシャッタ同士の動作が確実であればシャッタバネ３１、３２のうちいずれか一方のみを設けてもよい。
またロック突起部２１ｋはシャッタ２１に形成していたが、カートリッジ本体１０に形成したロックレバーの弾性部を介した先端にロック突起部および凸部を設け、この凸部とシャッタに設けた凹部との嵌合を、カートリッジ本体に設けたロック孔からロック突起部を押すことにより外し、シャッタを回動自在に開放するようにしてもよい。またこの場合、ロックレバーはシャッタバネ（弾性部材）と共に、カートリッジ本体１０と一体に成形される樹脂バネで形成してもよい。
（第９の実施形態）
以下、本発明の第９の実施形態に係わるディスクカートリッジ３０９について、図を参照しながら説明する。
図３４および３５に示すように、ディスクカートリッジ３０９は、カートリッジ下体４１、カートリッジ上体４２、脱落防止部材４２ａ、４２ｂ、４２ｃ、４２ｄおよび一対のシャッタ５１および５２を含む。
カートリッジ下体４１は、図３５に示すように、外部からディスク１００を回転させるためのスピンドルモータ等のチャッキング部材が侵入できるよう開口したチャッキング開口部４１ｃと、ディスク１００の信号記録面１００Ａに対して信号の再生および記録の少なくとも一方を行うヘッドが侵入し、アクセスできるよう開口したヘッド開口部４１ｈとを有する。カートリッジ下体４１は、ディスク１００の信号記録面１００Ａと対向する。また、ヘッド開口部４１ｈは、カートリッジ下体４１の側面に達している。
カートリッジ上体４２は、ディスク１００の出し入れが可能であり、ディスクの上面を露出するようにディスク１００の全投影領域を開口する円形のディスク開口部４２ｗを有する。カートリッジ上体４２とカートリッジ下体４１とは外縁部で接着もしくは溶着されてカートリッジ本体４０を構成している。
カートリッジ下体４１のディスク１００の信号記録面１００Ａと向かい合う第１の内側面４１ｕと、カートリッジ上体４２のディスク開口部４２ｗを構成する略円筒状の第２の内側面４２ｉとにより、ディスク１００を収納するディスク収納部４０ｄが構成される。これにより、第１の内側面４１ｕがディスク収納部４０ｄの底部となる。
ディスク収納部４０ｄにおいて、第２の内側面４２ｉとディスク１００との間にはディスク１００が回転可能な程度の空間が設けられる。また、ディスク収納部４０ｄの上部はディスク開口部４２ｗになっており、ディスク収納部４０ｄに保持されたディスク１００は、その片面をディスク開口部４２ｗから外部に露出する。
脱落防止部材４２ａ、４２ｂ、４２ｃ、４２ｄは、ディスク開口部４２ｗにその一部がそれぞれ突出するよう、カートリッジ上体４２からスリットにより分割されており、カートリッジ上体４２に一体に設けられている。脱落防止部材４２ａ、４２ｂ、４２ｃ、４２ｄは、ディスク開口部４２ｗからディスク１００が脱落することを防止している。特に、ディスクカートリッジをドライブ装置に垂直に挿入して使用する場合において脱落防止の効果を発揮する。脱落防止部材４２ａ、４２ｂ、４２ｃ、４２ｄは、弾性部材を介してカートリッジ上体４２に一体に形成されていてもよい。
シャッタ５１および５２は、ディスク１００の信号記録面１００Ａとディスク収納部４０ｄの内側面４１ｕとの間に設けられている。シャッタ５１および５２は、回動孔５１ｕおよび５２ｕをそれぞれ有しており、カートリッジ本体４０のディスク収納部４０ｄ以外の領域であって、かつヘッド開口部４１ｈと反対側に設けられた一対の回動軸４１ｓに回動孔５１ｕ、５２ｕが回動自在にそれぞれ嵌合している。このため、チャッキング開口部４１ｃおよびヘッド開口部４１ｈを外部に対して開放または閉塞するようシャッタ５１および５２は回動軸４１ｓを中心に移動する。
シャッタ５１および５２の回動孔５１ｕおよび５２ｕ近傍にはそれぞれカム５１ｃおよびフォロワ５２ｃが設けられている。カム５１ｃおよびフォロワ５２ｃは互いに噛み合う形状を備え、シャッタ５１および５２を互いに連動しながら開閉させる連動機構５０ｃを構成している。
シャッタ５１および５２のディスク信号記録面１００Ａと向かい合う面にはディスク１００への傷つき、もしくは信号記録面１００Ａへの埃塵の侵入を防止する保護層５１ｐ、５２ｐが設けられている。
保護層５１ｐおよび５２ｐは、傷つき防止用不織布、防塵用不織布、傷つき防止用コーティング層、および防塵用コーティング層から適宜選択することができる。本実施形態では、防塵用不織布からなるシートを保護層５１ｐ、５２ｐとして貼着もしくは超音波溶着させている。
シャッタ５１および５２は、ディスク収納部４０ｄ以外の領域にそれぞれ設けられたシャッタバネ６１および６２によって、シャッタ５１および５２が閉じる方向に付勢されている。シャッタバネ６１、６２はシャッタ５１、５２が開く方向に付勢してもよい。また、連動機構によるシャッタ同士の動作が確実であればシャッタバネ５１、５２のうちいずれか一方のみを設けてもよい。
図３５に示すように、第８の実施形態と同様、シャッタ５１および５２の端部にディスク保持部５１ａ、５１ｂ、５２ａ、５２ｂが設けられている。更に、以下で詳述するように、シャッタ５１、５２のディスク１００のセンターホールに対応する領域に凸部５１ｅ、５２ｅが設けられている。
図３４に示すように、カートリッジ本体４０（カートリッジ上体４２）の上面には、ディスクカートリッジ３０９のドライブ装置への挿入方向（矢印１Ａ）を示す矢印形の刻印または凹部４０ａが設けられている。また、カートリッジ本体４０の挿入方向１Ａに対し平行な一対の側面にはそれぞれ凹部４０ｃが設けられている。凹部４０ｃは、ドライブ装置がディスクカートリッジ３０９をローディングする際の、あるいはカートリッジ３０９がチェンジャに収納された場合の、引き込み用の係止もしくは位置決め用の凹みとして用いることができる。またこの凹部４０ｃをカートリッジ３０９の一側面にのみ設けることで、ディスクカートリッジ３０９をドライブ装置に挿入または装着する際の表裏の誤挿入防止機構にもなる。カートリッジ本体４０の上面には操作者がカートリッジ３０９を持つための握り部４０ｅが設けられている。この握り部４０ｅには滑り止め用として凹凸形状が施されている。
図３６はディスク１００がない場合におけるシャッタ５１、５２がチャッキング開口部４１ｃおよびヘッド開口部４１ｈを外部に対して閉塞している状態を示す斜視図である。図３７はディスク１００がない場合におけるシャッタ５１、５２がチャッキング開口部４１ｃおよびヘッド開口部４１ｈを外部に対して開放している状態を示す斜視図である。
以下に、シャッタ５１、５２の構造および動作についてさらに詳しく説明する。図３４及び図３５に示すように、シャッタ５１および５２に設けられたディスク保持部５１ａ、５１ｂ、５２ａ、５２ｂは、第８の実施形態と同様、ディスク投影領域上であって、ディスク１００の外周上に張り出すように傾斜した斜面を有する形状を備えている。つまり、斜面は逆テーパー状をしており、ディスク１００に向かって傾いている。これによって、第８の実施形態と同様の効果を発揮する。
また、シャッタ５２には外部からシャッタを開閉させるための開閉操作部５２ｔが設けられ、シャッタ５１には弾性部５１ｖとこれを介して形成されるロック突起部５１ｋが一体に形成されている。これによって、シャッタ５１、５２がチャッキング開口部４１ｃおよびヘッド開口部４１ｈを閉塞した状態では、弾性部５１ｖにより付勢されたロック突起部５１ｋが、カートリッジ本体４０に形成されたロック孔４０ｋに嵌合し、シャッタ５１を回動しないようカートリッジ本体４０に固定支持する。シャッタ５１が固定されると、連動機構５０ｃにより連結されているシャッタ５２も固定される。
従って、図３６に示すように、外部から突起物等によりロック突起部５１ｋを矢印５０Ａ方向に押してロック孔４０ｋとの嵌合を外しながら、同時に開閉操作部５２ｔを矢印５０Ｂ方向に押すことによってのみ、シャッタ５１および５２を回動させてチャッキング開口部４１ｃとヘッド開口部４１ｈを外部に対して開放し同時にディスク保持部５１ａ、５１ｂ、５２ａ、５２ｂによるディスク１００の保持を解除することができる。このようにして、操作者による安易なディスクの取り外しを防止できる。
また、第８の実施形態とは異なり、シャッタ５１、５２に設けられたロック突起部５１ｋと開閉操作部５２ｔとが別々のシャッタ５１、５２にそれぞれ設けられている。このような構造は、特に小径ディスク用のディスクカートリッジに対して効果を発揮する。なぜなら、小径ディスク用のディスクカートリッジでは、カートリッジ全体およびシャッタが小さくなるため、一つのシャッタにロック突起部と開閉操作部とを形成するのが設計上困難になるからである。また、ロック突起部と開閉操作部とをひとつのシャッタに形成できるとしても、ドライブ装置側に設けるシャッタ開閉機構とロック解除機構との間隔が非常に狭くなったり、小さなスペースに両方の機構を設ける必要が生じたりして、ドライブ装置の設計を困難なものにしてしまうためである。
なお、ロック突起部５１ｋはシャッタ５１に形成していたが、カートリッジ本体４０に形成したロックレバーの弾性部を介した先端にロック突起部および凸部を設け、この凸部とシャッタに設けた凹部との嵌合を、カートリッジ本体に設けたロック孔からロック突起部を押すことにより外し、シャッタを回動自在に開放するようにしてもよい。またこの場合、ロックレバーはシャッタバネ（弾性部材）と共に、カートリッジ本体４０と一体に成形される樹脂バネで形成してもよい。
次にシャッタ５１、５２に設けられた凸部５１ｅ、５２ｅの働きを説明する。図３８はディスク１００中心を通るディスク中心付近の断面図である。図３８に示すように、シャッタ５１、５２が閉塞状態では、凸部５１ｅ、５２ｅはセンターホール１００ｈ内に突出しており、ディスク１００はシャッタ５１、５２と面接触した状態にある。
図３９に示すように、シャッタ５１、５２が開放状態へと移行する際、凸部５１ｅ、５２ｅはセンターホール１００ｈ内からディスク１００の下面へと潜り込み、ディスク１００を持ち上げ、シャッタ５１、５２とディスク１００との面接触を解除する。これにより、シャッタ５１、５２の開閉動作時において、シャッタ５１、５２が信号記録面１００Ａへ傷を付けるのを防止することができる。シャッタ５１、５２の開閉動作による凸部５１ｅ、５２ｅの移動領域は信号記録面１００Ａの信号記録領域よりも内周側であるので、凸部５１ｅ、５２ｅが信号記録領域と接することはなく、信号記録領域に傷を付けることはない。
次に脱落防止部材の構造及び動作について図４０および４１を用いてさらに詳しく説明する。図４０はディスク１００中心を通るディスク外周付近の断面図であり、脱落防止部材４２ｃ（４２ａ、４２ｂ、４２ｄ）の裏面には凸部４２ｃ’（４２ａ’、４２ｂ’、４２ｄ’）が形成されている。図４０に示すように、シャッタ５１、５２が閉塞している状態では、脱落防止部材４２ｃはディスク１００とおおよそ平行であり、カートリッジ３０９の厚み内に収まっている。この状態のディスクカートリッジ３０９の外観は、図３６に示される。
シャッタ５１、５２が開放している状態では、図４１に示すように、シャッタ５１、５２に形成された傾斜部５１ｃ、５１ｄ、５２ｃ、５２ｄがそれぞれ凸部４２ａ’、４２ｂ’、４２ｃ’、４２ｄ’と当接し、脱落防止部材４２ａ、４２ｂ、４２ｃ、４２ｄをディスク１００の上方へ押し上げる。この状態のディスクカートリッジ３０９の外観は、図３７に示される。この構造によって、特に、ディスクカートリッジ３０９がディスクドライブ装置に垂直に挿入されてからディスク１００がチャッキングされるまでの間、ディスク１００がディスクカートリッジ３０９から脱落するのを防止できる。一方、ディスク１００がチャッキングされるときには、ディスク１００が動作し得る空間を広げることができる。またこの構造によって、カートリッジ本体をさらに薄くすることができる。
なお、シャッタ５１、５２が開放している状態において、シャッタ開放状態を一時的に保持するために、傾斜部５１ｃ（５１ｄ、５２ｃ、５２ｄ）に凸部４２ａ’（４２ｂ’、４２ｃ’、４２ｄ’）が係止めするための凸部あるいは凹部を設けてもよい。
（第１０の実施形態）
以下、本発明の第１０の実施形態に係わるディスクカートリッジ３１０について、図を参照しながら説明する。本実施形態のディスクカートリッジ３１０の主要な特徴は、脱落防止部材がシャッタに設けられている点にある。
図４２および４３に示すように、ディスクカートリッジ３１０は、カートリッジ下体７１、カートリッジ上体７２、脱落防止部材８１ｄ、８１ｆ、８２ｄおよび一対のシャッタ８１および８２を含む。
カートリッジ下体７１は、図４３に示すように、外部からディスク１００を回転させるためのスピンドルモータ等のチャッキング部材が侵入できるよう開口したチャッキング開口部７１ｃと、ディスク１００の信号記録面１００Ａに対して信号の再生および記録の少なくとも一方を行うヘッドが侵入し、アクセスできるよう開口したヘッド開口部７１ｈとを有する。カートリッジ下体７１は、ディスク１００の信号記録面１００Ａと対向する。また、ヘッド開口部７１ｃは、カートリッジ下体７１の側面に達している。
カートリッジ上体７２は、ディスク１００の出し入れが可能であり、ディスクの上面を露出するようにディスク１００の全投影領域を開口する円形のディスク開口部７２ｗを有する。カートリッジ上体７２とカートリッジ下体７１とは外縁部で接着もしくは溶着されてカートリッジ本体７０を構成している。
カートリッジ下体７１のディスク１００の信号記録面１００Ａと向かい合う第１の内側面７１ｕと、カートリッジ上体７２のディスク開口部７２ｗを構成する略円筒状の第２の内側面７２ｉとにより、ディスク１００を収納するディスク収納部７０ｄが構成される。これにより、第１の内側面７１ｕがディスク収納部７０ｄの底部となる。
ディスク収納部７０ｄにおいて、第２の内側面７２ｉとディスク１００との間にはディスク１００が回転可能な程度の空間が設けられる。また、ディスク収納部７０ｄの上部はディスク開口部７２ｗになっており、ディスク収納部７０ｄに保持されたディスク１００は、その片面をディスク開口部７２ｗから外部に露出する。
シャッタ８１および８２は、ディスク１００の信号記録面１００Ａとディスク収納部７０ｄの内側面７１ｕとの間に設けられている。シャッタ８１および８２は、回動孔８１ｕおよび８２ｕをそれぞれ有しており、カートリッジ本体７０のディスク収納部７０ｄ以外の領域であって、かつヘッド開口部７１ｈと反対側に設けられた一対の回動軸７１ｓに回動孔８１ｕ、８２ｕが回動自在にそれぞれ嵌合している。このため、チャッキング開口部７１ｃおよびヘッド開口部７１ｈを外部に対して開放または閉塞するようシャッタ８１および８２は回動軸７１ｓを中心に移動する。
シャッタ８１および８２の回動孔８１ｕおよび８２ｕ近傍にはそれぞれカム８１ｃおよびフォロワ８２ｃが設けられている。カム８１ｃおよびフォロワ８２ｃは互いに噛み合う形状を備え、シャッタ８１および８２を互いに連動しながら開閉させる連動機構８０ｃを構成している。
シャッタ８１および８２のディスク信号記録面１００Ａと向かい合う面にはディスク１００への傷つき、もしくは信号記録面１００Ａへの埃塵の侵入を防止する保護層８１ｐ、８２ｐが設けられている。
保護層８１ｐおよび８２ｐは、傷つき防止用不織布、防塵用不織布、傷つき防止用コーティング層、および防塵用コーティング層から適宜選択することができる。本実施形態では、防塵用不織布からなるシートを保護層８１ｐ、８２ｐとして貼着もしくは超音波溶着させている。
シャッタ８１および８２は、ディスク収納部７０ｄ以外の領域にそれぞれ設けられたシャッタバネ９１および９２によって、シャッタ８１および８２が閉じる方向に付勢されている。シャッタバネ９１、９２はシャッタ８１、８２が開く方向に付勢してもよい。また、連動機構によるシャッタ同士の動作が確実であればシャッタバネ８１、８２のうちいずれか一方のみを設けてもよい。
図４３に示すように、第８の実施形態と同様、シャッタ８１および８２の端部にディスク保持部８１ａ、８１ｂ、８２ａ、８２ｂが設けられている。凸部８１ｅ、８２ｅも同様にシャッタ８１、８２に設けられている。
更に、以下で詳述するように、脱落防止部材８１ｆ、８１ｄ、８２ｄがシャッタ８１、８２のディスク保持部８１ａ、８１ｂ、８２ｂ近傍にそれぞれシャッタ８１、８２と一体に形成されている。脱落防止部材８１ｆ、８１ｄ、８２ｄは、弾性部材を介してシャッタ８１、８２と一体に形成されていてもよい。
図４２に示すように、カートリッジ本体７０（カートリッジ上体７２）の上面には、ディスクカートリッジ１のドライブ装置への挿入方向（矢印１Ａ）を示す矢印形の刻印または凹部７０ａが設けられている。また、カートリッジ本体７０の挿入方向１Ａに対し平行な一対の側面にはそれぞれ凹部７０ｃが設けられている。凹部７０ｃは、ドライブ装置がディスクカートリッジ１をローディングする際の、あるいはカートリッジ１がチェンジャに収納された場合の、引き込み用の係止もしくは位置決め用の凹みとして用いることができる。またこの凹部７０ｃをカートリッジ３１０一側面にのみ設けることで、ディスクカートリッジ３１０をドライブ装置に挿入または装着する際の表裏の誤挿入防止機構にもなる。カートリッジ本体７０の上面には操作者がカートリッジ３１０を持つための握り部７０ｅが設けられている。この握り部７０ｅには滑り止め用として凹凸形状が施されている。
図４４はディスク１００がない場合におけるシャッタ８１、８２がチャッキング開口部７１ｃおよびヘッド開口部７１ｈを外部に対して閉塞している状態を示す斜視図である。図４５はディスク１００がない場合におけるシャッタ８１、８２がチャッキング開口部７１ｃおよびヘッド開口部７１ｈを外部に対して開放している状態を示す斜視図である。
以下に、シャッタ８１、８２の構造および動作についてさらに詳しく説明する。図４２及び図４３に示すように、シャッタ８１および８２に設けられたディスク保持部８１ａ、８１ｂ、８２ａ、８２ｂは、第８の実施形態と同様、ディスク投影領域上であって、ディスク１００の外周上に張り出すように傾斜した斜面を有する形状を備えている。つまり、斜面は逆テーパー状をしており、ディスク１００に向かって傾いている。これによって、第８の実施形態と同様の効果を発揮する。
また、シャッタ８２には、外部からシャッタを開閉させるための開閉操作部８２ｔおよび弾性部８２ｖとこれを介して形成されるロック突起部８２ｋが一体に形成されている。これによって、シャッタ８１、８２がチャッキング開口部７１ｃおよびヘッド開口部７１ｈを閉塞した状態では、弾性部８２ｖにより付勢されたロック突起部８２ｋが、カートリッジ本体７０に形成されたロック孔７０ｋ（図４４）に嵌合し、シャッタ８２を回動しないようカートリッジ本体７０に固定支持する。シャッタ８１が固定されると、連動機構８０ｃにより連結されているシャッタ８２も固定される。
従って、図４４に示すように、外部から突起物等によりロック突起部８２ｋを矢印７０Ａ方向に押してロック孔７０ｋとの嵌合を外しながら、同時に開閉操作部８２ｔを矢印７０Ｂ方向に押すことによってのみ、シャッタ８１および８２を回動させてチャッキング開口部７１ｃとヘッド開口部７１ｈを外部に対して開放し同時にディスク保持部８１ａ、８１ｂ、８２ａ、８２ｂによるディスク１００の保持を解除することができる。このようにして、操作者による安易なディスクの取り外しを防止できる。
なお、ロック突起部８２ｋはシャッタ８２に形成していたが、カートリッジ本体７０に形成したロックレバーの弾性部を介した先端にロック突起部および凸部を設け、この凸部とシャッタに設けた凹部との嵌合を、カートリッジ本体に設けたロック孔からロック突起部を押すことにより外し、シャッタを回動自在に開放するようにしてもよい。またこの場合、ロックレバーはシャッタバネ（弾性部材）と共に、カートリッジ本体７０と一体に成形される樹脂バネで形成してもよい。
次に脱落防止部材８１ｆ、８１ｄ、８２ｄの構造および動作について、さらに詳しく説明する。シャッタ８１、８２が閉塞している状態において、脱落防止部材８１ｆ、８１ｄ、８２ｄは図４６および４８に示すように、ディスク１００とおおよそ平行であり、ディスクカートリッジ３１０の上面より脱落防止部材８１ｆ、８１ｄ、８２ｄが突出することはない。この状態のディスクカートリッジ３１０の外観は、図４４に示される。
図４７および４９に示すように、シャッタ８１、８２が開放状態に移行する時、脱落防止部材８１ｆ、８１ｄ、８２ｄはそれぞれカートリッジ７０の内側壁部に設けられたスリット７０ｓおよび内側上壁に設けられた傾斜部７２ｓに案内され、ディスク１００の上方へ押し上げられる。またカートリッジ上体７２には、脱落防止部材８１ｆ、８１ｄ、８２ｄが押し上げられたとき、カートリッジ上体７２と干渉しないよう、切り欠き部７２ａ、７２ｂ、７２ｃがカートリッジ７２に設けられている。この状態のディスクカートリッジ３１０の外観は、図４５に示される。
またシャッタ８１、８２が閉塞した状態において、脱落防止部材８１ｆ、８１ｄ、８２ｄはディスク１００の投影領域でかつディスク１００の上部に位置するので、ディスク１００を厚み方向においてシャッタ８１、８２に押し付け、ディスク１００を保持する構成とし、これによって、シャッタ８１、８２のディスク保持部８１ａ、８１ｂ、８２ａ、８２ｂをなくすことも可能である。
この構造によって、特に、ディスクカートリッジ３１０がディスクドライブ装置に垂直に挿入されてからディスク１００がチャッキングされるまでの間、ディスク１００がディスクカートリッジ３１０から脱落するのを防止できる。一方、ディスク１００がチャッキングされるときには、ディスク１００が動作し得る空間を広げることができる。またこの構造によって、カートリッジ本体をさらに薄くすることができる。
（第１１の実施形態）
以下、本発明の第１１の実施形態に係わるディスクカートリッジ３１１について、図を参照しながら説明する。
図５０および５１に示すように、ディスクカートリッジ３１１は、カートリッジ下体１１、カートリッジ上体１２、一対のシャッタ２１、２２および脱落防止部材２３を含む。これら構成要素の構造や機能は、図５２から５６に示すように、第８の実施形態において説明した通りであるので、詳細な説明は省略する。
図５０および５１に示すように、本実施形態のディスクカートリッジ３１１は、シャッタ２１、２２に孔２０ｈが設けられている点で第８の実施形態のディスクカートリッジ３０８とは異なっている。
具体的には、ディスクカートリッジ３１１のシャッタ２１、２２が閉塞した状態において、シャッタ２１、２２のディスク１００のセンターホール１００ｈに対応する領域には、孔２０ｈが設けられている。孔２０ｈは、シャッタ２１および２２にそれぞれ設けられた切り欠き２１ｈおよび２２ｈによって構成される。
この構造によれば、ディスクカートリッジ３１１を図５０に示すようにディスク１００の上面を上向きにして放置した場合、センターホール１００ｈから進入にする埃は、シャッタ２１、２２に設けられた孔２０ｈを通過して、ディスクカートリッジ３１１に留まることなく外部へ出てしまう。つまり、埃が、シャッタ２１、２２に堆積しない。これにより、シャッタ２１、２２が開いた状態、即ちドライブ装着状態において、埃がディスクの信号記録面側１００Ａに付着するのを防止できる。
孔２０ｈは、ディスクカートリッジ３１１が表向き（図５０に示される状態）にも裏向き（カートリッジ下体１１が上にくる状態）にも放置されることを考慮して、センターホール１００ｈとほぼ同じ直径同径を備えていることが好ましい。このような関係を満たすことによって、ディスクカートリッジ３１１が表向きに放置される場合においてシャッタ２１、２２に埃が付着することを防ぎ、ディスクカートリッジ３１１が裏向きに放置される場合において、ディスク１００の信号記録面側１００Ａに直接埃が付着するのを防止できるためである。
なお、ディスクカートリッジ３１１において、シャッタ２１、２２を開閉するための開閉操作部は、シャッタ２２に設けられており、第８の実施形態のディスクカートリッジ３０８とは異なっている。具体的には、図５１および５７に示すように、開閉操作部２２ｔおよび弾性部２２ｖとこれを介して形成されるロック突起部２２ｋがシャッタ２２と一体に形成されている。このため、第８の実施形態とは異なって、ディスク１００側から見て、開閉操作部２２ｔはヘッド開口部２１ｈの右側に位置している。開閉操作部２２ｔの機能や動作は第８の実施形態のディスクカートリッジ３０８と同じである。
（第１２の実施形態）
以下、本発明の第１２の実施形態に係わるディスクカートリッジ３１２について、図を参照しながら説明する。
ディスクカートリッジ３１２は、ディスク収納部１０ｄの内側側面１２ｉの鍔１２ｔを有する点およびシャッタ２１、２２の孔２０ｈの周囲に凸部２２ｗを有する点で第１１の実施形態のディスクカートリッジ３１１とは異なっている。以下に、これらの特徴について説明をする。
図５８に示すように、鍔１２ｔは、カートリッジ上体１２の内側側面１２ｉからディスク１００の内周方向に張り出しており、ディスク収納部１０ｄの外周部のほぼ全域に形成されている。ディスク１００がディスク収納部１０ｄに収納されたときのディスクカートリッジ３１１の断面は図５９に示されている。シャッタ２１および２２が閉じた状態では、図５９に示すように、ディスク１００の信号記録面１００Ａの外周部は鍔１２ｔに当接する。これにより、ディスク１００の外周部とカートリッジ本体との隙間が塞がり、信号記録面１００Ａ側へ埃が進入するのを防止することができる。
カートリッジ本体１０の鍔１２ｔとカートリッジ下体１１との間には、空隙１０ｗを設けており、シャッタ２１、２２が開くとき、図６０および６１に示すように、空隙１０ｗにシャッタ２１、２２の一部が入り込んで、カートリッジ本体１０とシャッタ２１、２２とが干渉するのを防いでいる。
このような構造においては、図５９に示すように、シャッタ２１、２２が閉じている時、ディスク１００とシャッタ２１、２２との間に外部に通じる隙間１０ｚが生じる。この隙間１０ｚを塞ぐためディスクセンターホール１００ｈ近傍に凸部２１ｗおよび２２ｗをシャッタ２１および２２に設けている。図５８に示すように、シャッタ２１、２２が閉じた状態では、凸部２１ｗ、２２ｗは密着し、ディスクセンターホール１００ｈ近傍の全周を塞ぐ凸部２０ｗが形成される。これによりディスクセンターホール１００ｈ近傍からディスク１００の信号記録面１００Ａ側への埃の進入を防止できる。
凸部２１ｗ、２２ｗの先端は、ディスク１００の信号記録面１００Ａと接触する可能性がある。このため、凸部２１ｗ、２２ｗの稜線を丸くして、ディスクへの傷付きを防止することが好ましい。また、凸部２１ｗ、２２ｗは、シャッタ２１、２２とそれぞれ一体に形成してもよい。この場合、凸部２０ｗのディスク１００と当接する部分にディスクへの傷付き防止用の不織布を粘着あるいは超音波溶着するか、傷付き防止用のコーティングを形成することが好ましい。また、凸部２１ｗ、２２ｗ自体をディスクへの傷付き防止用の不織布あるいは傷付き防止用のコーティングで形成し、シャッタ２１および２２上に直接、超音波溶着するか、または固着してもよい。
また、図５９に良く示されているように、シャッタ２１および２２が閉塞状態では、ディスク１００は凸部２０ｗと鍔１２ｔとにより、シャッタ２１および２２から空隙１０ｚだけ浮いた状態でシャッタ２１および２２に保持されている。すなわち、ディスク１００の信号記録面１００Ａの大部分はシャッタ２１および２２には面接触していない。従って、シャッタ２１および２２に傷付防止用不織布の貼り付け等の処理が施されていない場合でも、信号記録面１００Ａに傷がつくことを防止できるという効果もある。
図６２および６３は、ディスク１００の外周方向に拡大された凸部２１ｗ’および２２ｗ’を有するディスクカートリッジを示しており、図６２はシャッタ２１、２２が閉じた状態を示し、図６３はシャッタ２１、２２が開いた状態を示している。
図６２および６３に示すように凸部２１ｗ’および２２ｗ’は、シャッタ２１、２２が開放している状態において、ディスク収納部１０ｄに設けられた鍔１２ｔよりもディスク収納部の中心側に設けられていることが好ましい。これにより、凸部２１ｗ’および２２ｗ’と鍔１２ｔとが接触したり干渉したりすることを防ぐことができる。
凸部２１ｗ’および２２ｗ’はシャッタ２１および２２とそれぞれ一体に形成してもよい。この場合、凸部２１ｗ’および２２ｗ’のディスク１００と当接する部分にディスクへの傷付き防止用の不織布を粘着あるいは超音波溶着するか、傷付き防止用のコーティングを形成することが好ましい。また、凸部２１ｗ’および２２ｗ’自体をディスクへの傷付き防止用の不織布あるいは傷付き防止用のコーティングで形成し、シャッタ２１および２２上に直接、超音波溶着するか、または固着してもよい。
（第１３の実施形態）
以下、本発明の第１３の実施形態に係わるディスクカートリッジ３１３について、図を参照しながら説明する。
まず、図６４および６５を参照して、ディスクカートリッジ３１３のおおまかな構造を説明する。なお、第８の実施形態と同様、図６４および６５に示されるディスク１００は第１および第２の面を備えており、図６４では、第１の面であり、通常ディスクのラベル等が描かれている面が示されている。ディスク１００の第２の面である信号記録面１００Ａは、図６５において裏面として示されている。
図６４および６５に示すように、ディスクカートリッジ３１３はカートリッジ下体１１、カートリッジ上体１２、一対のシャッタ２１、２２および脱落防止部材２３を含む。
カートリッジ下体１１は、図６５に示すように、外部からディスク１００を回転させるためのスピンドルモータ等のチャッキング部材が侵入できるよう開口したチャッキング開口部１１ｃと、ディスク１００の信号記録面１００Ａに対して信号の再生および記録の少なくとも一方を行うヘッドが侵入し、アクセスできるよう開口したヘッド開口部１１ｈとを有する。カートリッジ下体１１は、ディスク１００の信号記録面１００Ａと対向する。またカートリッジ下体１１は合成樹脂を成形して形成されている。
ヘッド開口部１１は、カートリッジ下体１１の側面にまで達しており、ヘッド開口部１１ｈによりカートリッジ下体１１の剛性が弱くなるのを防止するために、ヘッド開口部１１ｈを繋ぐ橋梁部１１ｂをカートリッジ下体１１は有している。
またカートリッジ下体１１の裏面には、ドライブ装置側のカートリッジ位置決めピンを挿入するための位置決めピン係合孔１１ｗを２ヶ所設けている。
カートリッジ上体１２は、ディスク１００の出し入れが可能であり、ディスクの上面を露出するようにディスク１００の全投影領域を開口する円形のディスク開口部１２ｗを有する。カートリッジ上体１２とカートリッジ下体１１とは外縁部で接着もしくは溶着されてカートリッジ本体１０を構成している。カートリッジ上体１２も合成樹脂から形成されている。
カートリッジ下体１１のディスク１００の信号記録面１００Ａと向かい合う第１の内側面１１ｕと、カートリッジ上体１２のディスク開口部１２ｗを構成する略円筒状の第２の内側面１２ｉとにより、ディスク１００を収納するディスク収納部１０ｄが構成される。これにより、第１の内側面１１ｕがディスク収納部１０ｄの底部となる。
ディスク収納部１０ｄにおいて、第２の内側面１２ｉとディスク１００との間にはディスク１００が回転可能な程度の空間が設けられる。また、ディスク収納部１０ｄの上部はディスク開口部１２ｗになっており、ディスク収納部１０ｄに保持されたディスク１００は、その片面をディスク開口部１２ｗから外部に露出する。
脱落防止部材２３は、その一部がディスク開口部１２ｗに突出するようにカートリッジ上体１２に着脱可能に設けられている。図２３および２４に示すように、本実施形態では脱落防止部材２３は２つ設けられている。一方、カートリッジ上体１２には、カートリッジ上体１２と一体に形成されており、ディスク開口部１２ｗから突出している脱落防止部１２ｓが設けられている。２つの脱落防止部材２３および脱落防止部２３ｓは、ディスク開口部１２ｗの円周上において、おおよそ等間隔に配置されており、ディスク開口部１２ｗからディスク１００が脱落することを防止する。また脱落防止部１２ｓの一部に凸形状のディスク当接部１２ｓ’を２ヶ所設けている。このディスク当接部１２ｓ’の高さは、ディスク１００から見た場合、脱落防止部材２３のディスク当接部２３ａと同じ高さである。
この構造によって、ディスクカートリッジ３１３が垂直、或いは裏向きの状態で使用されても、ディスク１００の姿勢を安定に保つことができる。従って、ディスクカートリッジ３１３を垂直、あるいは裏向きの状態でドライブ装置に挿入して使用する場合において、特に脱落防止の効果を発揮する。なお、脱落防止部材２３は、着脱可能にカートリッジ本体１０に取り付けられていなくてもよい。ディスク１００がカートリッジ本体１０から取り出せる程度にディスク収納部１０ｄ内において回動あるいは昇降できる限り、カートリッジ上体１２に脱落防止部材２３が固定されていてもよい。
シャッタ２１および２２は、ディスク１００の信号記録面１００Ａとディスク収納部１０ｄの内側面１１ｕとの間の同一平面上に設けられている。シャッタ２１および２２は、回動孔２１ｕおよび２２ｕをそれぞれ有しており、カートリッジ本体１０のディスク収納部１０ｄ以外の領域であって、かつヘッド開口部１１ｈと反対側に設けられた一対の回動軸１１ｓに回動孔２１ｕ、２２ｕが回動自在にそれぞれ嵌合している。このため、チャッキング開口部１１ｃおよびヘッド開口部１１ｈを外部に対して開放または閉塞するようシャッタ２１および２２は回動軸１１ｓを中心に移動する。シャッタ２１および２２も合成樹脂から形成される。
シャッタ２１および２２の回動孔２１ｕおよび２２ｕ近傍にはそれぞれリング形状部２１ｃおよびピン状部２２ｃが設けられている。リング形状部２１ｃおよびピン状部２２ｃは互いに噛み合う形状を備え、シャッタ２１および２２を互いに連動しながら開閉させる連動機構２０ｃを構成している。連動機構２０ｃは、カム機構、あるいは歯車機構等の連動動作可能な他の機構で構成してもよい。
シャッタ２１および２２のディスク信号記録面１００Ａと向かい合う面にはディスク１００への傷つき、もしくは信号記録面１００Ａへの埃塵の侵入を防止する保護層２１ｐ、２２ｐが設けられている。
保護層２１ｐおよび２２ｐは、傷つき防止用不織布、防塵用不織布、傷つき防止用コーティング層、および防塵用コーティング層から適宜選択することができる。本実施形態では、防塵用不織布からなるシートを保護層２１ｐ、２２ｐとして貼着もしくは超音波溶着させている。
シャッタ２１に設けられたロック突起部２１ｋと、これと噛み合うよう、シャッタ２２に設けられたロック係合部２２ｋとは、シャッタ２１および２２を互いに開閉ロックさせるロック機構２０ｋを構成している。この構造により、シャッタ２１および２２同士を開閉ロックすることができるので、操作者が容易にシャッタを開放させてしまうことを防ぐ。そして、ディスク１００の信号記録面１００Ａへの埃・指紋・傷等の付着を防止する。ロック突起部２１ｋはシャッタ２１と、ロック係合部２２ｋはシャッタ２２と、それぞれ一体に形成されている。
また、シャッタ２１および２２には切り欠き２１ｈおよび２２ｈが設けられている。シャッタ２１および２２が閉塞状態では切り欠き２１ｈと２２ｈとが当接し、孔２０ｈを形成する。シャッタ２１および２２が閉塞している状態において、孔２０ｈは、ディスク１００のセンターホール１００ｈに対応する位置にあり、孔２０ｈの直径はディスク１００のセンターホール１００ｈの直径とほぼ等しい。これにより、ディスクカートリッジ３１３が表向きに放置される場合においてシャッタ２１、２２に埃が付着することを防ぎ、ディスクカートリッジ３１１が裏向きに放置される場合において、ディスク１００の信号記録面側１００Ａに直接埃が付着するのを防止できる。
第８の実施形態等で説明したように、シャッタ２１および２２には、シャッタが閉塞状態の時にディスク１００を保持するためのディスク保持部２１ａ、２１ｂ、２２ａ、２２ｂがディスク円周上に散在する形でシャッタ２１および２２と一体に成形されている。ディスク保持部２１ａ、２１ｂ、２２ａ、２２ｂのディスク１００と当接する部分は逆テーパー状の斜面になっている。これらの斜面により、シャッタ２１、２２が閉塞状態において、ディスク１００をシャッタ２１、２２側に押圧しながら確実に保持することができる。
また、本実施形態では、ディスク保持部２１ｂのみ、シャッタ２１に固定されずに弾性部２１ｄにより結合されており、ディスク１００の半径方向（ディスクの中心へ向かって）自在に移動できるように形成されている。これにより、装着されるディスクの直径、あるいは厚みがばらついた場合でも、ガタつきなく確実にディスク保持部２１ａ、２１ｂ、２２ａ、２２ｂがディスク１００を保持できる。
回動孔２２ｕの反対側、即ちディスク保持部２２ａの近傍にはシャッタ２２を開閉操作するためのシャッタ開閉操作部２２ｔがシャッタ２２に一体に形成されている。そしてカートリッジ本体１０にシャッタ２１および２２装着された場合、シャッタ開閉操作部２２ｔは橋梁部１１ｂの下側のヘッド開口部１１ｈ内に位置する。シャッタ２１および２２を開閉操作する際、開閉操作部２２ｔは、橋梁部１１ｂに沿って、ヘッド開口部１１ｈ内で移動する。この配置により、カートリッジ本体１０にシャッタ開閉操作部２２ｔが移動するための空隙を別途設ける必要がなくなる。言い換えれば、カートリッジ本体１０に余計な空隙を設ける必要がなくなり、カートリッジ本体１０内への埃の進入を防止することができる。またシャッタ開閉操作部２２ｔをカートリッジ本体１０の外形領域内に配置することができるので、デザイン的に優れたカートリッジを提供することができる。
図６６に示すように、シャッタ２１とシャッタ２２とは、一直線上において当接するのではなく、直線上にない複数の接合面を有する。具体的には、チャッキング開口部１１ｃ領域では、シャッタ２１およびシャッタ２２は、それぞれ第１の接合面である２１ｆおよび２２ｆを有し、ヘッド開口部１１ｈ領域では、シャッタ２１およびシャッタ２２は、それぞれ第２の接合面である２１ｇおよび２２ｇを有している。接合面２１ｆおよび２２ｆは、本実施形態ではディスクカートリッジ３１３の対称中心線上で当接する。一方、接合面２１ｇおよび２２ｇは、対称中心線から所定の角度、ここでは約１５〜１６度だけずれた直線上で当接している。このような形状にすることにより、シャッタ開閉操作部２２ｔ近傍から一体化した形状でシャッタ２２を形成することができ、シャッタ２２の剛性を十分確保することができる。
シャッタ２１および２２は、ディスク収納部１０ｄ以外の領域にそれぞれ設けられたシャッタバネ３１および３２によって、シャッタ２１および２２が閉じる方向に付勢されている。シャッタバネ３１および３２は、カートリッジリッジ下体１１に２ヶ所設けたバネ柱１１ｔにそれぞれ挿入される。本実施形態では、シャッタバネ３１および３２としてねじりコイルバネを使用している。同じ形状のバネをシャッタバネ３１および３２として用いることにより、コストを低減している。ねじりコイルバネ以外に、圧縮バネ、板バネ、樹脂弾性バネ等、種々の弾性部材をシャッタバネとして用いることができる。
図６５に示すように、ディスクカートリッジ３１３は、ライトプロテクト部材４０を備えている。ライトプロテクト部材４０は、カートリッジ下体１１の溝部１１ｖに摺動可能に装着される。ライトプロテクト部材４０を摺動することにより、凸部４０ｔの位置が移動し、ドライブ装置に設けられた検出スイッチが、凸部４０ｔの位置に対応してＯＮまたはＯＦＦ状態になる。これによってディスク１００への記録を禁止したり、許可したりすることができる。
上述したカートリッジ下体１１とカートリッジ上体１２からなるカートリッジ本体１０、脱落防止部材２３、シャッタ２１、２２、シャッタバネ３１、３２、ライトプロテクト部材４０により、ディスクカートリッジ３１３は構成されている。
カートリッジ下体１１とカートリッジ上体１２が接合される際、カートリッジ下体１１の２つの回動軸１１ｓはカートリッジ上体１２の２つの凹部１２ｈにそれぞれ勘合されるようになっている。これにより回動軸１１ｓの剛性が上がり、シャッタ２１および２２が開放状態の時においても、シャッタバネ３１および３２の付勢力によるシャッタ回動周辺部のねじれが低減でき、確実なシャッタ開放量を確保できる。
カートリッジ本体１０（カートリッジ上体１２）の上面には、収納されるディスク１００に書き込まれた内容などを記述することのできるラベル面１０ｆ、ディスクカートリッジ１のドライブ装置への挿入方向（矢印１Ａ）を示す矢印形の刻印または凹部１０ａが設けられている。
また、挿入方向１Ａに平行なカートリッジ本体１０の２つの側面に設けた一対の凹部１０ｃおよび１０ｅは、ドライブ装置がディスクカートリッジ１をローディングする際の、或いはカートリッジ１がチェンジャに収納された場合の、引き込み用の係止もしくは位置決め用の窪みとして用いることができる。またカートリッジ本体の一側面に設けたスリット部１０ｂは、ドライブ装置にディスクカートリッジ１を挿入する際の表裏検出用の窪みとして用いることができる。
次に、ディスクカートリッジ３１３の動作について、シャッタが閉じた状態を示す図６６、シャッタが開いた状態を示す図６７、シャッタロック部詳細図である図６８、およびシャッタのディスク保持部の詳細図である図６９を参照しながら説明する。
まずディスクカートリッジ３１３がドライブ装置に装着されない状態、即ち保管状態について説明する。このとき、図６６に示すようにシャッタ２１および２２は閉塞している状態にあり、図６９に示すように、シャッタ２２のディスク保持部２２ａの斜面部２２ａ’がディスク１００の稜に当接することにより、ディスク１００を保持し、かつ厚み方向１００ｔ方向へ押圧し、シャッタ２２のシート２２ｐに信号記録面１００Ａを面接触させ、ディスク１００をカートリッジ本体１０に保持固定する。その他のディスク保持部２１ａ、２１ｂ、２２ｂについてもそれぞれ斜面部２１ａ’、２１ｂ’、２２ｂ’が形成されており、斜面部２２ａ’と同様にディスク１００をカートリッジ本体１０に保持固定する。
この状態では、ディスク１００の信号記録面１００Ａがシート２１ｐおよび２２ｐに密着しているため、信号記録面１００Ａへの埃の付着を防止できる。また、外部から露出したディスク１００の片面を強制的に回転させることにより、またはシャッタ２１および２２を強制的に開閉動作させることにより、ディスク１００の信号記録面１００Ａに付着した埃や指紋等の汚れを払拭することもできる。
またロック機構２０ｋによりシャッタ２１および２２は開閉ロックされているので、操作者が簡単にはシャッタ２１および２２を開放できない。従って、ディスク１００の信号記録面側１００Ａを保護でき、埃、指紋、傷等の付着を防止できる。
またディスク１００のセンターホール１００ｈに対応するシャッタ２１および２２の領域には、シャッタ２１および２２のそれぞれの切り欠き２１ｈと２２ｈとによって形成される孔２０ｈを設けている。したがって、カートリッジ３１３が放置された状態において、センターホール１００ｈから進入による埃がシャッタ２１および２２に付着するのを防止できる。
またシャッタ２１および２２が閉塞している時、シャッタ２１と２２との接合面のうち、少なくともヘッド開口部１１ｈとチャッキング開口部１１ｃの上で突き合わされる接合面２１ｆおよび２２ｆならびに接合面２１ｇおよび２２ｇは、図７０および７１に示すように、ディスク１００の厚み方向に重畳している。従って、ディスク１００の直径がばらついている等の理由によって、シャッタ２１および２２が完全には閉塞しない場合、あるいはシャッタ２１とシャッタ２２とのロックが不完全であるため、シャッタ２１および２２が完全には閉塞しない場合であっても、シャッタ２１および２２の接合面には隙間を生じない。このため、このような場合でも、ディスク１００に埃、指紋、傷等が付着することを確実に防止できる。
また図７０に示すように、ヘッド開口部１１ｈ周辺において、シャッタ２１と２２とは、シャッタ２２の接合面２２ｇがシャッタ２１の接合面２１ｇよりも上になるように接合している。一方、図７１に示すように、チャッキング開口部１１ｃ周辺においては、シャッタ２１と２２とは、シャッタ２１の接合面２１ｆがシャッタ２２の接合面２２ｆよりも上になるように接合している。この様にシャッタ２１および２２が当接する複数の接合面の間で接合面の角度が異なるようにしてもよい。このような構造にすることによって、ディスクの厚み方向に対して２枚のシャッタ２１および２２が確実に係合するので、シャッタ２１および２２のそれぞれが浮きあがることを防止でき、更に、シャッタ２１および２２が閉塞した状態において、シャッタ２１および２２の接合面の剛性を高めることができる。
なお、本実施形態において、シャッタ２１および２２は、図７０および７１に示すような接合面２１ｇ、２２ｇ、２１ｆ、２２ｇを有しているが、シャッタ２１および２２の接合面の位置や接合の仕方は、図７０および７１に示す以外の位置や接合の仕方であってもよい。例えば、図７０および７１において示している接合面２１ｇ、２２ｇをヘッド開口部１１ｈ周辺に配置し、接合するようにしてもよいし、逆に図７０および７１において示している接合面２１ｆ、２２ｆをチャッキング開口部１１ｃ周辺に配置し、接合するようにしてもよい。これにより、シャッタ２１および２２の閉塞時の剛性がより向上し、接合面の隙間を減少させることができ、カートリッジ内部への埃の侵入を防止できる。
またシャッタ２１および２２が閉塞している状態では、図６８に示すシャッタ２１および２２に設けた凸部２１ｊ、２２ｊがそれぞれ図６５に示すカートリッジ上体１２に設けられた２個のシャッタストッパー部１２ｆに当接している。したがって、シャッタ２１および２２は回動に対して規制されており、閉塞している状態から移動することはない。これにより、シャッタのガタを防止することができ、また、操作者の故意的な扱いによるシャッタの破損を防止することができる。さらにシャッタ２１および２２の回動が規制されるため、シャッタ開閉操作部２２ｔの位置が変動しない。このため、ディスクカートリッジ３１３をドライブ装置に挿入した場合、ドライブ装置のシャッタ開閉機構がシャッタ開閉操作部２２ｔを確実に係合することができる。
次にディスクカートリッジ３１３がドライブ装置に装着される状態を説明する。図６６に示すように、ディスクカートリッジ３１３を１Ａ方向にドライブ装置に挿入すると、ドライブ装置に設けたカートリッジ位置決めピンがディスクカートリッジ３１３の位置決めピン係合孔１１ｗに係合し、ドライブ装置内でのディスクカートリッジ３１３の水平方向および高さ方向の位置決めがなされる。
次にドライブ装置内に備えられたシャッタ開閉機構のシャッタ開閉部材が図６８に示すシャッタ開閉操作部２２ｔに係合し、かつシャッタ開閉機構のロック解除部材がシャッタ２１のロック弾性部２１ｅで繋がったロック押圧部２１ｔを２０Ａ方向に押圧する。これにより、ロック機構２０ｋのロック突起部２１ｋとロック係合部２２ｋとが離れ、ロックが解除される。この状態で同時にシャッタ開閉部材によりシャッタ開閉操作部２２ｔが２０Ｂ方向に移動する。図６７に示すように、シャッタ２１は回動軸１１ｓを回動中心にして、シャッタバネ３１の付勢力に反して回動する。これに伴い、連動機構２０ｃで連動したシャッタ２２も同様にシャッタバネ３２の付勢力に反して回動する。したがって、シャッタ２１が完全に開くと、シャッタ２２も開放が完了する。
またこのとき、ロック突起部２１ｋおよびロック押圧部２１ｔはロック弾性部２１ｅにより元の形状位置に復帰している。したがって、樹脂によって形成されたロック弾性部２１ｅの塑性変形は発生しない。この様にして、ディスク１００の信号記録面１００Ａはチャッキング開口部１１ｃとヘッド開口部１１ｈを通じて外部に露出される。またディスク保持部２１ａ、２１ｂ、２２ａ、２２ｂにより保持されていたディスク１００は、シャッタ２１および２２が回動することにより、保持から開放され、ディスク収納部１０ｄ内で回転可能な状態となる。
続いて、ドライブ装置のスピンドルモータおよびターンテーブル、ヘッドが、それぞれチャッキング開口部１１ｃとヘッド開口部１１ｈに進入し、ディスク１００への記録あるいは再生が可能な状態となる。
この様に、外部から突起物等によりロック突起部２１ｋを２０Ａ方向に押してロック係合部２２ｋとの嵌合を外しながら、同時にシャッタ開閉操作部２２ｔを矢印２０Ｂ方向に押すことによってのみ、シャッタ２１および２２を回動させてチャッキング開口部１１ｃとヘッド開口部１１ｈを外部に対して開放し、同時にディスク保持部２１ａ、２１ｂ、２２ａ、２２ｂによるディスク１００の保持を解除することができる。従って、操作者による安易なシャッタの開放、あるいはディスクの取り外しを防ぐことができるので、ディスク１００への埃・指紋・傷等の付着を防止することができる。
次にディスクカートリッジ３１３がドライブ装置からイジェクトされる状態を説明する。ドライブ装置のイジェクト機構が作動すると、シャッタ開閉操作部２２ｔに係合したシャッタ開閉部材がシャッタ開閉操作部２２ｔより離れる。これによりシャッタ２１および２２の開放維持ができなくなり、シャッタバネ３１および３２で閉塞方向に付勢されているシャッタ２１および２２は、閉塞方向に回動する。その結果、シャッタ２１および２２がヘッド開口部１１ｈおよびチャッキング開口部１１ｃを閉塞する。この時、シャッタ２１および２２はロック機構２０ｋにより開閉ロックされる。またディスク１００はディスク保持部２１ａ、２１ｂ、２２ａ、２２ｂにより保持され、元の状態に戻る。この状態でカートリッジ３１３はドライブ装置からイジェクトされる。
なお、ディスクカートリッジ３１３において、図６９に示すように、カートリッジ本体１０に設けた脱落防止部材２３のディスク当接部２３ａの高さとカートリッジ上体１２のディスク当接部１２ｓ’の高さは同じである。またシャッタ２１および２２のディスク保持部２１ａ（２１ｂ、２２ａ、２２ｂ）の斜面部２１ａ’（２１ｂ’、２２ａ’、２２ｂ’）は、ディスク当接部２３ａおよび１２ｓ’よりもディスク１００の上方向即ち１００ｕ方向へ向けて高く形成されている。これにより、ドライブ装置の形態に次第によってディスクカートリッジ３１３が垂直の状態、あるいは裏向きの状態で使用された場合でも、シャッタ２１および２２はディスク１００を確実に保持することができる。例えば、特にディスク１００が裏向きの状態で使用された場合、ディスク１００はチャッキング状態から開放されるとディスク当接部２３ａおよび１２ｓ’に当接し、安定した水平状態を維持する。この状態でシャッタ２１および２２が閉塞状態に移行すると、ディスク１００は斜面２１ａ’（２１ｂ’、２２ａ’、２２ｂ’）に当接し、斜面を滑らかに滑り込みディスク保持部２１ａ（２１ｂ、２２ａ、２２ｂ）により確実に保持される。
以上述べたように、本実施形態のディスクカートリッジによれば、カートリッジ本体にディスク開口部を有する構造を備え、ディスクの一方の面のみを覆っておる。また、シャッタの開閉操作部をカートリッジ本体のヘッド開口部に設けることにより、カートリッジ本体に不要な隙間を形成する必要がなくなる。これによって、カートリッジ本体内への埃の進入を防止することができる。
また、２枚のシャッタをチャッキング開口部領域ではディスクの中心線上で当接させ、ヘッド開口部領域ではディスクの中心線から所定の角度だけずれた直線上で当接させている。これにより、シャッタ開閉操作部近傍から一体化した形状にすることができ、シャッタの剛性を十分確保することができる。
また２枚のシャッタは互いに開閉ロックされる構成としているため、操作者は容易にシャッタを開放することができない。したがって、ディスクへの埃・指紋・傷等の付着を防止することができる。
また複数のディスク保持部のうち、少なくとも一つはシャッタに固定されずに弾性部により結合されており、シャッタバネの力も付加されディスクの半径方向に弾性変形できる。これにより装着されるディスクの径がばらついた場合でも、ガタつきなく確実にディスクを保持することができる。
（第１４の実施形態）
以下に本発明の第１４の実施形態によるディスクカートリッジ３１４について図７２から８１を参照して説明する。本実施形態のディスクカートリッジ３１４において第１３実施形態のディスクカートリッジ３１３と同じ構成要素には同じ参照符号を付している。
ディスクカートリッジ３１４が、第１３の実施形態のディスクカートリッジ３１３と異なっている点は、カートリッジ上体１２の内側上面１２ｕの形状（図７９）、ディスク保持部２１ａ、２１ｂ、２２ａおよび２２ｂの形状（図７２から７９）、ならびに脱落防止部材５３の形状（図７２、７７、７８）である。また、ディスクカートリッジ３１４は更にディスク受け部６０（図７２および８１）を有している。以下にディスクカートリッジ３１４のこれら相違点を主に説明する。
第１３の実施形態のディスクカートリッジ３１３において、ディスク保持部２１ａ、２１ｂ、２２ａ、２２ｂの高さは、ディスク１００の外周に沿ってほぼ同じであった。これに対し、本実施の形態のディスクカートリッジ３１４では、図７３および７９に示すように、ディスク保持部２１ｂ、２２ａおよび２２ｂの一部に突起が設けられている。具体的には、ディスク保持部２１ｂ、２２ａおよび２２ｂは、突起を含み、第１の高さｈ１を有する第１の領域１２１ｂ、１２２ａおよび１２２ｂと、第２の高さｈ２を有する第２の領域２２１ｂ、２２２ａおよび２２２ｂとをそれぞれ含んでいる。一方、ディスク保持部２１ａは、第２の高さｈ２を有する第２の領域２２１ａのみを含んでいる。
第１の高さｈ１は第２の高さｈ２よりも大きいが、第１３実施形態のディスクカートリッジ３１３のディスク保持部２１ａ、２１ｂ、２２ａ、２２ｂの高さと同程度である。つまり、本実施の形態のディスク保持部２１ａ、２１ｂ、２２ａ、２２ｂは、第１の領域１２１ｂ、１２２ａおよび１２２ｂをのぞいて、第１３の実施形態のディスクカートリッジ３１３のディスク保持部２１ａ、２１ｂ、２２ａ、２２ｂよりも低くなっている。
また、図７４および７５に示すように、ディスク保持部２２ａの第１の領域１２２ａの上面は、ディスクの外周に沿う方向にそって、ディスク側が高くなっている段差２２３が設けられている。ディスク保持部２１ｂの第１の領域１２１ｂの上面およびディスク保持部２２ｂの第１の領域１２２ｂも同様に段差を備えている。
第１の領域１２１ｂ、１２２ａおよび１２２ｂは、シャッタ２１および２２が閉じてきたときにそれぞれのディスク保持部２１ｂ、２２ａおよび２２ｂにおいて、一番早くディスクと接する領域であり、したがって、第２の領域２２１ｂ、２２２ａ、２２２ｂよりも先にディスク１００と接する。
ディスク保持部２１ａ、２１ｂ、２２ａ、２２ｂはシャッタ２１および２２の開閉にともなって移動する。図７７および７８はシャッタ２１および２２が閉じているときおよび開いているときのディスク保持部２１ａ、２１ｂ、２２ａ、２２ｂの位置をよく示している。また、図７９および８０には、図７８に示されるＢ−Ｂ断面およびＣ−Ｃ断面が示されている。
図７７から７９に示すように、カートリッジ上体１２の内側上面１２ｕであって、シャッタ２１および２２を開閉したとき、ディスク保持部２１ｂ、２２ａ、２２ｂの第１の領域１２１ｂ、１２２ａ、１２２ｂが通過する領域１２ｘ、１２ｙ、１２ｚは窪んでいる。一方、第２の領域２２１ｂ、２２２ａ、２２２ｂが通過する領域１２ｘ’、１２ｙ’、１２ｚ’は窪んでいない。したがって、領域１２ｘ、１２ｙ、１２ｚにおけるカートリッジ上体１２の厚みは、領域１２ｘ’、１２ｙ’、１２ｚ’や他の領域に比べて薄くなっている。
図７６および７９に示すように、第１の領域１２２ａの先端は、脱落防止部材５１の下面よりも上に位置している。また、ディスク保持部２２ａの第１の領域１２２ａの先端部分が、カートリッジ上体１２の内側上面１２ｕに設けられた領域１２ｘの凹部に入り込んでおり、領域１２ｘの凹部が第１の領域６２ａの先端部分を受けている。第１の領域１２２ａの先端部分では、段差２２３により、第１の領域１２２ａの上面の一部のみが内側上面１２ｕと接している。第２の領域２２２ａは、カートリッジ上体１２の内側上面１２ｕと接していない。
シャッタ２１および２２の開閉動作を円滑にするために、ディスク保持部２２ａの第１の領域１２２ａの先端部分とカートリッジ上体１２の内側上面１２ｕとの接触による摩擦は小さいほうが好ましい。このため、ディスク保持部２２ａの第１の領域１２２ａの先端部分は、ディスク１００の半径方向に沿う断面が円弧の一部となる凸部形状になっている。段差２２３は、先端部分を鋭利な形状とすることによる強度の不足を補い、先端部分の成形精度を上げると共に成形を容易にするために設けられている。
図８０に示すように、ディスク保持部２２ｂにおいても、第１の領域１２２ｂの先端は、脱落防止部材５３の下面より上方に位置している。また、第１の領域１２２ｂの先端部分は、カートリッジ上体１２の内側上面１２ｕに設けられた領域１２ｚの凹部に入り込んでおり、領域１２ｚの凹部が第１の領域１２２ｂの先端部分を受けている。図示しないが、ディスク保持部２１ｂにおいても、第１の領域１２１ｂの先端が脱落防止部材５３の下面より上方に位置しており、カートリッジ上体１２の内側上面１２ｕに設けられた領域１２ｙの凹部に入り込んでいる。
このように、カートリッジ上体１２の内側上面１２ｕの領域１２ｘ、１２ｙ、および１２ｚを窪ませ、その凹部に、ディスク保持部の一部を入り込ませることによって、領域１２ｘ、１２ｙ、および１２ｚの凹部の深さ分だけ、ディスクカートリッジ９１全体を薄くすることができる。
このような構造によれば、仮にカートリッジが垂直あるいは裏向きの状態で使用された場合でも、ディスク１００がチャッキングから開放され、シャッタ２１および２２が閉じてくると、確実にディスク保持部２２ａの第１の領域１２２ａの傾斜部１２２ａ’がディスク１００に当接する。そして傾斜部１２２ａ’を滑らかに滑り込んで、ディスク保持部２２ａの第２の領域２２２ａの傾斜部２２２ａ’も当接するようになる（図７４）。このとき、突起の設けられていないディスク保持部２１ａの第２の領域２２１ａの傾斜部２２１ａ’もディスク１００に当接する。その結果、ディスク保持部２１ａおよび２２ｂが、協同してディスク１００を保持するようになる。ディスク保持部２１ｂおよび２２ｂも同様の動作によって、ディスク１００を保持する。したがって、ディスクカートリッジを薄くしても、あらゆる姿勢においてシャッタを確実に閉じることができ、ディスクを確実に保持することができる。
なお、もし、ディスク保持部の形状を第１の実施形態と同じにしたままで、ディスクカートリッジ全体を薄くしようとすれば、図７８に示すように、カートリッジ上体１２の内側上面１２ｕのディスク保持部２２ａ、２１ｂ、および２２ｂ全体が通過する領域１２ｘ、１２ｘ’、１２ｙ、１２ｙ’１２ｚ、および１２ｚ’を窪ませる必要がある。この場合、カートリッジ上体１２において、かなり広い面積にわたって厚みが薄くなってしまい、ディスクカートリッジ全体の強度を損ねてしまう。これに対して、ディスクカートリッジ９１によれば、厚みを薄くしている領域１２ｘ、１２ｙ、１２ｚは狭いので、ディスクカートリッジ全体の強度を損なうことなく、ディスクカートリッジの厚みを小さくすることができる。
本実施の形態では、４つのディスク保持部のうち、３つに突起を設けて第１の領域としているが、ディスク保持部の数やシャッタの形状に合わせて種々の数を選ぶことができる。
本実施形態のディスクカートリッジ３１４において第１３の実施形態のディスクカートリッジ３１３と異なる他の点は脱落防止部材５３の構成にある。
図７２に示すように、脱落防止部材５３は円板の一部を切り取った形状をしている。カートリッジ上体１２のディスク開口１２ｗに接するように脱落防止部材５３にほぼ対応する切り欠き５４が設けられ、脱落防止部材５３は回転可能なように切り欠き５４に係合されている。図７７に示すように、脱落防止部材５３は、回転によって、カートリッジ上体１２のディスク開口１２ｗに脱落防止部材５３の一部が突出するように保持される。また、図７８に示すように、脱落防止部材５３を回転させることによって、脱落防止部材５３がカートリッジ上体に収まり、突出した部分がディスク開口１２ｗにない状態にも脱落防止部材５３を保持し得る。脱落防止部材５３が切り欠き５４から外れることが問題となる場合には、脱落防止部材５３の側面と切り欠き５４を形成しているカートリッジ上体１２の側面とに係合する凹凸などを設ければよい。
このような構造にすることによって、脱落防止部材５３の厚みをカートリッジ上体１２の上面とほぼ同じにすることができるので、ディスクカートリッジ３１４全体の厚みを薄くすることができる。
本実施形態のディスクカートリッジ３１４において、次に特徴的なところは、図７２、７７、７８および８１に示されるように、カートリッジ下体の内側下面１１ｕと内側側面１１ｉとがつくるディスク収納部の底部内周にディスク受け部６０が設けられている点である。ディスク受け部６０は、カートリッジ下体の内側下面１１ｕに平行な上面６０ａを有している。
シャッタ２１および２２が閉塞状態にあり、ディスク１００がディスク保持部によって保持されているとき、ディスク１００の信号記録面１００Ａの外周近傍と、ディスク受け部６０の上面６０ａとが接する。これによって、ディスク１００の信号記録面１００Ａに埃が付着したり、カートリッジ下体の内側下面１１に埃がたまったりするのを防止することができる。
ディスク受け部６０の形状は図８１以外のものであってもよい。例えば、図８２に示すように、カートリッジ下体の内側下面１１ｕと内側側面１１ｉとに接するように設けられたテーパー形状を有するディスク受け部７６を設けても良い。この場合、シャッタ２１および２２が閉塞状態にあり、ディスク１００がディスク保持部によって保持されているとき、ディスク１００の信号記録面１００Ａの外周がディスク受け部７６と接する。
（第１５の実施形態）
以下に本発明の第１５の実施形態によるディスクカートリッジ３１５について図８３から８７を参照して説明する。本実施の形態のディスクカートリッジ３１５において第１４の実施形態のディスクカートリッジ３１４と同じ構成要素には同じ参照符号を付している。
図８３に示すように、ディスクカートリッジ３１５は、カートリッジ下体１１の内側下面１１ｕのシャッタ２１および２２と接触する領域、ならびにシャッタ２１および２２の下面２１ｖおよび２２ｖに４種類の凹部８５、８６、８７、８８ａ〜８８ｃが設けられている点でディスクカートリッジ３１４と異なっている。これら４種類の凹部について順に説明する。なお、凹部の深さは、１２ｃｍのディスクを保持するディスクカートリッジの場合には、例えば約０．１ｍｍから０．３ｍｍである。
シャッタ２１および２２が閉じた状態を示す図８４および開いた状態を示す図８５によくあらわされているように、まず、シャッタ２１および２２が開閉する際、シャッタ２１および２２のディスク保持部２１ａ、２１ｂ、２２ａおよび２２ｂが接するカートリッジ下体１１の内側下面１１ｕの領域において、第１の凹部８６が設けられている。
ディスク保持部２１ａ、２１ｂ、２２ａおよび２２ｂは、ほぼ隙間なくカートリッジ上体１２および下体１１により挟み込まれている。ディスクカートリッジ３１５の組み立て時、あるいは、ディスクカートリッジ３１５を構成している部品の寸法ばらつきによって、ディスク保持部２１ａ、２１ｂ、２２ａおよび２２ｂは、カートリッジ上体１２および下体１１に強く接触する可能性がある。これによって、ディスク保持部２１ａ、２１ｂ、２２ａおよび２２ｂとカートリッジ上体１２あるいは下体１１との摩擦が大きくなり、シャッタ２１および２２の開閉動作が不安定になったり、摩擦によって発塵したりする。
第１の凹部８６を設けることによって、ディスク保持部２１ａ、２１ｂ、２２ａおよび２２ｂの下部に隙間が形成されるため、このような摩擦を低減することができ、シャッタ２１および２２の開閉動作を安定させ、摩擦による発塵を低減することができる。
第２の凹部８７は、シャッタ２１および２２が閉じているとき、シャッタ２１および２２の外形エッジ部が位置する領域に設けられる。図８４および８６に示すように、第２の凹部８７はシャッタ２１および２２の外形エッジ部と対応するカートリッジ下体１１の内側下面１１ｕの線を含んでその外側および内側に渡って設けられていることが好ましい。
ディスクカートリッジ３１５はディスクの片面を露出させて収納するため、図８６に示すようにディスク１００を矢印Ａで示すように押さえつけることが可能である。ディスク１００の信号記録面１００Ａを保護するため、不織布２１ｓおよび２２ｓが設けられているが、シャッタ２１および２２の外形エッジ部にまで完全には貼り付けられていない。このため、ディスク１００を矢印Ａで示すように押さえつけるとシャッタ２１および２２の外形エッジ部が、ディスク１００の信号記録面１００Ａと接触して、信号記録面１００Ａに傷がつく恐れがある。
しかし、第２の凹部８７を設けることによって、シャッタ２１および２２の外形エッジ部はその一部が第２の凹部８７のなかへ入り込むように変形することができるようになる。これによって、押さえつける力を分散し、ディスク１００の信号記録面１００Ａにシャッタ２１および２２の外形エッジ部が強く接触するのを防止する。
第３の凹部は、チャッキング開口部１１ｃおよびヘッド開口部１１ｈを囲むように内側下面１１ｕ上設けられた第３の凹部８８ａと、シャッタ２１および２２が閉じている状態でシャッタ２１および２２とは重なっていない内側下面１１ｕの領域に設けられた第３の凹部８８ｂと、シャッタ２１および２２が閉じている状態でシャッタ２１および２２と重なっている内側下面１１ｕの領域に設けられた第３の凹部８８ｃを含む。第３の凹部８８ｂおよび８８ｃはディスク収納部の内側面に沿って円弧状に設けられている。また、本実施の形態では、第３の凹部８８ａは３本設けられている。
ディスクカートリッジ３１５には、ディスク受け部等、埃がディスクカートリッジ内に入りこんだり、ディスクの信号記録面に埃が付着したりするのを防ぐための種々の構造が取り入れられているが、埃の進入や付着を完全に防止することは難しい。
第３の凹部は、こうしたディスクカートリッジ３１５内に進入した埃を貯めておく働きをする。具体的には、シャッタ２１および２２の開閉動作にともなって、埃がこれら第３の凹部へ移動する。いったん第３の凹部へ入った埃は、シャッタ２１および２２と接することがないため、再び第３の凹部からでていくことなく、第３の凹部にとどまり続ける。このようにして第３の凹部に埃を貯めておくことによって、埃によるシャッタの動作不良や摩擦による発塵を低減することができる。
なお、このような効果は、上記第１の凹部８６および第２の凹部８７によっても得られる。したがって、上記第１の凹部８６、第２の凹部８７および第３の凹部８８ａから８８ｃは、必ずしもすべてを備えている必要はなく、いずれかひとつを備えているだけでも、少なくとも埃によるシャッタの動作不良や摩擦による発塵を低減することができる。
また、シャッタ２１および２２とカートリッジ下体１１の内側下面１１ｕとの間に入り込んだ埃をより効果的に取り除いて、第２の凹部８７等に溜め込むために、シャッタ２１および２２の下面２１ｖおよび２２ｖにおいて、外形エッジ部に沿って凹部８５を更に設けても良い。この場合、図８４に示すように、シャッタ２１および２２が閉じた状態で、第２の凹部８７よりもカートリッジの中心側に凹部８５を設けることが好ましい。また、図８６に示すように、シャッタ２１および２２の凹部８５とカートリッジ下体１１の内側下面１１ｕの第２の凹部８７とはシャッタ２１および２２が閉じた状態で連通していないことが好ましい。
凹部８５を設けることにより、シャッタ２１および２２の外形エッジ部はより変形し易くなる。したがって、ディスク１００に対して矢印Ａで示される力が加わっても、信号記録面１００Ａにシャッタ２１および２２の外形エッジ部が強く接触して、信号記録面１００Ａに傷をつけたりする恐れをより小さくできるという効果もある。更に凹部８６、８７、８８ａ、８８ｂ、８８ｃ内に、不織布等を溶着あるいは粘着して設けることによってカートリッジ本体の隙間を埋めることができ、外部からの埃の進入をさらに強固に防止することができる。
本実施形態では、第１４の実施形態のディスクカートリッジ３１４に種々の凹部を設けた例を示したが、これらの凹部は第８〜１３の実施形態のディスクカートリッジに設けても良い。
（第１６の実施形態）
以下に本発明の第１６の実施形態によるディスクカートリッジ３１６について図８８〜９３を参照して説明する。本実施の形態のディスクカートリッジ３１６において第１３の実施形態のディスクカートリッジ１３と同じ構成要素には同じ参照符号を付している。
図８８に示すように、本実施の形態のディスクカートリッジ３１６は、ディスクの挿入方向１Ａとおおよそ垂直となるカートリッジ本体の第１の側面１０ｐに第１の開閉操作部２２ｔを備え、第２の側面１０ｑには第２の開閉操作部９３を備えている。このうち、第１の開閉操作部２２ｔは、第１３の実施形態のディスカートリッジの開閉操作部２２ｔと同じ構造を備えている。
第２の開閉操作部９３は、図８９に示すように、カートリッジ下体１１に設けられた回転軸１１ｑに挿入可能な穴を有する歯車形状をしている。第２の開閉操作部９３が回転軸１１ｑに挿入されたとき、その一部がカートリッジ１０の第２の側面１０ｑから露出するように、カートリッジ下体１１の側面には開口１１ｒが設けられている。回転軸１１ｑはカートリッジ上体１２に設けられていてもよい。
カートリッジ下体１１に設けられたヘッド開口部１１ｈとチャッキング開口部１１ｃを開放または閉塞する２つのシャッタ２１および２２のうち、第１のシャッタ部材であるシャッタ２２には第１の開閉操作部２２ｔが一体に形成されている。一方、第２のシャッタ部材であるシャッタ２１の外側面のディスク保持部２１ｂの近傍には、歯車状の第２の開閉操作部９３と係合するセクター歯車２１ｍが設けられている。セクター歯車２１ｍの中心はシャッタ２１の回動孔２１ｕと一致している。また、セクター歯車２１ｍに隣接して凹部２１ｎが設けられている。凹部２１ｎは、歯車状の第２の開閉操作部９３がセクター歯車２１ｍに係合し得る空間を作っている。
第１の開閉操作部２２ｔを使ってシャッタ２１および２２を開閉するためには、まず図９０に示すように、ロック突起部２１ｋおよびロック係合部２２ｋからなるロック機構２０ｋの係合状態を解除する。そして第１の開閉操作部２２ｔを矢印２２Ｗに示すように、カートリッジの第１の側面１０ｐに沿って第１の開閉操作部２２ｔをスライドさせる。これにより、図９１に示すようにシャッタ２２の動きが連動機構２０ｃを介してシャッタ２１に伝わり、シャッタ２１および２２が協同して、ヘッド開口部１１ｈおよびチャッキング開口部１１ｃを開放する。
一方、第２の開閉操作部９３を使ってシャッタ２１および２２を開閉するためには、まず、図９０に示すように、ロック機構２０ｋの係合状態を解除する。次に、第２の開閉操作部９３を矢印９３Ａで示すように回転させる。すると、第２の開閉操作部９３の歯車に係合し、セクター歯車２１ｍが回動孔２１ｕを中心として回転し始める。この動きはシャッタ２１の開放動作となる。シャッタ２１の動きは連動機構２０ｃを介してシャッタ２２に伝わるので、シャッタ２１および２２が協同して、ヘッド開口部１１ｈおよびチャッキング開口部１１ｃを開放する。図９１に示すように、シャッタ２１および２２がヘッド開口部１１ｈおよびチャッキング開口部１１ｃを完全に開放したとき、第２の開閉操作部９３の一部は、シャッタ２１に設けられた凹部２１ｎに入り込む。
シャッタ２１および２２を閉じるときには、第１の開閉操作部２２ｔを２２Ｗと反対の方向にスライドさせるか、第２の開閉操作部９３を９３Ａと反対の方向に回転させればよい。本実施の形態では、シャッタ２１および２２が閉じる方向に力が働くようにシャッタバネ３１および３２が設けられているため、シャッタバネ３１および３２の力に抗してシャッタ２１および２２を開放する力、あるいは開放状態に保持する力を第１の開閉操作部２２ｔおよび第２の開閉操作部９３に及さなければ、上述の動作を行わなくてもシャッタ２１および２２が閉じる。
本実施形態のディスクカートリッジ３１６では、シャッタ２１および２２の開閉操作部がディスクの挿入方向に対して垂直な面と平行な面との両方に設けられている。したがって、シャッタの開閉操作部がディスクカートリッジの挿入方向に対して垂直な側面に設けられているディスクカートリッジにのみ対応したディスクドライブ装置であっても、シャッタの開閉操作部がディスクカートリッジの挿入方向に対して平行な側面に設けられているディスクカートリッジにのみ対応したディスクドライブ装置であっても、本実施の形態のディスクカートリッジに対して信号を記録／再生することができる。
また、本実施の形態のディスクカートリッジ３１６によれば、ディスクカートリッジ３１６の挿入方向に対して平行な側面に設けられている第２の開閉操作部９３は歯車形状をしている。このため、ディスクドライブ装置に設けるシャッタ開閉機構も第２の開閉操作部９３に係合しうる種々の歯車によって形成することができ、比較的簡単な機構で確実にディスクカートリッジ３１６のシャッタ２１および２２を開閉することができる。
なお、上記実施形態において、セクター歯車２１ｍはディスク保持部２１ｂ近傍に設けられていた。この位置に設ければ、セクター歯車２１ｍからシャッタ２１の回動孔２１ｕの距離が小さくでき、シャッタ２１を完全に開放するのに必要なセクター歯車２１ｍの長さを短くできるからである。しかし、セクター歯車２１ｍの形成場所はこの位置に限られるものではない。例えば図９２および９３に示すように、セクター歯車２１ｍの円弧の延長線上におおよそディスクの中心がくるような位置にセクター歯車２１ｍを設け、セクター歯車２１ｍに係合するように第２の開閉操作部９３を設けてもよい。この位置に第２の開閉操作部９３を設ければ、シャッタ２１を完全に開放するのに必要なセクター歯車２１ｍの長さは大きくなるが、回動孔２１ｕからの距離も長くできる。このことは、支点と作用点との間の距離を大きくすることに対応しており、より軽い力で第２の開閉操作部９３を回転させ、シャッタ２１および２２を開閉することができる。
（第１７の実施形態）
以下に本発明の第１７の実施形態によるディスクカートリッジ３１７について図９４〜９７を参照して説明する。本実施の形態のディスクカートリッジ３１７において第１６の実施形態のディスクカートリッジ３１６と同じ構成要素には同じ参照符号を付している。
図９４に示すように、本実施の形態のディスクカートリッジ３１７は、第２の実施の形態のディスクカートリッジ３１６の第２の開閉操作部９３に替えて、第２の開閉操作部９４を第２の側面１０ｑに備えている。
図９５によく示されているように、第２の開閉操作部９４は、カートリッジ下体１１の側面に設けられた開口１１ｒに沿ってスライドし得るリンク部材であって、その中ほどで屈曲している。また、第２の開閉操作部９４の端部には突起９４ａが設けられており、この突起９４ａはシャッタ２１のディスク保持部２１ｂ近傍に設けられた溝２１ｉに係合する。
図９６および９７はディスクカートリッジ３１７のシャッタ２１および２２が閉塞している状態および開放している状態をそれぞれ示している。第１の開閉操作部２２ｔを矢印２２ｗの方向にスライドさせることにより、シャッタ２１および２２を開閉させることができるのは第１３および第１６の実施形態で説明した通りである。
第２の開閉操作部９４を使って、シャッタ２１および２２を開閉するためには、図９６に示すように、まず、ロック機構２０ｋの係合状態を解除する。次に、第２の開閉操作部９４を矢印９４Ｂで示す方向にスライドさせる。この動作によって、第２の開閉操作部９４の突起９４ａを矢印９４Ｂの方向に移動させるように力が働く。その結果、シャッタ２１が回動孔２１ｕを中心として開く。シャッタ２１の動きは連動機構２０ｃを介してシャッタ２２に伝わるので、その結果、シャッタ２１および２２が協同して、ヘッド開口部１１ｈおよびチャッキング開口部１１ｃを開放する。第２の開閉操作部９４を矢印９４Ｂと逆の方向にスライドさせることによりシャッタ２１および２２を閉塞状態にできる点やシャッタバネ３１および３２の力が及ぶ点は第２の実施の形態と同じである。
本実施の形態のディスクカートリッジも第１６の実施形態のディスクカートリッジと同様、シャッタの開閉操作部がディスクカートリッジの挿入方向に対して垂直な側面に設けられているディスクカートリッジにのみ対応したディスクドライブ装置であっても、シャッタの開閉操作部がディスクカートリッジの挿入方向に対して平行な側面に設けられているディスクカートリッジにのみ対応したディスクドライブ装置であっても、本実施の形態のディスクカートリッジに対して信号を記録／再生することができる。
また、図９６および９７に示すように、シャッタ２１および２２を開放するために第２の開閉操作部９４を操作する方向（９４Ｂ）とディスクの挿入方向（１Ａ）とは、逆向きであり、かつ平行である。このため、第２の開閉操作部９４に係合する突起等をディスクドライブ装置に設けておけば、本実施形態のディスクカートリッジをディスクドライブ装置に挿入する際、突起が第２の開閉操作部９４に係合し、ディスクの挿入動作に連動してディスクカートリッジのシャッタ２１および２２を開放することができる。したがって、ディスクドライブ装置に設けるシャッタ開閉機構を簡便にすることができる。
（第１８の実施形態）
以下に本発明の第１８の実施形態によるディスクカートリッジ３１８について図９８〜１０１を参照して説明する。本実施の形態のディスクカートリッジ３１８においても第１６の実施形態のディスクカートリッジ３１６と同じ構成要素には同じ参照符号を付している。
図９８に示すように、本実施の形態のディスクカートリッジ３１８は、第１６の実施形態のディスクカートリッジ３１６の第２の開閉操作部９３に替えて、第２の開閉操作部９６を第２の側面１０ｑに備えている。
図９９に示すように、第２の開閉操作部９６は、シャッタ２１のディスク保持部２１ａに接続されたベルト部材である。ベルト部材の端部には突起９６ａが設けられており、突起９６ａは、カートリッジ下体１１の側面に設けられた開口１１ｒに沿ってスライドし得るようになっている。第２の開閉操作部９６はシャッタ２１と一体に形成してもよい。
ディスクカートリッジ３１８のシャッタ２１および２２が閉塞している状態および開放している状態はそれぞれ図１００および１０１に示されている。第１の開閉操作部２２ｔを矢印２２ｗの方向にスライドさせることにより、シャッタ２１および２２を開閉させることができるのは第１および第２の実施の形態で説明したとおりである。
第２の開閉操作部９６を使って、シャッタ２１および２２の開閉動作を行うために、まず、図１００に示すように、ロック機構２０ｋの係合状態を解除する。次に、第２の開閉操作部９６の突起９６ａを矢印９６Ｂで示す方向にスライドさせる。この動作によって、シャッタ２１の先端部分が回動孔２１ｕを中心として矢印９６Ｃの方向に引っ張られるようシャッタ２１に力が働く。シャッタ２１の動きは連動機構２０ｃを介してシャッタ２２に伝わるので、シャッタ２１および２２が協同して、ヘッド開口部１１ｈおよびチャッキング開口部１１ｃを開放する。シャッタ２１および２２を閉じる場合は、逆の動作を行う。
実施形態のディスクカートリッジも第１６の実施形態のディスクカートリッジと同様、シャッタの開閉操作部がディスクカートリッジの挿入方向に対して垂直な側面に設けられているディスクカートリッジにのみ対応したディスクドライブ装置であっても、シャッタの開閉操作部がディスクカートリッジの挿入方向に対して平行な側面に設けられているディスクカートリッジにのみ対応したディスクドライブ装置であっても、本実施の形態のディスクカートリッジに対して信号を記録／再生することができる。
また、シャッタ２１と第２の開閉操作部９６とを一体に形成すれば、ディスクカートリッジを構成する部品の数を減らすことができる。これによって、ディスクカートリッジの製造コストを削減したり、製造工程を簡略にしたりすることができる。
上記第１６から第１８の実施形態において、第２の開閉操作部は、ディスクの挿入方向に対して左側の側面に設けられていた。しかし、第２の開閉操作部の形成場所は上記実施の形態で示した側面に限定されるものではない。例えば、ディスクの挿入方向に対して右側の側面（図８８に示す１０ｒ）に設けてもよい。あるいは、第２の開閉操作部をディスクカートリッジの裏面（図８８に示す１０ｔ）に設けてもよい。この場合には、例えば第４の実施の形態で説明したベルト状の第２の開閉操作部９６であれば、大きな変更を加えることなくディスクカートリッジの裏面に第２の開閉操作部を設けることができる。
（第１９の実施形態）
以下に本発明の第１９の実施形態によるディスクカートリッジ３１９について図１０２および１０３を参照して説明する。本実施の形態のディスクカートリッジ３１９において、第１３の実施形態のディスクカートリッジ３１３と同じ構成要素には同じ参照符号を付している。
本実施形態のディスクカートリッジ３１９に特徴的なところは、ディスク保持部２１ｂ、２２ａおよび２２ｂに回転防止部材９７がそれぞれ設けられている点にある。また、シャッタ２１および２２に不織布をシャッタ２１および２２に超音波溶着するための凹部８９が設けられている点にある。
具体的には、ディスク保持部２１ｂ、２２ａおよび２２ｂに孔２１ｑ、２２ｑおよび２２ｒを設け、それぞれの孔２１ｑ、２２ｑおよび２２ｒに回転防止部材９７が埋め込まれている。図１０３に示すように、回転防止部材９７は、ディスク保持部２１ｂ（２２ａ、２２ｂ）において、それぞれの斜面２１ｂ’（２２ａ’、２２ｂ’）からその一部が突出しており、ディスク１００がディスク保持部２１ａ、２１ｂ、２２ａ、２２ｂによって保持されるときには、回転防止部材９７はディスク１００の外周と当接する。回転防止部材９７は弾性を有し、摩擦係数の大きい材料から形成されていることが好ましく、例えば、ゴムからなる回転防止部材９７を用いることが好ましい。
また、回転防止部材９７は、ディスク保持部２１ａ、２１ｂ、２２ａ、２２ｂのうちの少なくとも１つに設けられておれば回転防止の効果を発揮する。しかし、より確実にディスク１００の回転を防ぐためには、図示したように３つの回転防止部材９７を設けることが好ましい。
この構造によれば、ディスク１００がディスク保持部２１ａ、２１ｂ、２２ａ、２２ｂに保持されているとき、操作者が故意にディスク１００を回転させようとしても、ディスク１００に当接した回転防止部材９７の働きによって少しの力ではディスク１００回転させることはできない。したがって、操作者が、例えば、故意にディスク１００をシャッタ２１、２２に押し付けながらディスク１００を回転させようとしても、ディスク１００が回転してしまうことを防ぐ。これによって、シャッタ２１、２２に設けられた不織布に硬い埃が挟まっている場合に、上述した操作者の動作により、ディスクに傷がついてしまうことを防止できる。
また、回転防止部材９７を設けることによって、ディスク保持部内においてディスク１００がガタつくことも防止できる。
図１０２に示すように、シャッタ２１および２２は、ディスク１０の信号記録面と接触面に不織布をシャッタ２１および２２に超音波溶着するための凹部８９を備えている。凹部８９は、図１０２では、シャッタ２１および２２の信号記録面と接触する部分の外周を囲むように設けられている。また、その外周を囲む凹部８９の内側の領域にも設けられている。凹部８９の形成領域は図１０２に示される形状に限定されるものではなく、シャッタ２１および２２に不織布を確実に貼付できるものであればよい。この凹部８９において不織布とシャッタ２１および２２は超音波溶着される。凹部８９を設けることのよって超音波溶着による不織布の硬化部あるいはシャッタ２１および２２を構成している樹脂材料の不織布からの突出部が発生した場合でも、硬化部あるいは突出部が凹部８９内に収まって、ディスクに接触することを避けることができる。これによりディスクへの傷付きを防止できる。この凹部８９は、上記第１から１８の実施形態においても不織布を設ける場合にはシャッタに形成することが好ましい。
上記第１から１９の実施形態では、シャッタに不織布を超音波等により貼り付ける形態を説明したが、ディスクの信号記録面に強靭なハードコート等が形成されることによってより傷が付きにくい構造をディスクが備えている場合には必ずしも不織布は必要はなく、シャッタが直接ディスクに面接触してもよい。また、シャッタの全面がディスクの信号記録面に面接触する必要はなく、シャッタの少なくとも一部がディスクの信号記録面に接触するような構造をシャッタが備えていてもよい。つまり、シャッタの全面ではなく、一部分がディスクと面接触する構造であってもよい。また、その面接触する部分に不織布等の傷付きを防止する構造を設けてもよい。
上記第１から第１９の実施形態において、ディスクカートリッジに収納されるディスク１００は片面にのみ信号記録面を有していた。これは、本発明のディスクカートリッジがディスクの片面を外部に露出させる構造を有しており、そのような構造に最適なディスクの一例として片面にのみ信号記録面を有するディスクを例示しているにすぎない。例えば、両面に信号記録面を有するディスクであっても、本発明のディスクカートリッジに適切に収納され、ディスク装置にロードして、信号を記録したり再生したりすることができる。しかし、両面に信号記録面を有するディスクを本発明のディスクカートリッジに収納し、保管する場合には、露出した信号記録面に埃が付着してしまう可能性があるので、埃が付着しないよう何らかの機構を設けることが好ましい。
また、上記第１から第１９の実施形態では、特にディスク１００の大きさについて言及しなかったが、１２ｃｍのディスクや、その他のサイズのディスクなど、種々のサイズのディスクを収納するディスクカートリッジとして本発明を実施することができる。
さらに、上記第１から第１９の実施の形態では、ディスクカートリッジの外形は、ディスクよりわずかに大きい程度であるように図示されていたが、ディスクとディスクカートリッジとの大きさは、図示される関係に限定されるものではない。例えば、ディスクカートリッジの外形は１２ｃｍのディスクを収納できる程度に大きいが、ディスクカートリッジに設けられたディスク収納部やディスク保持部は８ｃｍのディスクを収納するのに適した大きさおよび構造であってもよい。このようなディスクカートリッジは、例えば、１２ｃｍディスク用記録／再生装置において、８ｃｍのディスクに対して記録／再生するためのアダプターとしても機能する。
上記第１から第１９の実施形態のそれぞれで説明した特徴は、適宜組み合わせて実施することができる。例えば、第１９の実施形態において説明した回転防止部材を第１６の実施形態のディスクカートリッジに設けても良い。さらに、第１５の実施形態で説明した、埃を集めるための種々の凹部を第１６の実施形態のディスクカートリッジに設けても良い。このように、上記第１から第１９の実施形態の組み合わせの態様は多岐に渡るため、可能なすべての実施例の組み合わせを列挙するのは不可能である。しかし、そのような種々可能な実施形態の組み合わせを当業者が本願明細書に基づいて実施することは可能であり、そのような種々の可能な実施形態の組み合わせも本発明の範囲に含まれる。
産業上の利用可能性
本発明のディスクカートリッジによれば、特に片面のみに記録面を有するディスクを収納するのに適している。カートリッジ本体がディスクの信号記録面のみを覆い、片面を露出させる構造を備えることにより、カートリッジの厚みを小さくできる。また、シャッタを、ディスクカートリッジの片側のみを覆う形状にすることによって、構造の簡素化を図り、シャッタのコストを低下させることができる。また、ディスク保持部あるいはディスク保持部材がディスクをシャッタあるいはカートリッジ本体に押し付けて保持するので、カートリッジ本体内においてディスクがガタつくことを防止でき、ディスクの信号記録面への埃等の付着も防止できる。加えてディスク開口部に露出したディスクレーベル面を利用することによりデザイン的に優れる。
したがって、本発明によれば、薄型で、防塵性が高く、デザインに優れ、種々のドライブ装置に使用可能なディスクカートリッジが提供される。
【図面の簡単な説明】
図１は、本発明の第１の実施形態におけるディスクカートリッジの全体構造を示す斜視図である。
図２は、図１のディスクカートリッジを下から見た斜視図である。
図３は、図１のディスクカートリッジを分解した状態を示す分解斜視図である。
図４は、図１のディスクカートリッジのディスク保持部材近傍を示す断面図である。
図５は、図１のディスクカートリッジのディスク保持部材近傍を示す断面図である。
図６は、図１のディスクカートリッジにおいて、シャッタが開放し、位置決めピンが挿入されている状態を示す斜視図である。
図７は、図６におけるディスク保持部材近傍を示す断面図である。
図８は、図６におけるディスク保持部材近傍を示す斜視図である。
図９は、本発明の第２の実施形態におけるディスクカートリッジの全体構造を示す平面図である。
図１０は、図９のディスクカートリッジにおいて、ディスクが開放された状態を示す平面図である。
図１１は、本発明の第３の実施形態におけるディスクカートリッジの全体構造を示す平面図である。
図１２は、図１１のディスクカートリッジにおいて、ディスクが開放された状態を示す平面図である。
図１３は、本発明の第４の実施形態におけるディスクカートリッジの全体構造を示す平面図である。
図１４は、図１３のディスクカートリッジにおいて、ディスクが開放された状態を示す平面図である。
図１５は、本発明の第５の実施形態におけるディスクカートリッジのシャッタが閉塞した状態における全体構造を示す平面図である。
図１６は、図１５のディスクカートリッジにおけるディスク保持部材の断面図である。
図１７は、図１５のディスクカートリッジのシャッタを開放した状態における全体構造を示す平面図である。
図１８は、図１７のディスクカートリッジにおけるディスク保持部材の断面図である。
図１９は、本発明の第６の実施形態６におけるディスクカートリッジのシャッタが閉塞した状態における全体構造を示す平面図である。
図２０は、図１９のディスクカートリッジのシャッタを開放した状態における全体構造を示す平面図である。
図２１は、本発明の第７の実施形態におけるディスクカートリッジのシャッタが閉塞した状態における全体構造を示す平面図である。
図２２は、図２１のディスクカートリッジのシャッタを開放した状態における全体構造を示す平面図である。
図２３は、第８の実施形態におけるディスクカートリッジの全体構造を示す斜視図である。
図２４は、図２３のディスクカートリッジを分解した状態を示す分解斜視図である。
図２５は、図２３のディスクカートリッジにおいて、カートリッジ上体とディスクがない場合においてシャッタが閉塞している状態を示す斜視図である。
図２６は、図２３のディスクカートリッジにおいて、カートリッジ上体とディスクがない場合においてシャッタが開放している状態を示す斜視図である。
図２７は、図２３のディスクカートリッジにおいて、ディスクがない場合においてシャッタが閉塞している状態を示す斜視図である。
図２８は、図２３のディスクカートリッジにおいて、ディスクがない場合においてシャッタが開放している状態を示す斜視図である。
図２９は、図２３のディスクカートリッジのディスク中心を通る断面を示す部分断面図である。
図３０は、図２３のディスクカートリッジのシャッタの一部を示す断面図である。
図３１は、図２３のディスクカートリッジの操作部近傍を示す部分平面図である。
図３２は、図２３のディスクカートリッジの脱落防止部材を示す斜視図である。
図３３は、図２３のディスクカートリッジをドライブ挿入方向から見た正面図である。
図３４は、本発明の第９の実施形態におけるディスクカートリッジの全体構造を示す斜視図である。
図３５は、図３４のディスクカートリッジを分解した状態を示す分解斜視図である。
図３６は、図３４のディスクカートリッジにおいて、ディスクがない場合にシャッタが閉塞している状態を示す斜視図である。
図３７は、図３４のディスクカートリッジにおいて、ディスクがない場合にシャッタが開放している状態を示す斜視図である。
図３８は、図３４のディスクカートリッジのディスク中心を通る断面であって、シャッタが閉塞した状態を示す部分断面図である。
図３９は、図３４のディスクカートリッジのディスク中心を通る断面であって、シャッタが開放した状態を示す部分断面図である。
図４０は、図３４のディスクカートリッジのディスク中心を通るディスク外周付近の断面であって、シャッタが閉塞した状態を示す断面図である。
図４１は、図３４のディスクカートリッジのディスク中心を通るディスク外周付近の断面であって、シャッタが開放した状態を示す断面図である。
図４２は、本発明の第１０の実施形態におけるディスクカートリッジの全体構造を示す斜視図である。
図４３は、図４２のディスクカートリッジを分解した状態を示す分解斜視図である。
図４４は、図４２のディスクカートリッジにおいて、ディスクがない場合にシャッタが閉塞している状態を示す斜視図である。
図４５は、図４２のディスクカートリッジにおいて、ディスクがない場合にシャッタが開放している状態を示す斜視図である。
図４６は、図４２のディスクカートリッジのディスク中心を通る断面であって、シャッタが閉塞した状態を示す部分断面図である。
図４７は、図４２のディスクカートリッジのディスク中心を通る断面であって、シャッタが開放した状態を示す部分断面図である。
図４８は、図４２のディスクカートリッジのディスク中心を通るディスク外周付近の断面であって、シャッタが閉塞した状態を示す断面図である。
図４９は、図４２のディスクカートリッジのディスク中心を通るディスク外周付近の断面であって、シャッタが開放した状態を示す断面図である。
図５０は、本発明の第１１の実施形態におけるディスクカートリッジの全体構造を示す斜視図である。
図５１は、図５０におけるディスクカートリッジを分解した状態を示す分解斜視図である。
図５２は、図５０のディスクカートリッジにおいて、ディスクがない場合にシャッタが閉塞している状態を示す斜視図である。
図５３は、図５０のディスクカートリッジにおいて、ディスクがない場合にシャッタが開放している状態を示す斜視図である。
図５４は、図５０のディスクカートリッジのディスク中心を通る断面であって、シャッタが閉塞した状態を示す部分断面図である。
図５５は、図５０のディスクカートリッジのディスク中心を通る断面であって、シャッタが開放した状態を示す部分断面図である。
図５６は、図５０のディスクカートリッジのシャッタの一部を示す断面図である。
図５７は、図５０のディスクカートリッジの操作部近傍を示す部分平面図である。
図５８は、本発明の第１２の実施形態のディスクカートリッジにおいて、ディスクがない場合にシャッタが閉塞している状態を示す斜視図である。
図５９は、図５８のディスクカートリッジのディスク中心を通る断面であって、シャッタが閉塞した状態を示す部分断面図である。
図６０は、図５８のディスクカートリッジにおいて、ディスクがない場合にシャッタが開放している状態を示す斜視図である。
図６１は、図５８のディスクカートリッジのディスク中心を通る断面であって、シャッタが開放した状態を示す部分断面図である。
図６２は、図５８のディスクカートリッジの変形例であって、ディスクがない場合においてシャッタが閉塞している状態を示す斜視図である。
図６３は、図６１のディスクカートリッジであって、ディスクがない場合においてシャッタが開放している状態を示す斜視図である。
図６４は、本発明の第１３の実施形態におけるディスクカートリッジの全体構造を示す斜視図である。
図６５は、図６４のディスクカートリッジを分解した状態を示す分解斜視図である。
図６６は、図６４のディスクカートリッジのシャッタが閉じた状態を示す概略平面図である。
図６７は、図６４のディスクカートリッジのシャッタが開いた状態を示す概略平面図である。
図６８は、シャッタロック部の詳細な斜視図である。
図６９は、シャッタのディスク保持部の詳細な断面図である。
図７０は、２枚のシャッタの接合面形状を示す断面図である。
図７１は、２枚のシャッタの接合面形状を示す断面図である。
図７２は、本発明の第１４の実施形態におけるディスクカートリッジの全体構造を示す斜視図である。
図７３は、図７２のディスクカートリッジのシャッタの斜視図である。
図７４は、図７２のディスクカートリッジのディスク保持部近傍の拡大斜視図である。
図７５は、図７２のディスクカートリッジのディスク保持部近傍の拡大斜視図である。
図７６は、図７２のディスクカートリッジのディスク保持部近傍の拡大断面図である。
図７７は、図７２のディスクカートリッジにおいて、シャッタが閉じた状態を示す概略平面図である。
図７８は、図７２のディスクカートリッジにおいて、シャッタが開いた状態を示す概略平面図である。
図７９は、図７８におけるＢ−Ｂ断面図である。
図８０は、図７８におけるＣ−Ｃ断面図である。
図８１は、図７７におけるＡ−Ａ断面図である。
図８２は、ディスク受け部の変形例を示す断面図である。
図８３は、本発明の第１５の実施形態におけるディスクカートリッジの分解した状態を示す分解斜視図である。
図８４は、図８３のディスクカートリッジにおいて、シャッタが閉じた状態を示す概略平面図である。
図８５は、図８３のディスクカートリッジにおいて、シャッタが開いた状態を示す概略平面図である。
図８６は、図８４におけるＤ−Ｄ断面図である。
図８７は、図８５におけるＥ−Ｅ断面図である。
図８８は、本発明の第１６の実施形態におけるディスクカートリッジの全体構造を示す斜視図である。
図８９は、図８８のディスクカートリッジを分解した状態を示す分解斜視図である。
図９０は、図８８のディスクカートリッジにおいて、シャッタが閉じた状態を示す概略平面図である。
図９１は、図８８のディスクカートリッジにおいて、シャッタが開いた状態を示す概略平面図である。
図９２は、図８８のディスクカートリッジの変形例を示しており、ディスクカートリッジのシャッタが閉じた状態を示す概略平面図である。
図９３は、図９２のディスクカートリッジにおいて、シャッタが開いた状態を示す概略平面図である。
図９４は、本発明の第１７の実施形態におけるディスクカートリッジの全体構造を示す斜視図である。
図９５は、図９４のディスクカートリッジを分解した状態を示す分解斜視図である。
図９６は、図９４のディスクカートリッジにおいてシャッタが閉じた状態を示す概略平面図である。
図９７は、図９４のディスクカートリッジにおいてシャッタが開いた状態を示す概略平面図である。
図９８は、本発明の第１８の実施形態におけるディスクカートリッジの全体構造を示す斜視図である。
図９９は、図９８のディスクカートリッジを分解した状態を示す分解斜視図である。
図１００は、図９８のディスクカートリッジにおいてシャッタが閉じた状態を示す概略平面図である。
図１０１は、図９８のディスクカートリッジにおいてシャッタが開いた状態を示す概略平面図である。
図１０２は、本発明の第１９の実施形態におけるディスクカートリッジを分解した状態を示す分解斜視図である。
図１０３は、図１０２のディスクカートリッジのディスク保持部近傍の拡大断面図である。
【図１】
2002056313.tif 000003
【図２】
2002056313.tif 000004
【図３】
2002056313.tif 000005
【図４】
2002056313.tif 000006
【図５】
2002056313.tif 000007
【図６】
2002056313.tif 000008
【図７】
2002056313.tif 000009
【図８】
2002056313.tif 000010
【図９】
2002056313.tif 000011
【図１０】
2002056313.tif 000012
【図１１】
2002056313.tif 000013
【図１２】
2002056313.tif 000014
【図１３】
2002056313.tif 000015
【図１４】
2002056313.tif 000016
【図１５】
2002056313.tif 000017
【図１６】
2002056313.tif 000018
【図１７】
2002056313.tif 000019
【図１８】
2002056313.tif 000020
【図１９】
2002056313.tif 000021
【図２０】
2002056313.tif 000022
【図２１】
2002056313.tif 000023
【図２２】
2002056313.tif 000024
【図２３】
2002056313.tif 000025
【図２４】
2002056313.tif 000026
【図２５】
2002056313.tif 000027
【図２６】
2002056313.tif 000028
【図２７】
2002056313.tif 000029
【図２８】
2002056313.tif 000030
【図２９】
2002056313.tif 000031
【図３０】
2002056313.tif 000032
【図３１】
2002056313.tif 000033
【図３２】
2002056313.tif 000034
【図３３】
2002056313.tif 000035
【図３４】
2002056313.tif 000036
【図３５】
2002056313.tif 000037
【図３６】
2002056313.tif 000038
【図３７】
2002056313.tif 000039
【図３８】
2002056313.tif 000040
【図３９】
2002056313.tif 000041
【図４０】
2002056313.tif 000042
【図４１】
2002056313.tif 000043
【図４２】
2002056313.tif 000044
【図４３】
2002056313.tif 000045
【図４４】
2002056313.tif 000046
【図４５】
2002056313.tif 000047
【図４６】
2002056313.tif 000048
【図４７】
2002056313.tif 000049
【図４８】
2002056313.tif 000050
【図４９】
2002056313.tif 000051
【図５０】
2002056313.tif 000052
【図５１】
2002056313.tif 000053
【図５２】
2002056313.tif 000054
【図５３】
2002056313.tif 000055
【図５４】
2002056313.tif 000056
【図５５】
2002056313.tif 000057
【図５６】
2002056313.tif 000058
【図５７】
2002056313.tif 000059
【図５８】
2002056313.tif 000060
【図５９】
2002056313.tif 000061
【図６０】
2002056313.tif 000062
【図６１】
2002056313.tif 000063
【図６２】
2002056313.tif 000064
【図６３】
2002056313.tif 000065
【図６４】
2002056313.tif 000066
【図６５】
2002056313.tif 000067
【図６６】
2002056313.tif 000068
【図６７】
2002056313.tif 000069
【図６８】
2002056313.tif 000070
【図６９】
2002056313.tif 000071
【図７０】
2002056313.tif 000072
【図７１】
2002056313.tif 000073
【図７２】
2002056313.tif 000074
【図７３】
2002056313.tif 000075
【図７４】
2002056313.tif 000076
【図７５】
2002056313.tif 000077
【図７６】
2002056313.tif 000078
【図７７】
2002056313.tif 000079
【図７８】
2002056313.tif 000080
【図７９】
2002056313.tif 000081
【図８０】
2002056313.tif 000082
【図８１】
2002056313.tif 000083
【図８２】
2002056313.tif 000084
【図８３】
2002056313.tif 000085
【図８４】
2002056313.tif 000086
【図８５】
2002056313.tif 000087
【図８６】
2002056313.tif 000088
【図８７】
2002056313.tif 000089
【図８８】
2002056313.tif 000090
【図８９】
2002056313.tif 000091
【図９０】
2002056313.tif 000092
【図９１】
2002056313.tif 000093
【図９２】
2002056313.tif 000094
【図９３】
2002056313.tif 000095
【図９４】
2002056313.tif 000096
【図９５】
2002056313.tif 000097
【図９６】
2002056313.tif 000098
【図９７】
2002056313.tif 000099
【図９８】
2002056313.tif 000100
【図９９】
2002056313.tif 000101
【図１００】
2002056313.tif 000102
【図１０１】
2002056313.tif 000103
【図１０２】
2002056313.tif 000104
【図１０３】
2002056313.tif 000105
【国際調査報告】
2002056313.tif 000106
2002056313.tif 000107
2002056313.tif 000108
2002056313.tif 000109